(57)【要約】本発明の実施形態は、マルチコネクティビティ通信方法及び装置を提供する。第１ネットワークのアクセスネットワーク装置は、ＵＥのデータに対してデータ分割を行うために第２ネットワークのアクセスネットワーク装置を使用すると決定し、次いで、第１分割構成情報をＵＥへ送信し、第２分割構成情報を第２ネットワークのアクセスネットワーク装置へ送信する。第１分割構成情報は、第２ネットワークのアクセスネットワーク装置がＵＥの分割されるべきデータを分割すべきであることをＵＥに知らせるために使用される。第２分割構成情報は、第２ネットワークのアクセスネットワーク装置にＵＥの分割されるべきデータを分割するよう指示するために使用される。第２ネットワークのアクセスネットワーク装置は、ＵＥの分割されるべきデータを、同時の送信のために、第１ネットワークのアクセスネットワーク装置及び第２ネットワークのアクセスネットワーク装置へ分け、それによって伝送効率を改善し且つスループットを増大させるために使用される。
2019524039.tif 000002
【特許請求の範囲】
【請求項１】
マルチコネクティビティ通信の方法であって、
第１ネットワークのアクセスネットワーク装置によって、第２ネットワークのアクセスネットワーク装置をデータ分割のためのアンカーとして決定することと、
前記第１ネットワークのアクセスネットワーク装置によって、第１分割構成情報をユーザ機器（ＵＥ）へ送ることであり、該第１分割構成情報は、前記第２ネットワークのアクセスネットワーク装置が前記ＵＥの分割されるべきデータを分割すべきであることを前記ＵＥに知らせるために使用される、前記第１分割構成情報をユーザ機器（ＵＥ）へ送ることと、
前記第１ネットワークのアクセスネットワーク装置によって、第２分割構成情報を前記第２ネットワークのアクセスネットワーク装置へ送ることであり、該第２分割構成情報は、前記第２ネットワークのアクセスネットワーク装置に前記ＵＥの前記分割されるべきデータを分割するよう指示するために使用される、前記第２分割構成情報を前記第２ネットワークのアクセスネットワーク装置へ送ることと
を有する方法。
【請求項２】
前記第１分割構成情報は、前記分割されるべきデータの無線リソース構成を有し、前記分割されるべきデータの前記無線リソース構成は、分割されるべきベアラの識別子及び媒体アクセス制御（ＭＡＣ）構成情報を有し、
前記第２分割構成情報は、前記分割されるべきベアラの前記識別子及び前記ＵＥの識別子を有する、
請求項１に記載の方法。
【請求項３】
前記第２分割構成情報は、第１トンネル端点に関する情報であって、前記第１ネットワークのアクセスネットワーク装置によって割り当てられる情報、及びトラフィック制御情報のうちの少なくとも一方を更に有し、前記第１トンネル端末に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークのアクセスネットワーク装置が運ぶことができる最大トラフィックを示すために使用される、
請求項２に記載の方法。
【請求項４】
前記第１ネットワークのアクセスネットワーク装置によって、第２分割構成情報を前記第２ネットワークのアクセスネットワーク装置へ送ることは、
前記第１ネットワークのアクセスネットワーク装置によって、分割コマンドを前記第２ネットワークのアクセスネットワーク装置へ送ることを有し、
前記分割コマンドは、前記第２分割構成情報を有する、
請求項１乃至３のうちいずれか一項に記載の方法。
【請求項５】
前記第１ネットワークのアクセスネットワーク装置によって、第２分割構成情報を前記第２ネットワークのアクセスネットワーク装置へ送ることは、
前記第１ネットワークのアクセスネットワーク装置によって、前記第１分割構成情報を前記ＵＥへ送る前に、分割要求メッセージを前記第２ネットワークのアクセスネットワーク装置へ送ることを有し、
前記分割要求メッセージは、選択可能な分割ベアラの識別子及び前記ＵＥの識別子を有し、前記選択可能な分割ベアラは、少なくとも前記分割されるべきベアラを有し、
前記第１ネットワークのアクセスネットワーク装置によって、第１分割構成情報をＵＥへ送ることは、
前記第１ネットワークのアクセスネットワーク装置によって、前記第２ネットワークのアクセスネットワーク装置によって送られた分割許可メッセージを受信することであり、該分割許可メッセージは、前記分割されるべきベアラの識別子を有し、該分割されるべきベアラは、分割されることを許可され、前記選択可能な分割ベアラから前記第２ネットワークのアクセスネットワーク装置によって決定されたベアラである、前記分割許可メッセージを受信することと、
前記第１ネットワークのアクセスネットワーク装置によって、前記分割許可メッセージに基づき前記第１分割構成情報を前記ＵＥへ送ることと
を有する、
請求項２又は３に記載の方法。
【請求項６】
マルチコネクティビティ通信の方法であって、
第２ネットワークのアクセスネットワーク装置によって、第１ネットワークのアクセスネットワーク装置によって送られた第２分割構成情報を受信することであり、該第２分割構成情報は、前記第２ネットワークのアクセスネットワーク装置にユーザ機器（ＵＥ）の分割されるべきデータを分割するよう指示するために使用される、前記第２分割構成情報を受信することと、
前記第２ネットワークのアクセスネットワーク装置によって、前記第２分割構成情報に基づき前記ＵＥの前記分割されるべきデータを分割することと
を有する方法。
【請求項７】
前記第２分割構成情報は、分割されるべきベアラの識別子及び前記ＵＥの識別子を有する、
請求項６に記載の方法。
【請求項８】
前記第２分割構成情報は、第１トンネル端点に関する情報であって、前記第１ネットワークのアクセスネットワーク装置によって割り当てられる情報、及びトラフィック制御情報のうちの少なくとも一方を更に有し、前記第１トンネル端点に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークのアクセスネットワーク装置が運ぶことができる最大トラフィックを示すために使用される、
請求項７に記載の方法。
【請求項９】
第２ネットワークのアクセスネットワーク装置によって、第１ネットワークのアクセスネットワーク装置によって送られた第２分割構成情報を受信することは、
前記第２ネットワークのアクセスネットワーク装置によって、前記第１ネットワークのアクセスネットワーク装置によって送られた分割コマンドを受信することを有し、
前記分割コマンドは、前記第２分割構成情報を有する、
請求項６乃至８のうちいずれか一項に記載の方法。
【請求項１０】
第２ネットワークのアクセスネットワーク装置によって、第１ネットワークのアクセスネットワーク装置によって送られた第２分割構成情報を受信することは、
前記第２ネットワークのアクセスネットワーク装置によって、前記第１ネットワークのアクセスネットワーク装置によって送られた分割要求メッセージを受信することを有し、
前記分割要求メッセージは、選択可能な分割ベアラの識別子及び前記ＵＥの識別子を有し、前記選択可能な分割ベアラは、少なくとも前記分割されるべきベアラを有し、
前記第２ネットワークのアクセスネットワーク装置によって、前記第１ネットワークのアクセスネットワーク装置によって送られた分割要求メッセージを受信した後に、当該方法は、
前記第２ネットワークのアクセスネットワーク装置によって、分割許可メッセージを前記第１ネットワークのアクセスネットワーク装置へ送ることを更に有し、
前記分割許可メッセージは、前記分割されるべきベアラの識別子を有し、該分割されるべきベアラは、分割されることを許可され、前記選択可能な分割ベアラから前記第２ネットワークのアクセスネットワーク装置によって決定されたベアラである、
請求項７又は８に記載の方法。
【請求項１１】
マルチコネクティビティ通信の方法であって、
ユーザ機器（ＵＥ）によって、第１ネットワークのアクセスネットワーク装置によって送られた第１分割構成情報を受信することであり、該第１分割構成情報は、前記第２ネットワークのアクセスネットワーク装置が前記ＵＥの分割されるべきデータを分割すべきであることを前記ＵＥに知らせるために使用される、前記第１分割構成情報を受信することと、
前記ＵＥによって、前記第１分割構成情報に基づき前記分割されるべきデータを受信又は送信することと
を有する方法。
【請求項１２】
前記第１分割構成情報は、前記分割されるべきデータの無線リソース構成を有し、前記分割されるべきデータの前記無線リソース構成は、分割されるべきベアラの識別子及び媒体アクセス制御（ＭＡＣ）構成情報を有する、
請求項１１に記載の方法。
【請求項１３】
第１ネットワークのアクセスネットワーク装置であって、
第２ネットワークのアクセスネットワーク装置をデータ分割のためのアンカーとして決定するよう構成される決定モジュールと、
第１分割構成情報をユーザ機器（ＵＥ）へ送るよう構成される送信モジュールであり、前記第１分割構成情報は、前記第２ネットワークのアクセスネットワーク装置が前記ＵＥの分割されるべきデータを分割すべきであることを前記ＵＥに知らせるために使用される、前記送信モジュールと
を有し、
前記送信モジュールは、第２分割構成情報を前記第２ネットワークのアクセスネットワーク装置へ送るよう更に構成され、該第２分割構成情報は、前記第２ネットワークのアクセスネットワーク装置に前記ＵＥの前記分割されるべきデータを分割するよう指示するために使用される、
装置。
【請求項１４】
前記第１分割構成情報は、前記分割されるべきデータの無線リソース構成を有し、前記分割されるべきデータの前記無線リソース構成は、分割されるべきベアラの識別子及び媒体アクセス制御（ＭＡＣ）構成情報を有し、
前記第２分割構成情報は、前記分割されるべきベアラの前記識別子及び前記ＵＥの識別子を有する、
請求項１３に記載の装置。
【請求項１５】
前記第２分割構成情報は、第１トンネル端点に関する情報であって、前記第１ネットワークの当該アクセスネットワーク装置によって割り当てられる情報、及びトラフィック制御情報のうちの少なくとも一方を更に有し、前記第１トンネル端末に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークの当該アクセスネットワーク装置が運ぶことができる最大トラフィックを示すために使用される、
請求項１４に記載の装置。
【請求項１６】
前記送信モジュールは、分割コマンドを前記第２ネットワークのアクセスネットワーク装置へ送るよう特に構成され、
前記分割コマンドは、前記第２分割構成情報を有する、
請求項１３乃至１５のうちいずれか一項に記載の装置。
【請求項１７】
前記送信モジュールは、前記第１分割構成情報を前記ＵＥへ送る前に、分割要求メッセージを前記第２ネットワークのアクセスネットワーク装置へ送るよう更に構成され、
前記分割要求メッセージは、選択可能な分割ベアラの識別子及び前記ＵＥの識別子を有し、前記選択可能な分割ベアラは、少なくとも前記分割されるべきベアラを有し、
前記第１ネットワークの当該アクセスネットワーク装置は、
前記第２ネットワークのアクセスネットワーク装置によって送られた分割許可メッセージを受信するよう構成される受信モジュールであり、該分割許可メッセージは、前記分割されるべきベアラの識別子を有し、該分割されるべきベアラは、分割されることを許可され、前記選択可能な分割ベアラから前記第２ネットワークのアクセスネットワーク装置によって決定されたベアラである、前記受信モジュールを更に有し
前記送信モジュールは、前記分割許可メッセージに基づき前記第１分割構成情報を前記ＵＥへ送るよう特に構成される、
請求項１４又は１５に記載の装置。
【請求項１８】
第２ネットワークのアクセスネットワーク装置であって、
第１ネットワークのアクセスネットワーク装置によって送られた第２分割構成情報を受信するよう構成される受信モジュールであり、該第２分割構成情報は、前記第２ネットワークの当該アクセスネットワーク装置にユーザ機器（ＵＥ）の分割されるべきデータを分割するよう指示するために使用される、前記受信モジュールと、
前記第２分割構成情報に基づき前記ＵＥの前記分割されるべきデータを分割するよう構成される分割モジュールと
を有する装置。
【請求項１９】
前記第２分割構成情報は、分割されるべきベアラの識別子及び前記ＵＥの識別子を有する、
請求項１８に記載の装置。
【請求項２０】
前記第２分割構成情報は、第１トンネル端点に関する情報であって、前記第１ネットワークのアクセスネットワーク装置によって割り当てられる情報、及びトラフィック制御情報のうちの少なくとも一方を更に有し、前記第１トンネル端点に関する前記情報は、ダウンリンクデータ伝送のあて先を示すために使用され、前記トラフィック制御情報は、前記第２ネットワークの当該アクセスネットワーク装置がデータ分割を実行しているときに前記第１ネットワークのアクセスネットワーク装置が運ぶことができる最大トラフィックを示すために使用される、
請求項１９に記載の装置。
【請求項２１】
前記受信モジュールは、前記第１ネットワークのアクセスネットワーク装置によって送られた分割コマンドを受信するよう特に構成され、
前記分割コマンドは、前記第２分割構成情報を有する、
請求項１８乃至２０のうちいずれか一項に記載の装置。
【請求項２２】
前記受信モジュールは、前記第１ネットワークのアクセスネットワーク装置によって送られた分割要求メッセージを受信するよう特に構成され、
前記分割要求メッセージは、選択可能な分割ベアラの識別子及び前記ＵＥの識別子を有し、前記選択可能な分割ベアラは、少なくとも前記分割されるべきベアラを有し、
前記第２ネットワークの当該アクセスネットワーク装置は、
分割許可メッセージを前記第１ネットワークのアクセスネットワーク装置へ送るよう構成される送信モジュールを更に有し、
前記分割許可メッセージは、前記分割されるべきベアラの識別子を有し、該分割されるべきベアラは、分割されることを許可され、前記選択可能な分割ベアラから前記第２ネットワークの当該アクセスネットワーク装置によって決定されたベアラである、
請求項１９又は２０に記載の装置。
【請求項２３】
ユーザ機器（ＵＥ）であって、
第１ネットワークのアクセスネットワーク装置によって送られた第１分割構成情報を受信するよう構成される受信モジュールであり、該第１分割構成情報は、前記第２ネットワークのアクセスネットワーク装置が当該ＵＥの分割されるべきデータを分割すべきであることを当該ＵＥに知らせるために使用され、前記受信モジュールは、前記第１分割構成情報に基づき前記分割されるべきデータを受信するよう更に構成される、前記受信モジュールと、
前記第１分割構成情報に基づき前記分割されるべきデータを送信するよう構成される送信モジュールと
を有するＵＥ。
【請求項２４】
前記第１分割構成情報は、前記分割されるべきデータの無線リソース構成を有し、前記分割されるべきデータの前記無線リソース構成は、分割されるべきベアラの識別子及び媒体アクセス制御（ＭＡＣ）構成情報を有する、
請求項２３に記載のＵＥ。
【請求項２５】
第１ネットワークのアクセスネットワーク装置であって、
第２ネットワークのアクセスネットワーク装置をデータ分割のためのアンカーとして決定するよう構成されるプロセッサと、
第１分割構成情報をユーザ機器（ＵＥ）へ送るよう構成される送信器であり、前記第１分割構成情報は、前記第２ネットワークのアクセスネットワーク装置が前記ＵＥの分割されるべきデータを分割すべきであることを前記ＵＥに知らせるために使用される、前記送信器と
を有し、
前記送信器は、第２分割構成情報を前記第２ネットワークのアクセスネットワーク装置へ送るよう更に構成され、該第２分割構成情報は、前記第２ネットワークのアクセスネットワーク装置に前記ＵＥの前記分割されるべきデータを分割するよう指示するために使用される、
装置。
【請求項２６】
前記第１分割構成情報は、前記分割されるべきデータの無線リソース構成を有し、前記分割されるべきデータの前記無線リソース構成は、分割されるべきベアラの識別子及び媒体アクセス制御（ＭＡＣ）構成情報を有し、
前記第２分割構成情報は、前記分割されるべきベアラの前記識別子及び前記ＵＥの識別子を有する、
請求項２５に記載の装置。
【請求項２７】
前記第２分割構成情報は、第１トンネル端点に関する情報であって、前記第１ネットワークの当該アクセスネットワーク装置によって割り当てられる情報、及びトラフィック制御情報のうちの少なくとも一方を更に有し、前記第１トンネル端末に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークの当該アクセスネットワーク装置が運ぶことができる最大トラフィックを示すために使用される、
請求項２６に記載の装置。
【請求項２８】
前記送信器は、分割コマンドを前記第２ネットワークのアクセスネットワーク装置へ送るよう特に構成され、
前記分割コマンドは、前記第２分割構成情報を有する、
請求項２５乃至２７のうちいずれか一項に記載の装置。
【請求項２９】
前記送信器は、前記第１分割構成情報を前記ＵＥへ送る前に、分割要求メッセージを前記第２ネットワークのアクセスネットワーク装置へ送るよう更に構成され、
前記分割要求メッセージは、選択可能な分割ベアラの識別子及び前記ＵＥの識別子を有し、前記選択可能な分割ベアラは、少なくとも前記分割されるべきベアラを有し、
前記第１ネットワークの当該アクセスネットワーク装置は、
前記第２ネットワークのアクセスネットワーク装置によって送られた分割許可メッセージを受信するよう構成される受信器であり、該分割許可メッセージは、前記分割されるべきベアラの識別子を有し、該分割されるべきベアラは、分割されることを許可され、前記選択可能な分割ベアラから前記第２ネットワークのアクセスネットワーク装置によって決定されたベアラである、前記受信器を更に有し
前記送信器は、前記分割許可メッセージに基づき前記第１分割構成情報を前記ＵＥへ送るよう特に構成される、
請求項２６又は２７に記載の装置。
【請求項３０】
第２ネットワークのアクセスネットワーク装置であって、
第１ネットワークのアクセスネットワーク装置によって送られた第２分割構成情報を受信するよう構成される受信器であり、該第２分割構成情報は、前記第２ネットワークの当該アクセスネットワーク装置にユーザ機器（ＵＥ）の分割されるべきデータを分割するよう指示するために使用される、前記受信器と、
前記第２分割構成情報に基づき前記ＵＥの前記分割されるべきデータを分割するよう構成されるプロセッサと
を有する装置。
【請求項３１】
前記第２分割構成情報は、分割されるべきベアラの識別子及び前記ＵＥの識別子を有する、
請求項３０に記載の装置。
【請求項３２】
前記第２分割構成情報は、第１トンネル端点に関する情報であって、前記第１ネットワークのアクセスネットワーク装置によって割り当てられる情報、及びトラフィック制御情報のうちの少なくとも一方を更に有し、前記第１トンネル端点に関する前記情報は、ダウンリンクデータ伝送のあて先を示すために使用され、前記トラフィック制御情報は、前記第２ネットワークの当該アクセスネットワーク装置がデータ分割を実行しているときに前記第１ネットワークのアクセスネットワーク装置が運ぶことができる最大トラフィックを示すために使用される、
請求項３１に記載の装置。
【請求項３３】
前記受信器は、前記第１ネットワークのアクセスネットワーク装置によって送られた分割コマンドを受信するよう特に構成され、
前記分割コマンドは、前記第２分割構成情報を有する、
請求項３０乃至３２のうちいずれか一項に記載の装置。
【請求項３４】
前記受信器は、前記第１ネットワークのアクセスネットワーク装置によって送られた分割要求メッセージを受信するよう特に構成され、
前記分割要求メッセージは、選択可能な分割ベアラの識別子及び前記ＵＥの識別子を有し、前記選択可能な分割ベアラは、少なくとも前記分割されるべきベアラを有し、
前記第２ネットワークの当該アクセスネットワーク装置は、
分割許可メッセージを前記第１ネットワークのアクセスネットワーク装置へ送るよう構成される送信器を更に有し、
前記分割許可メッセージは、前記分割されるべきベアラの識別子を有し、該分割されるべきベアラは、分割されることを許可され、前記選択可能な分割ベアラから前記第２ネットワークの当該アクセスネットワーク装置によって決定されたベアラである、
請求項３１又は３２に記載の装置。
【請求項３５】
ユーザ機器（ＵＥ）であって、
第１ネットワークのアクセスネットワーク装置によって送られた第１分割構成情報を受信するよう構成される受信器であり、該第１分割構成情報は、前記第２ネットワークのアクセスネットワーク装置が当該ＵＥの分割されるべきデータを分割すべきであることを当該ＵＥに知らせるために使用される、前記受信器と、
前記第１分割構成情報に基づき前記分割されるべきデータを受信するように前記受信モジュールを制御するよう構成されるプロセッサと
を有し、
前記プロセッサは、前記第１分割構成情報に基づき前記分割されるべきデータを送信するように前記送信器を制御するよう更に構成される、
ＵＥ。
【請求項３６】
前記第１分割構成情報は、前記分割されるべきデータの無線リソース構成を有し、前記分割されるべきデータの前記無線リソース構成は、分割されるべきベアラの識別子及び媒体アクセス制御（ＭＡＣ）構成情報を有する、
請求項３５に記載のＵＥ。
【請求項３７】
マルチコネクティビティ通信の方法であって、
第１ネットワークのアクセスネットワーク装置によって、第２ネットワークのアクセスネットワーク装置によって送られた分割要求メッセージを受信することであり、該分割要求メッセージは、選択可能な分割ベアラの識別子を有する、前記分割要求メッセージを受信することと、
前記第１ネットワークのアクセスネットワーク装置によって、分割応答メッセージを前記第２ネットワークのアクセスネットワーク装置へ送ることであり、該分割応答メッセージは、前記分割されるべきベアラの識別子を有し、該分割されるべきベアラは、前記選択可能な分割ベアラの一部又は全てである、前記分割応答メッセージを送ることと、
前記第１ネットワークのアクセスネットワーク装置によって、第１分割構成情報をユーザ機器（ＵＥ）へ送ることであり、該第１分割構成情報は、前記第２ネットワークのアクセスネットワーク装置が前記分割されるべきベアラを分割すべきであることを前記ＵＥに知らせるために使用され、前記第１分割構成情報は、前記分割されるべきベアラの前記識別子を有する、前記第１分割構成情報をユーザ機器（ＵＥ）へ送ることと
を有する方法。
【請求項３８】
前記分割要求メッセージは、１つ以上のタイプの次の情報：分割タイプ、前記ＵＥの識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークのアクセスネットワーク装置がデータ分割を実行しているときに前記第１ネットワークのアクセスネットワーク装置が運ぶことができる最大トラフィックを示すために使用され、
前記第２トンネル端点に関する情報は、アップリンクデータ伝送のあて先を示すために使用される、
請求項３７に記載の方法。
【請求項３９】
前記分割応答メッセージは、１つ以上のタイプの次の情報：第１トンネル端点に関する情報、前記ＵＥの測定結果、前記分割タイプ、前記第１ネットワークにおける前記ＵＥの前記スループット、及び前記第１ネットワークにおける前記ＵＥの前記ピークレートを更に有し、
前記第１トンネル端点に関する情報は、ダウンリンクデータ伝送のあて先を示すために使用される、
請求項３７又は３８に記載の方法。
【請求項４０】
前記第１分割構成情報は、１つ以上のタイプの次の情報：媒体アクセス制御（ＭＡＣ）構成情報及び分割タイプを更に有する、
請求項３７に記載の方法。
【請求項４１】
前記第１ネットワークのアクセスネットワーク装置によって、第１分割構成情報をＵＥへ送ることは、
前記第１ネットワークのアクセスネットワーク装置によって、無線リソース制御（ＲＲＣ）再構成メッセージを前記ＵＥへ送ることを有し、
前記ＲＲＣ再構成メッセージは、前記第１分割構成情報を有する、
請求項３７に記載の方法。
【請求項４２】
前記第１ネットワークのアクセスネットワーク装置によって、第１分割構成情報をＵＥへ送った後に、
前記第１ネットワークのアクセスネットワーク装置によって、分割構成完了メッセージを前記第２ネットワークのアクセスネットワーク装置へ送ることを更に有する
請求項３７に記載の方法。
【請求項４３】
マルチコネクティビティ通信の方法であって、
第２ネットワークのアクセスネットワーク装置によって、選択可能な分割ベアラの識別子を有する分割要求メッセージを第１ネットワークのアクセスネットワーク装置へ送ることと、
前記第２ネットワークのアクセスネットワーク装置によって、前記第１ネットワークのアクセスネットワーク装置によって送られた分割応答メッセージを受信することであり、該分割応答メッセージは、分割されるべきベアラの識別子を有し、該分割されるべきベアラは、前記選択可能な分割ベアラの一部又は全てである、前記分割応答メッセージを受信することと
を有する方法。
【請求項４４】
前記分割要求メッセージは、１つ以上のタイプの次の情報：分割タイプ、ユーザ機器（ＵＥ）の識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークのアクセスネットワーク装置がデータ分割を実行しているときに前記第１ネットワークのアクセスネットワーク装置が運ぶことができる最大トラフィックを示すために使用され、
前記第２トンネル端点に関する情報は、アップリンクデータ伝送のあて先を示すために使用される、
請求項４３に記載の方法。
【請求項４５】
前記分割応答メッセージは、１つ以上のタイプの次の情報：第１トンネル端点に関する情報、前記ＵＥの測定結果、前記分割タイプ、並びに前記第１ネットワークにおける前記ＵＥの前記スループット及び前記ピークレートを更に有し、
前記第１トンネル端点に関する情報は、ダウンリンクデータ伝送のあて先を示すために使用される、
請求項４４に記載の方法。
【請求項４６】
前記第２ネットワークのアクセスネットワーク装置によって、前記第１ネットワークのアクセスネットワーク装置によって送られた分割応答メッセージを受信した後に、
前記第２ネットワークのアクセスネットワーク装置によって、前記第１ネットワークのアクセスネットワーク装置によって送られた分割構成完了メッセージを受信することを更に有する
請求項４３に記載の方法。
【請求項４７】
マルチコネクティビティ通信の方法であって、
ユーザ機器（ＵＥ）によって、第１ネットワークのアクセスネットワーク装置によって送られた第１分割構成情報を受信することを有し、
前記第１分割構成情報は、第２ネットワークのアクセスネットワーク装置が分割されるべきベアラを分割すべきであることを前記ＵＥに知らせるために使用され、
前記第１分割構成情報は、前記分割されるべきベアラの識別子を有する、
方法。
【請求項４８】
第１ネットワークのアクセスネットワーク装置であって、
第２ネットワークのアクセスネットワーク装置によって送られた分割要求メッセージを受信するよう構成される受信モジュールであり、該分割要求メッセージは、選択可能な分割ベアラの識別子を有する、前記受信モジュールと、
分割応答メッセージを前記第２ネットワークのアクセスネットワーク装置へ送るよう構成される送信モジュールであり、該分割応答メッセージは、前記分割されるべきベアラの識別子を有し、該分割されるべきベアラは、前記選択可能な分割ベアラの一部又は全てである、前記送信モジュールと
を有し、
前記送信モジュールは、第１分割構成情報をユーザ機器（ＵＥ）へ送るよう更に構成され、該第１分割構成情報は、前記第２ネットワークのアクセスネットワーク装置が前記分割されるべきベアラを分割すべきであることを前記ＵＥに知らせるために使用され、前記第１分割構成情報は、前記分割されるべきベアラの前記識別子を有する、
装置。
【請求項４９】
前記分割要求メッセージは、１つ以上のタイプの次の情報：分割タイプ、前記ＵＥの識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークのアクセスネットワーク装置がデータ分割を実行しているときに前記第１ネットワークの当該アクセスネットワーク装置が運ぶことができる最大トラフィックを示すために使用され、
前記第２トンネル端点に関する情報は、アップリンクデータ伝送のあて先を示すために使用される、
請求項４８に記載の装置。
【請求項５０】
前記分割応答メッセージは、１つ以上のタイプの次の情報：第１トンネル端点に関する情報、前記ＵＥの測定結果、前記分割タイプ、前記第１ネットワークにおける前記ＵＥの前記スループット、及び前記第１ネットワークにおける前記ＵＥの前記ピークレートを更に有し、
前記第１トンネル端点に関する情報は、ダウンリンクデータ伝送のあて先を示すために使用される、
請求項４８又は４９に記載の装置。
【請求項５１】
前記第１分割構成情報は、１つ以上のタイプの次の情報：媒体アクセス制御（ＭＡＣ）構成情報及び分割タイプを更に有する、
請求項４８に記載の装置。
【請求項５２】
前記送信モジュールは、無線リソース制御（ＲＲＣ）再構成メッセージを前記ＵＥへ送るよう特に構成され、
前記ＲＲＣ再構成メッセージは、前記第１分割構成情報を有する、
請求項４８に記載の装置。
【請求項５３】
前記送信モジュールは、分割構成完了メッセージを前記第２ネットワークのアクセスネットワーク装置へ送るよう更に構成される、
請求項４８に記載の装置。
【請求項５４】
第２ネットワークのアクセスネットワーク装置であって、
選択可能な分割ベアラの識別子を有する分割要求メッセージを第１ネットワークのアクセスネットワーク装置へ送るよう構成される送信モジュールと、
前記第１ネットワークのアクセスネットワーク装置によって送られた分割応答メッセージを受信するよう構成される受信モジュールであり、該分割応答メッセージは、分割されるべきベアラの識別子を有し、該分割されるべきベアラは、前記選択可能な分割ベアラの一部又は全てである、前記受信モジュールと
を有する装置。
【請求項５５】
前記分割要求メッセージは、１つ以上のタイプの次の情報：分割タイプ、ユーザ機器（ＵＥ）の識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークの当該アクセスネットワーク装置がデータ分割を実行しているときに前記第１ネットワークのアクセスネットワーク装置が運ぶことができる最大トラフィックを示すために使用され、
前記第２トンネル端点に関する情報は、アップリンクデータ伝送のあて先を示すために使用される、
請求項５４に記載の装置。
【請求項５６】
前記分割応答メッセージは、１つ以上のタイプの次の情報：第１トンネル端点に関する情報、前記ＵＥの測定結果、前記分割タイプ、並びに前記第１ネットワークにおける前記ＵＥの前記スループット及び前記ピークレートを更に有し、
前記第１トンネル端点に関する情報は、ダウンリンクデータ伝送のあて先を示すために使用される、
請求項５５に記載の装置。
【請求項５７】
前記受信モジュールは、前記第１ネットワークのアクセスネットワーク装置によって送られた分割構成完了メッセージを受信するよう更に構成される、
請求項５４に記載の装置。
【請求項５８】
ユーザ機器（ＵＥ）であって、
第１ネットワークのアクセスネットワーク装置によって送られた第１分割構成情報を受信するよう構成される受信モジュールを有し、
前記第１分割構成情報は、第２ネットワークのアクセスネットワーク装置が分割されるべきベアラを分割すべきであることを当該ＵＥに知らせるために使用され、
前記第１分割構成情報は、前記分割されるべきベアラの識別子を有する、
ＵＥ。
【請求項５９】
第１ネットワークのアクセスネットワーク装置であって、
受信器、送信器、及びプロセッサを有し、
前記プロセッサは、第２ネットワークのアクセスネットワーク装置によって送られた分割要求メッセージを受信するように前記受信器を制御するよう構成され、該分割要求メッセージは、選択可能な分割ベアラの識別子を有し、
前記プロセッサは、分割応答メッセージを前記第２ネットワークのアクセスネットワーク装置へ送るように前記送信器を制御するよう更に構成され、該分割応答メッセージは、前記分割されるべきベアラの識別子を有し、該分割されるべきベアラは、前記選択可能な分割ベアラの一部又は全てであり、
前記プロセッサは、第１分割構成情報をユーザ機器（ＵＥ）へ送るように前記送信器を制御するよう更に構成され、該第１分割構成情報は、前記第２ネットワークのアクセスネットワーク装置が前記分割されるべきベアラを分割すべきであることを前記ＵＥに知らせるために使用され、前記第１分割構成情報は、前記分割されるべきベアラの前記識別子を有する、
装置。
【請求項６０】
前記分割要求メッセージは、１つ以上のタイプの次の情報：分割タイプ、前記ＵＥの識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークのアクセスネットワーク装置がデータ分割を実行しているときに前記第１ネットワークの当該アクセスネットワーク装置が運ぶことができる最大トラフィックを示すために使用され、
前記第２トンネル端点に関する情報は、アップリンクデータ伝送のあて先を示すために使用される、
請求項５９に記載の装置。
【請求項６１】
前記分割応答メッセージは、１つ以上のタイプの次の情報：第１トンネル端点に関する情報、前記ＵＥの測定結果、前記分割タイプ、前記第１ネットワークにおける前記ＵＥの前記スループット、及び前記第１ネットワークにおける前記ＵＥの前記ピークレートを更に有し、
前記第１トンネル端点に関する情報は、ダウンリンクデータ伝送のあて先を示すために使用される、
請求項５９又は６０に記載の装置。
【請求項６２】
前記第１分割構成情報は、１つ以上のタイプの次の情報：媒体アクセス制御（ＭＡＣ）構成情報及び分割タイプを更に有する、
請求項５９に記載の装置。
【請求項６３】
前記送信器は、無線リソース制御（ＲＲＣ）再構成メッセージを前記ＵＥへ送るよう特に構成され、
前記ＲＲＣ再構成メッセージは、前記第１分割構成情報を有する、
請求項５９に記載の装置。
【請求項６４】
前記プロセッサは、分割構成完了メッセージを前記第２ネットワークのアクセスネットワーク装置へ送るように前記送信器を制御するよう更に構成される、
請求項５９に記載の装置。
【請求項６５】
第２ネットワークのアクセスネットワーク装置であって、
受信器、送信器、及びプロセッサを有し、
前記プロセッサは、選択可能な分割ベアラの識別子を有する分割要求メッセージを第１ネットワークのアクセスネットワーク装置へ送るように前記送信器を制御するよう構成され、
前記プロセッサは、前記第１ネットワークのアクセスネットワーク装置によって送られた分割応答メッセージを受信するように前記受信器を制御するよう更に構成され、該分割応答メッセージは、分割されるべきベアラの識別子を有し、該分割されるべきベアラは、前記選択可能な分割ベアラの一部又は全てである、
装置。
【請求項６６】
前記分割要求メッセージは、１つ以上のタイプの次の情報：分割タイプ、ユーザ機器（ＵＥ）の識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークの当該アクセスネットワーク装置がデータ分割を実行しているときに前記第１ネットワークのアクセスネットワーク装置が運ぶことができる最大トラフィックを示すために使用され、
前記第２トンネル端点に関する情報は、アップリンクデータ伝送のあて先を示すために使用される、
請求項６５に記載の装置。
【請求項６７】
前記分割応答メッセージは、１つ以上のタイプの次の情報：第１トンネル端点に関する情報、前記ＵＥの測定結果、前記分割タイプ、並びに前記第１ネットワークにおける前記ＵＥの前記スループット及び前記ピークレートを更に有し、
前記第１トンネル端点に関する情報は、ダウンリンクデータ伝送のあて先を示すために使用される、
請求項６６に記載の装置。
【請求項６８】
前記プロセッサは、前記第１ネットワークのアクセスネットワーク装置によって送られた分割構成完了メッセージを受信するように前記受信器を制御するよう更に構成される、
請求項６５に記載の装置。
【請求項６９】
ユーザ機器（ＵＥ）であって、
プロセッサ及び受信器を有し、
前記プロセッサは、第１ネットワークのアクセスネットワーク装置によって送られた第１分割構成情報を受信するように前記受信器を制御するよう構成され、
前記第１分割構成情報は、第２ネットワークのアクセスネットワーク装置が分割されるべきベアラを分割すべきであることを当該ＵＥに知らせるために使用され、
前記第１分割構成情報は、前記分割されるべきベアラの識別子を有する、
ＵＥ。
【発明の詳細な説明】
【技術分野】
【０００１】
本発明の実施形態は、通信テクノロジに、特に、マルチコネクティビティ通信方法及び装置に関係がある。
【背景技術】
【０００２】
ユーザ要求及びテクノロジの急速な発展とともに、第５世代モバイル通信（the  5th  Generation  mobile  communication  technology，略して５Ｇ）システムがもうすぐやってくる。５Ｇシステムは、ロング・ターム・エボリューション（Long  Term  Evolution，略してＬＴＥ）ネットワークよりも速い伝送レートを提供することができる。５Ｇシステムにおける理論上の最大伝送レートは、毎秒数十ギガバイト（Gigabyte，略してＧｂ）に達することができる。データ伝送レートを増大させるよう、５Ｇシステムは、マルチコネクティビティ伝送方法を提供する。ユーザ機器（User  Equipment，略してＵＥ）は、同時にＬＴＥネットワーク及び５Ｇシステムの基地局を使用することによってＵＥのデータを送信するよう、ＬＴＥネットワーク及び５Ｇシステムに同時にアクセスすることができる。しかし、既存のマルチコネクティビティ解決法では、データ・アンカーはＬＴＥネットワークにあり、具体的に言うと、データ分割は、ＬＴＥネットワークの基地局を使用することによって行われ、データは主としてＬＴＥネットワークを使用することによって送信される。もっぱらＬＴＥネットワークにおいてデータを送信することと比較して、既存のマルチコネクティビティ解決法は、データ伝送レートを増大させることはできるが、５Ｇシステムにおけるデータ伝送レートの利点を活用することはできない。
【発明の概要】
【０００３】
本発明の実施形態は、ネットワーク内のスループット及びデータ伝送レートを増大させるよう、マルチコネクティビティ通信方法及び装置を提供する。
【０００４】
本発明の第１の態様は、マルチコネクティビティ通信の方法であって：第１ネットワークのアクセスネットワーク装置によって、第２ネットワークのアクセスネットワーク装置をデータ分割のためのアンカーとして決定し；次いで、第１分割構成情報をＵＥへ送り、該第１分割構成情報は、前記第２ネットワークのアクセスネットワーク装置が前記ＵＥの分割されるべきデータを分割すべきであることを前記ＵＥに知らせるために使用され；第２分割構成情報を前記第２ネットワークのアクセスネットワーク装置へ送り、該第２分割構成情報は、前記第２ネットワークのアクセスネットワーク装置に前記ＵＥの前記分割されるべきデータを分割するよう指示するために使用される、ことを含む方法を提供する。
【０００５】
任意に、前記第１分割構成情報は、前記分割されるべきデータの無線リソース構成を含み、前記分割されるべきデータの前記無線リソース構成は、分割されるべきベアラの識別子及び媒体アクセス制御（ＭＡＣ）構成情報を含む。前記第２分割構成情報は、前記分割されるべきベアラの前記識別子及び前記ＵＥの識別子を含む。
【０００６】
任意に、前記第２分割構成情報は、第１トンネル端点に関する情報であって、前記第１ネットワークのアクセスネットワーク装置によって割り当てられる情報、及びトラフィック制御情報のうちの少なくとも一方を更に含む。前記第１トンネル端末に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークのアクセスネットワーク装置が運ぶことができる最大トラフィックを示すために使用される。
【０００７】
任意に、前記第１分割構成情報は、前記ＵＥに前記第１ネットワークのアクセスネットワーク装置にアクセスするよう指示するために更に使用される。前記第１ネットワークのアクセスネットワーク装置によって第１分割構成情報をＵＥへ送ることは、具体的に：前記第１ネットワークのアクセスネットワーク装置によって、前記第２ネットワークのアクセスネットワーク装置を使用することによって前記第１分割構成情報を前記ＵＥへ送ることである。然るに、前記第１分割構成情報は、前記第１ネットワークのアクセスネットワーク装置における前記ＵＥのモビリティ制御情報を更に含む。前記ＵＥの前記モビリティ制御情報は、前記ＵＥの識別子、前記第１ネットワークのアクセスネットワーク装置にアクセスするために前記ＵＥによって使用されるランダム・アクセス・チャネルＲＡＣＨについての構成情報、及び前記第１ネットワークのアクセスネットワーク装置と通信するために前記ＵＥによって使用される暗号化アルゴリズムを含む。任意に、前記第１ネットワークのアクセスネットワーク装置によって、２分割構成情報を前記第２ネットワークのアクセスネットワーク装置へ送ることは、具体的に：前記第１ネットワークのアクセスネットワーク装置によって分割コマンドを前記第２ネットワークのアクセスネットワーク装置へ送ることである。前記分割コマンドは、前記第２分割構成情報を含む。
【０００８】
任意に、前記第１ネットワークのアクセスネットワーク装置によって第２分割構成情報を前記第２ネットワークのアクセスネットワーク装置へ送ることは、具体的に：前記第１ネットワークのアクセスネットワーク装置によって、前記第１分割構成情報を前記ＵＥへ送る前に、分割要求メッセージを前記第２ネットワークのアクセスネットワーク装置へ送ることである。前記分割要求メッセージは、選択可能な分割ベアラの識別子及び前記ＵＥの識別子を含み、前記選択可能な分割ベアラは、少なくとも前記分割されるべきベアラを含む。相応して、前記第１ネットワークのアクセスネットワーク装置によって第１分割構成情報をＵＥへ送ることは、具体的に：前記第１ネットワークのアクセスネットワーク装置によって、前記第２ネットワークのアクセスネットワーク装置によって送られた分割許可メッセージを受信し、該分割許可メッセージは、前記分割されるべきベアラの識別子を含み、該分割されるべきベアラは、分割されることを許可され、前記選択可能な分割ベアラから前記第２ネットワークのアクセスネットワーク装置によって決定されたベアラであり；前記第１ネットワークのアクセスネットワーク装置によって、前記分割許可メッセージに基づき前記第１分割構成情報を前記ＵＥへ送る、ことである。
【０００９】
本発明の第２の態様は、マルチコネクティビティ通信の方法であって：第２ネットワークのアクセスネットワーク装置によって、第１ネットワークのアクセスネットワーク装置によって送られた第２分割構成情報を受信し、該第２分割構成情報は、前記第２ネットワークのアクセスネットワーク装置にユーザ機器（ＵＥ）の分割されるべきデータを分割するよう指示するために使用され；前記第２ネットワークのアクセスネットワーク装置によって、前記第２分割構成情報に基づき前記ＵＥの前記分割されるべきデータを分割する、ことを含む方法を提供する。
【００１０】
任意に、前記第２分割構成情報は、前記分割されるべきベアラの識別子及び前記ＵＥの識別子を含む。
【００１１】
任意に、前記第２分割構成情報は、第１トンネル端点に関する情報であって、前記第１ネットワークのアクセスネットワーク装置によって割り当てられる情報、及びトラフィック制御情報のうちの少なくとも一方を更に含む。前記第１トンネル端末に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークのアクセスネットワーク装置が運ぶことができる最大トラフィックを示すために使用される。
【００１２】
任意に、第２ネットワークのアクセスネットワーク装置によって、第１ネットワークのアクセスネットワーク装置によって送られた第２分割構成情報を受信することは、具体的に：前記第２ネットワークのアクセスネットワーク装置によって、前記第１ネットワークのアクセスネットワーク装置によって送られた分割コマンドを受信することである。前記分割コマンドは、前記第２分割構成情報を含む。
【００１３】
任意に、第２ネットワークのアクセスネットワーク装置によって、第１ネットワークのアクセスネットワーク装置によって送られた第２分割構成情報を受信することは、具体的に：前記第２ネットワークのアクセスネットワーク装置によって、前記第１ネットワークのアクセスネットワーク装置によって送られた分割要求メッセージを受信することである。前記分割要求メッセージは、選択可能な分割ベアラの識別子及び前記ＵＥの識別子を含み、前記選択可能な分割ベアラは、少なくとも前記分割されるべきベアラを含む。
【００１４】
任意に、前記第２ネットワークのアクセスネットワーク装置によって、前記第１ネットワークのアクセスネットワーク装置によって送られた分割要求メッセージを受信した後に、当該方法は：前記第２ネットワークのアクセスネットワーク装置によって、分割許可メッセージを前記第１ネットワークのアクセスネットワーク装置へ送ることを更に含む。前記分割許可メッセージは、前記分割されるべきベアラの識別子を含み、該分割されるべきベアラは、分割されることを許可され、前記選択可能な分割ベアラから前記第２ネットワークのアクセスネットワーク装置によって決定されたベアラである。
【００１５】
本発明の第３の態様は、マルチコネクティビティ通信の方法であって：ＵＥによって、第１ネットワークのアクセスネットワーク装置によって送られた第１分割構成情報を受信し、該第１分割構成情報は、前記第２ネットワークのアクセスネットワーク装置が前記ＵＥの分割されるべきデータを分割すべきであることを前記ＵＥに知らせるために使用され；前記ＵＥによって、前記第１分割構成情報に基づき前記分割されるべきデータを受信又は送信する、ことを含む方法を提供する。
【００１６】
任意に、前記第１分割構成情報は、前記分割されるべきデータの無線リソース構成を含み、前記分割されるべきデータの前記無線リソース構成は、分割されるべきベアラの識別子及びＭＡＣ構成情報を含む。
【００１７】
本発明の第４の態様は、マルチコネクティビティ通信の方法であって：ＵＥによって、第１ネットワークのアクセスネットワーク装置によって送られた第１分割構成情報を受信し、該第１分割構成情報は、前記第２ネットワークのアクセスネットワーク装置が前記ＵＥの分割されるべきデータを分割すべきであることを前記ＵＥに知らせるために使用されるとともに、前記ＵＥに前記第１ネットワークのアクセスネットワーク装置にアクセスするよう指示するために使用され；前記ＵＥによって、前記第１分割構成情報に基づき前記第１ネットワークのアクセスネットワーク装置にアクセスし；前記ＵＥによって、該ＵＥが前記第１ネットワークのアクセスネットワーク装置にアクセスした後に、前記第１分割構成情報に基づき前記分割されるべきデータを受信又は送信する、ことを含む方法を提供する。
【００１８】
任意に、前記第１分割構成情報は、前記分割されるべきデータの無線リソース構成と、前記第１ネットワークのアクセスネットワーク装置における前記ＵＥのモビリティ制御情報とを含む。前記分割されるべきデータの前記無線リソース構成は、分割されるべきベアラの識別子及び媒体アクセス制御（ＭＡＣ）構成情報を含む。前記ＵＥの前記モビリティ制御情報は、前記ＵＥの識別子、前記第１ネットワークのアクセスネットワーク装置にアクセスするために前記ＵＥによって使用されるランダム・アクセス・チャネルＲＡＣＨについての構成情報、及び前記第１ネットワークのアクセスネットワーク装置と通信するために前記ＵＥによって使用される暗号化アルゴリズムを含む。
【００１９】
本発明の第５の態様は、決定モジュール及び送信モジュール及び送信モジュールを含む、第１ネットワークのアクセスネットワーク装置を提供する。前記決定モジュールは、第２ネットワークのアクセスネットワーク装置をデータ分割のためのアンカーとして決定するよう構成される。前記送信モジュールは、第１分割構成情報をＵＥへ送るよう構成される。前記第１分割構成情報は、前記第２ネットワークのアクセスネットワーク装置が前記ＵＥの分割されるべきデータを分割すべきであることを前記ＵＥに知らせるために使用される。前記送信モジュールは、第２分割構成情報を前記第２ネットワークのアクセスネットワーク装置へ送るよう更に構成される。該第２分割構成情報は、前記第２ネットワークのアクセスネットワーク装置に前記ＵＥの前記分割されるべきデータを分割するよう指示するために使用される。
【００２０】
任意に、前記送信モジュールは、前記第１分割構成情報を前記ＵＥへ送る前に、分割要求メッセージを前記第２ネットワークのアクセスネットワーク装置へ送るよう更に構成される。前記分割要求メッセージは、選択可能な分割ベアラの識別子及び前記ＵＥの識別子を含み、前記選択可能な分割ベアラは、少なくとも前記分割されるべきベアラを含む。相応して、前記第１ネットワークのアクセスネットワーク装置は、受信モジュールを更に含む。該受信モジュールは、前記第２ネットワークのアクセスネットワーク装置によって送られた分割許可メッセージを受信するよう構成される。該分割許可メッセージは、前記分割されるべきベアラの識別子を含み、該分割されるべきベアラは、分割されることを許可され、前記選択可能な分割ベアラから前記第２ネットワークのアクセスネットワーク装置によって決定されたベアラである。前記送信モジュールは、前記分割許可メッセージに基づき前記第１分割構成情報を前記ＵＥへ送るよう特に構成される。
【００２１】
任意に、前記送信モジュールは、分割コマンドを前記第２ネットワークのアクセスネットワーク装置へ送るよう特に構成される。前記分割コマンドは、前記第２分割構成情報を含む。
【００２２】
本発明の第６の態様は、受信モジュール及び分割モジュールを含む、第２ネットワークのアクセスネットワーク装置を提供する。前記受信モジュールは、第１ネットワークのアクセスネットワーク装置によって送られた第２分割構成情報を受信するよう構成される。該第２分割構成情報は、前記第２ネットワークの当該アクセスネットワーク装置にユーザ機器（ＵＥ）の分割されるべきデータを分割するよう指示するために使用される。前記分割モジュールは、前記第２分割構成情報に基づき前記ＵＥの前記分割されるべきデータを分割するよう構成される。
【００２３】
任意に、前記受信モジュールは、前記第１ネットワークのアクセスネットワーク装置によって送られた分割コマンドを受信するよう特に構成される。前記分割コマンドは、前記第２分割構成情報を含む。
【００２４】
任意に、前記受信モジュールは、前記第１ネットワークのアクセスネットワーク装置によって送られた分割要求メッセージを受信するよう特に構成される。前記分割要求メッセージは、選択可能な分割ベアラの識別子及び前記ＵＥの識別子を含み、前記選択可能な分割ベアラは、少なくとも前記分割されるべきベアラを含む。相応して、前記第２ネットワークの当該アクセスネットワーク装置は、送信モジュールを更に含む。該送信モジュールは、分割許可メッセージを前記第１ネットワークのアクセスネットワーク装置へ送るよう構成される。前記分割許可メッセージは、前記分割されるべきベアラの識別子を含み、該分割されるべきベアラは、分割されることを許可され、前記選択可能な分割ベアラから前記第２ネットワークの当該アクセスネットワーク装置によって決定されたベアラである。
【００２５】
本発明の第７の態様は、受信モジュール及び送信モジュールを含むＵＥを提供する。前記受信モジュールは、第１ネットワークのアクセスネットワーク装置によって送られた第１分割構成情報を受信するよう構成される。該第１分割構成情報は、前記第２ネットワークのアクセスネットワーク装置が当該ＵＥの分割されるべきデータを分割すべきであることを当該ＵＥに知らせるために使用される。前記受信モジュールは、前記第１分割構成情報に基づき前記分割されるべきデータを受信するよう更に構成される。前記送信モジュールは、前記第１分割構成情報に基づき前記分割されるべきデータを送信するよう構成される。
【００２６】
本発明の第８の態様は、受信モジュール、アクセスモジュール、及び送信モジュールを含むＵＥを提供する。前記受信モジュールは、第１ネットワークのアクセスネットワーク装置によって送られた第１分割構成情報を受信するよう構成される。該第１分割構成情報は、前記第２ネットワークのアクセスネットワーク装置が当該ＵＥの分割されるべきデータを分割すべきであることを前記ＵＥに知らせるために使用されるとともに、当該ＵＥに前記第１ネットワークのアクセスネットワーク装置にアクセスするよう指示するために使用される。前記アクセスモジュールは、前記第１分割構成情報に基づき前記第１ネットワークのアクセスネットワーク装置にアクセスするよう構成される。前記受信モジュールは、当該ＵＥが前記第１ネットワークのアクセスネットワーク装置にアクセスした後、前記第１分割構成情報に基づき前記分割されるべきデータを受信するよう更に構成される。前記送信モジュールは、当該ＵＥが前記第１ネットワークのアクセスネットワーク装置にアクセスした後、前記第１分割構成情報に基づき前記分割されるべきデータを送信するよう構成される。
【００２７】
本発明の第９の態様は、プロセッサ及び送信器を含む、第１ネットワークのアクセスネットワーク装置を提供する。前記プロセッサは、第２ネットワークのアクセスネットワーク装置をデータ分割のためのアンカーとして決定するよう構成される。前記送信器は、第１分割構成情報をＵＥへ送るよう構成される。前記第１分割構成情報は、前記第２ネットワークのアクセスネットワーク装置が前記ＵＥの分割されるべきデータを分割すべきであることを前記ＵＥに知らせるために使用される。前記送信器は、第２分割構成情報を前記第２ネットワークのアクセスネットワーク装置へ送るよう更に構成される。該第２分割構成情報は、前記第２ネットワークのアクセスネットワーク装置に前記ＵＥの前記分割されるべきデータを分割するよう指示するために使用される。
【００２８】
任意に、前記送信器は、分割コマンドを前記第２ネットワークのアクセスネットワーク装置へ送るよう特に構成される。前記分割コマンドは、前記第２分割構成情報を含む。
【００２９】
任意に、前記送信器は、前記第１分割構成情報を前記ＵＥへ送る前に、分割要求メッセージを前記第２ネットワークのアクセスネットワーク装置へ送るよう更に構成される。前記分割要求メッセージは、選択可能な分割ベアラの識別子及び前記ＵＥの識別子を含み、前記選択可能な分割ベアラは、少なくとも前記分割されるべきベアラを含む。相応して、前記第１ネットワークの当該アクセスネットワーク装置は、受信器を更に含む。該受信器は、前記第２ネットワークのアクセスネットワーク装置によって送られた分割許可メッセージを受信するよう構成される。該分割許可メッセージは、前記分割されるべきベアラの識別子を含み、該分割されるべきベアラは、分割されることを許可され、前記選択可能な分割ベアラから前記第２ネットワークのアクセスネットワーク装置によって決定されたベアラである。前記送信器は、前記分割許可メッセージに基づき前記第１分割構成情報を前記ＵＥへ送るよう特に構成される。
【００３０】
本発明の第１０の態様は、受信器及びプロセッサを含む、第２ネットワークのアクセスネットワーク装置を提供する。前記受信器は、第１ネットワークのアクセスネットワーク装置によって送られた第２分割構成情報を受信するよう構成される。該第２分割構成情報は、前記第２ネットワークの当該アクセスネットワーク装置にユーザ機器（ＵＥ）の分割されるべきデータを分割するよう指示するために使用される。前記プロセッサは、前記第２分割構成情報に基づき前記ＵＥの前記分割されるべきデータを分割するよう構成される。
【００３１】
任意に、前記受信器は、前記第１ネットワークのアクセスネットワーク装置によって送られた分割コマンドを受信するよう特に構成される。前記分割コマンドは、前記第２分割構成情報を含む。
【００３２】
任意に、前記受信器は、前記第１ネットワークのアクセスネットワーク装置によって送られた分割要求メッセージを受信するよう特に構成される。前記分割要求メッセージは、選択可能な分割ベアラの識別子及び前記ＵＥの識別子を含み、前記選択可能な分割ベアラは、少なくとも前記分割されるべきベアラを含む。
【００３３】
任意に、前記第２ネットワークの当該アクセスネットワーク装置は、送信器を更に含む。該送信器は、分割許可メッセージを前記第１ネットワークのアクセスネットワーク装置へ送るよう構成される。前記分割許可メッセージは、前記分割されるべきベアラの識別子を含み、該分割されるべきベアラは、分割されることを許可され、前記選択可能な分割ベアラから前記第２ネットワークの当該アクセスネットワーク装置によって決定されたベアラである。
【００３４】
本発明の第１１の態様は、受信器、プロセッサ、及び送信器を含むＵＥを提供する。前記受信器は、第１ネットワークのアクセスネットワーク装置によって送られた第１分割構成情報を受信するよう構成される。該第１分割構成情報は、前記第２ネットワークのアクセスネットワーク装置が当該ＵＥの分割されるべきデータを分割すべきであることを当該ＵＥに知らせるために使用される。前記プロセッサは、前記第１分割構成情報に基づき前記分割されるべきデータを受信するように前記受信モジュールを制御するよう構成される。前記プロセッサは、前記第１分割構成情報に基づき前記分割されるべきデータを送信するように前記送信器を制御するよう更に構成される。
【００３５】
本発明の第１２の態様は、受信器、プロセッサ、及び送信器を含むＵＥを提供する。前記受信器は、第１ネットワークのアクセスネットワーク装置によって送られた第１分割構成情報を受信するよう構成される。該第１分割構成情報は、前記第２ネットワークのアクセスネットワーク装置が当該ＵＥの分割されるべきデータを分割すべきであることを当該ＵＥに知らせるために使用されるとともに、当該ＵＥに前記第１ネットワークのアクセスネットワーク装置にアクセスするよう指示するために使用される。前記プロセッサは、前記第１分割構成情報に基づき前記第１ネットワークのアクセスネットワーク装置にアクセスするよう構成される。前記受信器は、前記第１分割構成情報に基づき前記分割されるべきデータを受信するよう更に構成される。前記送信器は、当該ＵＥが前記第１ネットワークのアクセスネットワーク装置にアクセスした後に、前記第１分割構成情報に基づき前記分割されるべきデータを送信するよう構成される。
【００３６】
本発明の第５乃至第１２の態様で提供される装置は、本発明の第１乃至第４の態様に対応する方法を実行するよう構成されてよい点が留意されるべきである。前記第１分割構成情報及び前記第２分割構成情報の中身については、実施形態１乃至実施形態４における方法を参照されたい。詳細については、ここで再び記載されない。
【００３７】
本発明の第１３の態様は、通信システムを提供する。当該通信システムは、第１ネットワークのアクセスネットワーク装置、第２ネットワークのアクセスネットワーク装置、及びＵＥを含む。前記第１ネットワークのアクセスネットワーク装置は、本発明の第１の態様に従う方法を実行するよう構成される。前記第２ネットワークのアクセスネットワーク装置は、本発明の第２の態様に従う方法を実行するよう構成される。前記ＵＥは、本発明の第３及び第４の態様に従う方法を実行するよう構成される。
【００３８】
本発明の第１４の態様は、マルチコネクティビティ通信の方法であって：
第１ネットワークのアクセスネットワーク装置によって、第２ネットワークのアクセスネットワーク装置によって送られた分割要求メッセージを受信することであり、該分割要求メッセージは、選択可能な分割ベアラの識別子を含む、前記分割要求メッセージを受信することと；
前記第１ネットワークのアクセスネットワーク装置によって、分割応答メッセージを前記第２ネットワークのアクセスネットワーク装置へ送ることであり、該分割応答メッセージは、前記分割されるべきベアラの識別子を含み、該分割されるべきベアラは、前記選択可能な分割ベアラの一部又は全てである、前記分割応答メッセージを送ることと；
前記第１ネットワークのアクセスネットワーク装置によって、第１分割構成情報をユーザ機器（ＵＥ）へ送ることであり、該第１分割構成情報は、前記第２ネットワークのアクセスネットワーク装置が前記分割されるべきベアラを分割すべきであることを前記ＵＥに知らせるために使用され、前記第１分割構成情報は、前記分割されるべきベアラの前記識別子を含む、前記第１分割構成情報をユーザ機器（ＵＥ）へ送ることと
を含む方法を提供する。
【００３９】
任意に、前記第１ネットワークのアクセスネットワーク装置によって、第１分割構成情報をＵＥへ送ることは：
前記第１ネットワークのアクセスネットワーク装置によって、無線リソース制御（ＲＲＣ）再構成メッセージを前記ＵＥへ送ることを含み、
前記ＲＲＣ再構成メッセージは、前記第１分割構成情報を含む。
【００４０】
任意に、前記第１ネットワークのアクセスネットワーク装置によって、第１分割構成情報をＵＥへ送った後に、当該方法は：
前記第１ネットワークのアクセスネットワーク装置によって、分割構成完了メッセージを前記第２ネットワークのアクセスネットワーク装置へ送ることを更に含む。
【００４１】
本発明の第１５の態様は、マルチコネクティビティ通信の方法であって：
第２ネットワークのアクセスネットワーク装置によって、選択可能な分割ベアラの識別子を含む分割要求メッセージを第１ネットワークのアクセスネットワーク装置へ送ることと；
前記第２ネットワークのアクセスネットワーク装置によって、前記第１ネットワークのアクセスネットワーク装置によって送られた分割応答メッセージを受信することであり、該分割応答メッセージは、分割されるべきベアラの識別子を含み、該分割されるべきベアラは、前記選択可能な分割ベアラの一部又は全てである、前記分割応答メッセージを受信することと
を含む方法を提供する。
【００４２】
任意に、前記第２ネットワークのアクセスネットワーク装置によって、前記第１ネットワークのアクセスネットワーク装置によって送られた分割応答メッセージを受信した後に、当該方法は：
前記第２ネットワークのアクセスネットワーク装置によって、前記第１ネットワークのアクセスネットワーク装置によって送られた分割構成完了メッセージを受信することを更に含む。
【００４３】
本発明の第１６の態様は、マルチコネクティビティ通信の方法であって：
ユーザ機器（ＵＥ）によって、第１ネットワークのアクセスネットワーク装置によって送られた第１分割構成情報を受信することを含み、
前記第１分割構成情報は、第２ネットワークのアクセスネットワーク装置が分割されるべきベアラを分割すべきであることを前記ＵＥに知らせるために使用され、前記第１分割構成情報は、前記分割されるべきベアラの識別子を含む。
【００４４】
本発明の第１７の態様は、第１ネットワークのアクセスネットワーク装置であって：
第２ネットワークのアクセスネットワーク装置によって送られた分割要求メッセージを受信するよう構成される受信モジュールであり、該分割要求メッセージは、選択可能な分割ベアラの識別子を含む、前記受信モジュールと；
分割応答メッセージを前記第２ネットワークのアクセスネットワーク装置へ送るよう構成される送信モジュールであり、該分割応答メッセージは、前記分割されるべきベアラの識別子を含み、該分割されるべきベアラは、前記選択可能な分割ベアラの一部又は全てである、前記送信モジュールと
を含む装置を提供する。
【００４５】
前記送信モジュールは、第１分割構成情報をユーザ機器（ＵＥ）へ送るよう更に構成される。該第１分割構成情報は、前記第２ネットワークのアクセスネットワーク装置が前記分割されるべきベアラを分割すべきであることを前記ＵＥに知らせるために使用され、前記第１分割構成情報は、前記分割されるべきベアラの前記識別子を含む。
【００４６】
任意に、前記送信モジュールは、無線リソース制御（ＲＲＣ）再構成メッセージを前記ＵＥへ送るよう特に構成される。前記ＲＲＣ再構成メッセージは、前記第１分割構成情報を含む。
【００４７】
任意に、前記送信モジュールは、分割構成完了メッセージを前記第２ネットワークのアクセスネットワーク装置へ送るよう更に構成される。
【００４８】
本発明の第１８の態様は、第２ネットワークのアクセスネットワーク装置であって：
選択可能な分割ベアラの識別子を含む分割要求メッセージを第１ネットワークのアクセスネットワーク装置へ送るよう構成される送信モジュールと；
前記第１ネットワークのアクセスネットワーク装置によって送られた分割応答メッセージを受信するよう構成される受信モジュールであり、該分割応答メッセージは、分割されるべきベアラの識別子を含み、該分割されるべきベアラは、前記選択可能な分割ベアラの一部又は全てである、前記受信モジュールと
を含む装置を提供する。
【００４９】
任意に、前記受信モジュールは、前記第１ネットワークのアクセスネットワーク装置によって送られた分割構成完了メッセージを受信するよう更に構成される。
【００５０】
本発明の第１９の態様は、ＵＥであって：
第１ネットワークのアクセスネットワーク装置によって送られた第１分割構成情報を受信するよう構成される受信モジュールを含み
前記第１分割構成情報は、第２ネットワークのアクセスネットワーク装置が分割されるべきベアラを分割すべきであることを当該ＵＥに知らせるために使用され、前記第１分割構成情報は、前記分割されるべきベアラの識別子を含む
ＵＥを提供する。
【００５１】
本発明の第２０の態様は、受信器、送信器、及びプロセッサを含む、第１ネットワークのアクセスネットワーク装置を提供する。
【００５２】
前記プロセッサは、第２ネットワークのアクセスネットワーク装置によって送られた分割要求メッセージを受信するように前記受信器を制御するよう構成される。該分割要求メッセージは、選択可能な分割ベアラの識別子を含む。
【００５３】
前記プロセッサは、分割応答メッセージを前記第２ネットワークのアクセスネットワーク装置へ送るように前記送信器を制御するよう更に構成される。該分割応答メッセージは、前記分割されるべきベアラの識別子を含み、該分割されるべきベアラは、前記選択可能な分割ベアラの一部又は全てである。
【００５４】
前記プロセッサは、第１分割構成情報をユーザ機器（ＵＥ）へ送るように前記送信器を制御するよう更に構成される。該第１分割構成情報は、前記第２ネットワークのアクセスネットワーク装置が前記分割されるべきベアラを分割すべきであることを前記ＵＥに知らせるために使用され、前記第１分割構成情報は、前記分割されるべきベアラの前記識別子を含む。
【００５５】
任意に、前記送信器は、無線リソース制御（ＲＲＣ）再構成メッセージを前記ＵＥへ送るよう特に構成され、
前記ＲＲＣ再構成メッセージは、前記第１分割構成情報を含む。
【００５６】
任意に、前記プロセッサは、分割構成完了メッセージを前記第２ネットワークのアクセスネットワーク装置へ送るように前記送信器を制御するよう更に構成される。
【００５７】
本発明の第２１の態様は、受信器、送信器、及びプロセッサを含む、第２ネットワークのアクセスネットワーク装置を提供する。
【００５８】
前記プロセッサは、分割要求メッセージを第１ネットワークのアクセスネットワーク装置へ送るように前記送信器を制御するよう構成される。前記分割要求メッセージは、選択可能な分割ベアラの識別子を含む。
【００５９】
前記プロセッサは、前記第１ネットワークのアクセスネットワーク装置によって送られた分割応答メッセージを受信するように前記受信器を制御するよう更に構成される。該分割応答メッセージは、分割されるべきベアラの識別子を含み、該分割されるべきベアラは、前記選択可能な分割ベアラの一部又は全てである。
【００６０】
任意に、前記プロセッサは、前記第１ネットワークのアクセスネットワーク装置によって送られた分割構成完了メッセージを受信するように前記受信器を制御するよう更に構成される。
【００６１】
本発明の第２２の態様は、プロセッサ及び受信器を含むＵＥを提供する。
【００６２】
前記プロセッサは、第１ネットワークのアクセスネットワーク装置によって送られた第１分割構成情報を受信するように前記受信器を制御するよう構成される。前記第１分割構成情報は、第２ネットワークのアクセスネットワーク装置が分割されるべきベアラを分割すべきであることを当該ＵＥに知らせるために使用され、前記第１分割構成情報は、前記分割されるべきベアラの識別子を含む。
【００６３】
本発明の第１４乃至第２２の態様において、前記分割要求メッセージは、１つ以上のタイプの次の情報：分割タイプ、前記ＵＥの識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に含む。前記トラフィック制御情報は、前記第２ネットワークのアクセスネットワーク装置がデータ分割を実行しているときに前記第１ネットワークのアクセスネットワーク装置が運ぶことができる最大トラフィックを示すために使用され、前記第２トンネル端点に関する情報は、アップリンクデータ伝送のあて先を示すために使用される。
【００６４】
本発明の第１４乃至第２２の態様において、前記分割応答メッセージは、１つ以上のタイプの次の情報：第１トンネル端点に関する情報、前記ＵＥの測定結果、前記分割タイプ、前記第１ネットワークにおける前記ＵＥの前記スループット、及び前記第１ネットワークにおける前記ＵＥの前記ピークレートを更に含む。前記第１トンネル端点に関する情報は、ダウンリンクデータ伝送のあて先を示すために使用される。
【００６５】
本発明の第１４乃至第２２の態様において、前記第１分割構成情報は、１つ以上のタイプの次の情報：媒体アクセス制御（ＭＡＣ）構成情報及び分割タイプを更に含む。
【００６６】
本発明の実施形態において提供されるマルチコネクティビティ通信方法及び装置に従って、第１ネットワークのアクセスネットワーク装置は、ＵＥのデータについてデータ分割を行うために第２ネットワークのアクセスネットワーク装置を使用すると決定し、次いで、第１分割構成情報をＵＥへ、及び第２分割構成情報を第２ネットワークのアクセスネットワーク装置へ送信する。第１分割構成情報は、第２ネットワークのアクセスネットワーク装置がＵＥの分割されるべきデータを分割すべきであることをＵＥに知らせるために使用される。第２分割構成情報は、第２ネットワークのアクセスネットワーク装置にＵＥの分割されるべきデータを分割するよう指示するために使用される。第２ネットワークのアクセスネットワーク装置は、ＵＥのデータを、同時の送信のために、第１ネットワークのアクセスネットワーク装置及び第２ネットワークのアクセスネットワーク装置へ分け、それによって伝送効率を改善し且つスループットを増大させるために使用される。
【図面の簡単な説明】
【００６７】
本発明の実施形態における又は先行技術における技術的解決法をより明りょうに記載するよう、以下は、実施形態又は先行技術を記載するために必要とされる添付の図面について簡単に説明する。明らかに、以下の説明における添付の図面は、本発明のいくつかの実施形態を示し、当業者は、創造的な努力なしで依然としてそれらの添付の図面から他の図面を導き出し得る。
【００６８】
【図１】本発明の実施形態が適用されるネットワークアーキテクチャの概略図である。
【図２】本発明の実施形態１に従うマルチコネクティビティ通信方法のフローチャートである。
【図３】本発明の実施形態２に従うマルチコネクティビティ通信方法の信号伝達フローチャートである。
【図４】ｅＮＢ及びＮＲノードのユーザプレーン・プロトコルスタックの概略図である。
【図５】ｅＮＢ及びＮＲノードのコントロールプレーン・プロトコルスタックの概略図である。
【図６】本発明の実施形態３に従うマルチコネクティビティ通信方法の信号伝達フローチャートである。
【図７】本発明の実施形態５に従う第１ネットワークのアクセスネットワーク装置の略構造図である。
【図８】本発明の実施形態６に従う第２ネットワークのアクセスネットワーク装置の略構造図である。
【図９】本発明の実施形態７に従うＵＥの略構造図である。
【図１０】本発明の実施形態８に従うＵＥの略構造図である。
【図１１】本発明の実施形態９に従う第１ネットワークのアクセスネットワーク装置の略構造図である。
【図１２】本発明の実施形態１０に従う第２ネットワークのアクセスネットワーク装置の略構造図である。
【図１３】本発明の実施形態１１に従うＵＥの略構造図である。
【図１４】本発明の実施形態１３に従う通信システムの略構造図である。
【図１５】本発明の実施形態１４に従うマルチコネクティビティ通信方法のフローチャートである。
【図１６】本発明の実施形態１５に従う第１ネットワークのアクセスネットワーク装置の略構造図である。
【図１７】本発明の実施形態１６に従う第２ネットワークのアクセスネットワーク装置の略構造図である。
【図１８】本発明の実施形態２０に従うＵＥの略構造図である。
【発明を実施するための形態】
【００６９】
本発明の実施形態の目的、技術的解決法、及び利点をより明らかにするよう、以下は、本発明の実施形態における添付の図面を参照して、本発明の実施形態における技術的解決法について明りょうに且つ完全に記載する。明らかに、記載される実施形態は、本発明の実施形態の一部であって、全てではない。創造的な努力なしで本発明の実施形態に基づき当業者によって獲得される他の全ての実施形態は、本発明の保護範囲内に含まれるべきである。
【００７０】
本発明の実施形態において提供されるマルチコネクティビティ（multiple  connectivity）通信方法は、ＵＥが同時に第１ネットワーク及び第２ネットワークにアクセスすることができ、そして、第１ネットワークのアクセスネットワーク装置及び第２ネットワークのアクセスネットワーク装置が同時にＵＥにサービスを提供することができることを意味する。第１ネットワークは、ＬＴＥネットワーク、ワイヤレス・フィデリティ（Wireless  Fidelity，略してＷｉＦｉ）ネットワーク、グローバルシステム・フォー・モバイルコミュニケーションズ（Global  System  of  Mobile  communication，略してＧＳＭ）ネットワーク、符号分割多重アクセス（Code  Division  Multiple  Access，略してＣＤＭＡ）ネットワーク、広帯域符号分割多重アクセス（Wideband  Code  Division  Multiple  Access，略してＷＣＤＭＡ）ネットワーク、又はニュー無線（New  radio  access  technology，略してＮｅｗ  ＲＡＴ又はＮＲ）アクセスネットワークのような、現在存在しているネットワークであってよい。第２ネットワークも上記のネットワークのうちいずれか１つであってよいが、第１ネットワーク及び第２ネットワークは異なる。ニュー無線アクセスネットワークは、ＬＴＥネットワークよりも速い伝送レートを供給可能である。ニュー無線アクセスネットワークは、５Ｇネットワーク、次世代ネットワーク、などと呼ばれることもある。ニュー無線アクセスネットワークのアクセスネットワーク装置は、ＮＲノード（node）又はＮＲ  ＢＳ（基地局，Base  Station）と呼ばれることもある。これは、ここで限定されない。
【００７１】
本発明の実施形態におけるマルチコネクティビティは、ＵＥが第１ネットワークのアクセスネットワーク装置を使用することによって第１ネットワークのコアネットワークにアクセスし、コントロールプレーン（Control  Plane，略してＣＰ）データが第１ネットワークにおいて伝送され、ユーザプレーン（User  Plane，略してＵＰ）データが第１ネットワークのエア・インターフェイス及び第２ネットワークのエア・インターフェイスを介して同時に伝送されることを特に意味する。ユーザプレーン・アンカーは、第２ネットワークのアクセスネットワーク装置のパケットデータ収束プロトコル（Packet  Data  Convergence  Protocol，ＰＤＣＰ）レイヤレイヤでのベアラ又はデータパケットの粒度で分割を行う。
【００７２】
例えば、第１ネットワークはＬＴＥネットワークであり、第２ネットワークはニュー無線アクセスネットワークである。図１は、本発明の実施形態が適用されるネットワークアーキテクチャの概略図である。図１に示されるように、ネットワークアーキテクチャは、ＬＴＥネットワークのアクセスネットワーク装置、ニュー無線アクセスネットワークのアクセスネットワーク装置、及びＬＴＥネットワークのコアネットワーク装置を含む。ＬＴＥのコアネットワーク装置は、モビリティ管理エンティティ（Mobility  Management  Entity，略してＭＭＥ）又はサービング・ゲートウェイ（Serving  Gateway，略してＳ−ＧＷ）を含む。ニュー無線アクセスネットワークのアクセスネットワーク装置及びＬＴＥネットワークのアクセスネットワーク装置は同じような機能を備え、両者は、セキュリティ認証、チャージ、及びＵＥのためのモビリティ管理のような機能を提供することができる。図１の例では、ＵＥは、ニュー無線アクセスネットワークのアクセスネットワーク装置を使用することによって、ＬＴＥのコアネットワークに直接アクセスすることができる。ＬＴＥネットワークのアクセスネットワーク装置とニュー無線アクセスネットワークのアクセスネットワーク装置との間のインターフェイスは、新しいインターフェイスである。新しいインターフェイスは、Ｘ５インターフェイス又は他の名称で呼ばれ得る。これは、ここで限定されない。図１の例では、２つの接続、すなわち、ＵＥとニュー無線アクセスネットワークのアクセスネットワーク装置との間の接続、及びＬＴＥネットワークのアクセスネットワーク装置を介したＵＥとニュー無線アクセスネットワークのアクセスネットワーク装置との間の接続、しか存在しない。確かに、ＵＥは、ＬＴＥネットワークのアクセスネットワーク装置を使用することによって、更なる接続を確立してもよい。図１に示されるネットワーク構造では、ニュー無線アクセスネットワークはコアネットワークを有さず、ＬＴＥネットワーク及びニュー無線アクセスネットワークは、ＬＴＥネットワークのコアネットワークを共有する。確かに、ニュー無線アクセスネットワークは、それ自体の独立したコアネットワークを有してもよい。
【００７３】
図１に示されるネットワークアーキテクチャでは、ＬＴＥネットワークのアクセスネットワーク装置及びニュー無線アクセスネットワークのアクセスネットワーク装置は、共同設置されてよく、あるいは、共同設置されなくてもよい。ＬＴＥネットワークのアクセスネットワーク装置及びニュー無線アクセスネットワークのアクセスネットワーク装置は、重複するカバレッジ・エリアを有してよい。ＬＴＥネットワークのアクセスネットワーク装置のカバレッジ・エリアは、全体としてニュー無線アクセスネットワークのアクセスネットワーク装置のカバレッジ・エリア内にあり、あるいは、ニュー無線アクセスネットワークのアクセスネットワーク装置のカバレッジ・エリアは、全体としてＬＴＥネットワークのアクセスネットワーク装置のカバレッジ・エリア内にある。ＬＴＥネットワークのアクセスネットワーク装置は、進化型ノードＢ（evolved  Node  B，略してｅＮＢ）とも呼ばれる。ＬＴＥネットワークのアクセスネットワーク装置は、ＬＴＥマクロ基地局、ＬＴＥスモールセル、などを含む。ニュー無線アクセスネットワークのアクセスネットワーク装置も、マクロ基地局、スモールセル、などを含む。
【００７４】
本発明の実施形態における方法は、次の２つのシナリオに適用される。シナリオ１：デフォルトのベアラ及び専用のベアラの両方が、ニュー無線アクセスネットワークのアクセスネットワーク装置と第１ネットワークのコアネットワークとの間に直接確立され、データ分割は、ニュー無線アクセスネットワークのアクセスネットワーク装置をデータ分割のためのアンカーとして使用することによって直接実行される。シナリオ２：第１ネットワークのコアネットワーク装置が最初に、データ分割を一度実行するようデータ分割のためのアンカーとして使用され、ニュー無線アクセスネットワークのエア・インターフェイスの品質が劣化する場合に、次いで、ニュー無線アクセスネットワークのアクセスネットワーク装置が、分割されたデータに基づき、分割されたデータについてのデータ分割を再度行うようデータ分割のためのアンカーとして使用される。シナリオ１では、データ分割は一度しか行われない。シナリオ２では、データ分割は二度行われる。いずれのシナリオでも、コントロールプレーンは第１ネットワークにおいて確立される。
【００７５】
上記のネットワークアーキテクチャに基づき、本発明の実施形態１は、マルチコネクティビティ通信方法を提供する。図２は、本発明の実施形態１に従うマルチコネクティビティ通信方法のフローチャートである。図２に示されるように、この実施形態における方法は、次のステップを含んでよい。
【００７６】
ステップ１０１：第１ネットワークのアクセスネットワーク装置は、第２ネットワークのアクセスネットワーク装置をデータ分割のためのアンカーとして決定する。
【００７７】
ステップ１０２：第１ネットワークのアクセスネットワーク装置は、第１分割構成情報をＵＥへ送り、このとき、第１分割構成情報は、第２ネットワークのアクセスネットワーク装置がＵＥの分割されるべきデータを分割すべきであることをＵＥに知らせるために使用される。
【００７８】
Ｓ１０３：第１ネットワークのアクセスネットワーク装置は、第２分割構成情報を第２ネットワークのアクセスネットワーク装置へ送り、このとき、第２分割構成情報は、第２ネットワークのアクセスネットワーク装置にＵＥの分割されるべきデータを分割するよう指示するために使用される。
【００７９】
この実施形態において、ＵＥは、第２ネットワークのアクセスネットワーク装置及び第１ネットワークのアクセスネットワーク装置に別々にアクセスしている。第１ネットワークがＬＴＥネットワークであり、第２ネットワークがニュー無線アクセスネットワークである場合に、第２ネットワークはコアネットワークを有さないので、ＵＥは、第１ネットワークのアクセスネットワーク装置を使用することによって第１ネットワークのコアネットワークにアクセスする必要がある。従って、第１ネットワークのアクセスネットワーク装置は、ＵＥが２つのネットワークへの接続を別々に確立していると知ることができ、第１ネットワークのアクセスネットワーク装置は、第１ネットワークのアクセスネットワーク装置と第２ネットワークのアクセスネットワーク装置との間のインターフェイスを使用することによって、第２ネットワークのアクセスネットワーク装置の負荷、クオリティ・オブ・サービス（Quality  of  Service，略してＱｏＳ）、レイテンシー、などを得ることができる。この場合に、第１ネットワークのアクセスネットワーク装置は、第２ネットワークのアクセスネットワーク装置の得られた負荷、ＱｏＳ、レイテンシー、などに基づき、データ分割が行われる必要があると決定し得る。例えば、第２ネットワークのアクセスネットワーク装置の負荷が前もってセットされた第１閾値よりも大きい場合に、第１ネットワークのアクセスネットワーク装置は、第２ネットワークのアクセスネットワーク装置の負荷を低減し、それによってネットワーク間の負荷分散を実施するよう、第２ネットワークのアクセスネットワーク装置をデータ分割のためのアンカーとして決定してよい。代替的に、第１ネットワークのアクセスネットワーク装置の負荷が前もってセットされた第２閾値よりも小さい場合に、第１ネットワークのアクセスネットワーク装置は、第２ネットワークのアクセスネットワーク装置をデータ分割のためのアンカーとして決定し、そして、第２ネットワークのアクセスネットワーク装置の負荷を積極的に共有する。前述の記載は、一例にすぎず、第１ネットワークのアクセスネットワーク装置は、代替的に、他の方法でデータ分割のためのアンカーを決定してもよい。
【００８０】
ステップ１０２で、第１ネットワークのアクセスネットワーク装置は、第１分割構成情報をＵＥへ送る。第１分割構成情報は、第２ネットワークのアクセスネットワーク装置がＵＥの分割されるべきデータを分割すべきであることをＵＥに知らせるために使用される。具体的に、第１分割構成情報は、分割されるべきデータの無線リソース構成を含んでよく、分割されるべきデータの無線リソース構成は、分割されるべきベアラのリストと、媒体アクセス制御（media  access  control  configuration，略してＭＡＣ）構成情報とを含む。分割されるべきベアラのリストは、分割されるべきベアラの識別子と、分割されるべきベアラに対応する分割タイプとを含む。異なるベアラは、異なる分割タイプに対応してよい。分割されるべきベアラの識別子は、無線アクセス・ベアラ識別子（EUTRAN-Radio  Access  Bearer  Identifier，略してＥＲＡＢ  ＩＤ）、データ無線ベアラ識別子（Data  Radio  Bearer  Identifier，略してＤＲＢ  ＩＤ）、又は論理チャネル識別子（logical  channel  identity，略してＬＣＩＤ）であってよい。ＭＡＣ構成情報は、ＭＡＣレイヤ構成を行うためにＵＥによって使用される。
【００８１】
任意に、第１分割構成情報を受信した後、ＵＥは更に、ＵＥが分割構成を完了したことを第１ネットワークのアクセスネットワーク装置に知らせるよう、構成完了情報を第１ネットワークのアクセスネットワーク装置へ返してよい。代替的に、ＵＥは、構成完了指示情報を第１ネットワークのアクセスネットワーク装置へ返さなくてもよく、ある期間第１分割構成情報を送った後、第１ネットワークのアクセスネットワーク装置は、デフォルトで、ＵＥが構成を完了したと見なす。
【００８２】
ステップ１０３で、第１ネットワークのアクセスネットワーク装置は、第２分割構成情報を第２ネットワークのアクセスネットワーク装置へ送り、それにより、第２ネットワークのアクセスネットワーク装置は、第２分割構成情報に基づき分割構成を行う。具体的に、第２分割構成情報は、分割されるべきベアラの識別子を含んでよい。任意に、第２分割構成情報は、ＵＥの識別子を更に含んでよい。第２分割構成情報に含まれる分割されるべきベアラの識別子は、第１分割構成情報における分割されるべきベアラの識別子と同じである。第２分割構成情報を受信した後、第２ネットワークのアクセスネットワーク装置は、ＵＥのどのベアラが分割されるべきであるかを決定する。具体的に、ＵＥの識別子は、ｅＮＢによって割り当てられたセル無線ネットワーク一時識別子（cell  radio  network  temporary  identify，略してＣ−ＲＮＴＩ）、国際移動体加入者識別番号（international  mobile  subscriber  identification  number，略してＩＭＳＩ）、などであってよい。
【００８３】
任意に、ユーザプレーンのための汎用パケット無線サービス（General  Packet  Radio  Service，略してＧＰＲＳ）トンネリングプロトコル（GPRS  Tunneling  Protocol  for  the  user  plane，略してＧＴＰ−Ｕ）が、第２ネットワークのアクセスネットワーク装置と第１ネットワークのアクセスネットワーク装置との間の分割チャネルのために使用される場合に、第２分割構成情報は、第１トンネル端点（Tunnel  Endpoint）に関する情報であって、第１ネットワークのアクセスネットワーク装置によって割り当てられる情報を更に含む。第１トンネル端点に関する情報は、ダウンリンクデータ伝送のあて先を示すために使用される。具体的に、第１トンネル端点に関する情報は、トンネル端点識別子（Tunnel  Endpoint  Identifier，略してＴＥＩＤ）及び第１トランスポートレイヤアドレスを含む。第１トンネル端点及び分割されるべきベアラは、一対一の対応にある。夫々の分割されるべきベアラは１つの第１トンネル端点に対応し、複数の分割されるべきベアラがある場合には、複数の第１トンネル端点がある。
【００８４】
任意に、第２分割構成情報は、トラフィック制御情報を更に含んでよい。トラフィック制御情報は、第２ネットワークのアクセスネットワーク装置がデータ分割を実行しているときに第１ネットワークのアクセスネットワーク装置が運ぶことができる最大トラフィックを制御し、それによって過度に多い又は少ないトラフィックが分割されることを回避するために、使用される。第２ネットワークのアクセスネットワーク装置が過度に大量のデータを伝送のために第１ネットワークのアクセスネットワーク装置に分ける場合には、ネットワーク全体のスループットの低下が、第１ネットワークのアクセスネットワーク装置の比較的遅い伝送レートに起因して引き起こされる。
【００８５】
この実施形態においてステップ１０２及びステップ１０３を実行する順序はない点が留意されるべきである。具体的に言うと、第１ネットワークのアクセスネットワーク装置は、最初に第１分割構成情報をＵＥへ送り、次いで第２分割構成情報を第２ネットワークのアクセスネットワーク装置へ送ってよい。代替的に、第１ネットワークのアクセスネットワーク装置は、最初に第２分割構成情報を第２ネットワークのアクセスネットワーク装置へ送り、次いで第１分割構成情報をＵＥへ送る。その上、第１ネットワークのアクセスネットワーク装置は、第１分割構成情報及び第２分割構成情報を送るために、新たに定義されたメッセージを使用してもよく、あるいは、第１分割構成情報及び第２分割構成情報を送るために、既存のメッセージを使用してもよい。これは限定されない。例えば、第１ネットワークは、既存のＲＲＣ接続再構成（RRC  connection  reconfiguration）メッセージを再利用し、第１分割構成情報をＲＲＣ接続再構成メッセージに付加することによって第１分割構成情報を送信してよい。
【００８６】
この実施形態において、データ分割のためのアンカーは、第２ネットワークのアクセスネットワーク装置である。第２ネットワークのアクセスネットワーク装置は、第２分割構成情報を受信した後に、ＵＥのアップリンクデータ及びダウンリンクデータを分割してよい。データ分割は、同じベアラ上のいくつかのデータパケットが第１ネットワークのアクセスネットワーク装置のエア・インターフェイスを介して送信され、ベアラ上の他のデータパケットが第２ネットワークのアクセスネットワーク装置のエア・インターフェイスを介して送信されることを意味する。
【００８７】
ダウンリンクデータは一例として使用される。コアネットワークがＵＥへ送られるべきダウンリンクデータを有する場合に、第２ネットワークのアクセスネットワーク装置は、送信されるべきダウンリンクデータのベアラを決定し、次いで、第２分割構成情報に基づき、送信されるべきダウンリンクデータのベアラが分割される必要があるかどうかを判定する。送信されるべきダウンリンクデータのベアラが分割される必要がある場合には、第２ネットワークのアクセスネットワーク装置は、前もってセットされた分割規則に従って、送信されるべきダウンリンクデータ内のいくつかのデータパケットをＵＥへ直接送り、送信されるべきダウンリンクデータ内の他のデータパケットを第１ネットワークのアクセスネットワーク装置へ送り、次いで、他のデータパケットは、第１ネットワークのアクセスネットワーク装置を使用することによってＵＥへ送られる。このようにして、ＵＥによって受信されるダウンリンクデータパケットは、第１ネットワークのアクセスネットワーク装置及び第２ネットワークのアクセスネットワーク装置の両方から伝来する。次いで、ＵＥは、第１ネットワークのアクセスネットワーク装置及び第２ネットワークのアクセスネットワーク装置から受信される同じベアラのデータを結合する。分割規則は、第２ネットワークのアクセスネットワーク装置によって決定されてよく、あるいは、第１ネットワークのアクセスネットワーク装置によって第２ネットワークのアクセスネットワーク装置へ送られてもよい。具体的に、分割規則は、例えば、同じデータストリーム内のデータパケットを伝送のために２つのネットワークのアクセスネットワーク装置へ等しく割り当てることであり、あるいは、特定の分割割合に従って分割を実行することであってもよい。分割割合は、ネットワークの伝送レートに基づき決定されてよい。例えば、第２ネットワークのアクセスネットワーク装置の伝送レートが第１ネットワークのアクセスネットワーク装置の伝送レートよりも速い場合に、第２ネットワークのアクセスネットワーク装置は、データのより多い割合を分割し、第１ネットワークのアクセスネットワーク装置は、データのより少ない割合を分割する。
【００８８】
この実施形態において、第１ネットワークのアクセスネットワーク装置は、第２ネットワークのアクセスネットワーク装置をデータ分割のためのアンカーとして決定し、次いで、第２ネットワークのアクセスネットワーク装置がＵＥの分割されるべきデータを分割すべきであることをＵＥに知らせるよう第１分割構成情報をＵＥへ送り、そして、第２ネットワークのアクセスネットワーク装置にＵＥの分割されるべきデータを分割するよう指示するよう第２分割構成情報を第２ネットワークのアクセスネットワーク装置へ送る。第２ネットワークのアクセスネットワーク装置は、第２分割構成情報に基づきＵＥの分割されるべきデータを分割する。第２ネットワークのアクセスネットワーク装置は、ＵＥのデータを、同時の伝送のために、第１ネットワークのアクセスネットワーク装置及び第２ネットワークのアクセスネットワーク装置に分割し、それによって伝送効率を改善し且つスループットを増大させるために使用される。
【００８９】
データ分割のためのアンカーがニュー無線アクセスネットワークのアクセスネットワーク装置である場合に、大部分のデータは、ニュー無線アクセスネットワークを使用することによって送信され、ほんの一部の分割されたデータが、第１ネットワークを使用することによって送信される。ニュー無線アクセスネットワークの伝送レートは、データ分割のためのアンカーが第１ネットワークにあるか、あるいは、データがニュー無線アクセスネットワークにおいて直接送信される場合と比べて、より速いので、伝送効率は更に改善され得、スループットは増大され得る。
【００９０】
実施形態１に基づき、本発明の実施形態２はマルチコネクティビティ通信方法を提供する。この実施形態は、第１ネットワークがＬＴＥネットワークであり、第２ネットワークがニュー無線アクセスネットワークである例を使用することによって、記載される。図３は、本発明の実施形態２において提供されるマルチコネクティビティ通信方法の信号伝達フローチャートである。図４は、ｅＮＢ及びＮＲノードのユーザプレーン・プロトコルスタックの概略図である。図４に示されるように、ｅＮＢのユーザプレーン・プロトコルスタックは、５つのレイヤ、すなわち、ＩＰレイヤ、ＰＤＣＰレイヤ、ＲＬＣレイヤ、ＭＡＣレイヤ、及びＰＨＹレイヤを含む。ＮＲノードのユーザプレーン・プロトコルスタックは、４つのレイヤ、すなわち、ＰＤＣＰレイヤ、ＲＬＣレイヤ、ＭＡＣレイヤ、及びＰＨＹレイヤを含む。図５は、ｅＮＢ及びＮＲノードのコントロールプレーン・プロトコルスタックの概略図である。図５に示されるように、ｅＮＢのコントロールプレーン・プロトコルスタックは、５つのレイヤ、すなわち、ＲＲＣレイヤ、ＰＤＣＰレイヤ、ＲＬＣレイヤ、ＭＡＣレイヤ、及びＰＨＹレイヤを含む。ＮＲノードのコントロールプレーン・プロトコルスタックは、４つのレイヤ、すなわち、ＰＤＣＰレイヤ、ＲＬＣレイヤ、ＭＡＣレイヤ、及びＰＨＹレイヤを含む。その上、ＮＲノードのコントロールプレーン・プロトコルスタックは、ＲＲＣレイヤを更に含んでもよい。図３乃至図５を参照すると、この実施形態における方法は、次のステップを含んでよい。
【００９１】
ステップ２０１：ｅＮＢは、ＮＲノードをデータ分割のためのアンカーとして決定する。
【００９２】
ステップ２０２：ｅＮＢは、ＲＲＣ接続再構成メッセージをＵＥへ送り、このとき、ＲＲＣ接続再構成メッセージは、第１分割構成情報を含む。
【００９３】
第１分割構成情報は、第２ネットワークのアクセスネットワーク装置がＵＥの分割されるべきデータを分割すべきであることをＵＥに知らせるために使用される。第１分割構成情報は、具体的に、分割されるべきデータの無線リソース構成を含んでよい。分割されるべきデータの無線リソース構成は、分割されるべきベアラのリストと、ＭＡＣ構成情報とを含む。分割されるべきベアラのリストは、分割されるべきベアラの識別子と、分割されるべきベアラに対応する分割タイプとを含む。異なるベアラは、異なる分割タイプに対応してよい。分割タイプは、既存のタイプ、又は本発明で新たに定義されたタイプであってよい。この実施形態では、ＮＲノードがデータ分割のためのアンカーであることによる分割タイプが定義され、セカンダリ・セル・グループ（secondary  cell  group，略してＳＣＧ）分割ベアラタイプと呼ばれ得る。新たに定義された分割タイプの名称は、本発明において限定されない。
【００９４】
この実施形態において、ｅＮＢは、第１分割構成情報をＲＲＣ接続再構成メッセージに付加することによって、第１分割構成情報をＵＥへ送ってよい。確かに、ｅＮＢは、代替的に、他の既存のメッセージ又は新たに定義されたメッセージを使用することによって分割構成情報をＵＥへ送ってもよい。
【００９５】
ステップ２０３：ＵＥは、ＲＲＣ接続再構成完了（RRC  connection  configuration  complete）メッセージをｅＮＢへ送る。
【００９６】
第１分割構成情報に基づく分割構成を完了した後、ＵＥは、ＲＲＣ接続再構成完了メッセージをｅＮＢへ送る。ＲＲＣ接続再構成完了メッセージを受信した後、ｅＮＢは、ＵＥが構成を完了したと決定する。任意に、ＲＲＣ接続再構成完了メッセージは、構成完了指示情報を更に含んでよい。例えば、１ビットの指示情報が、構成が完了されることを示すために使用される。ＲＲＣ接続再構成完了メッセージを受信した後、ｅＮＢは、構成完了指示情報に基づき、ＵＥが構成を完了したと決定する。
【００９７】
ステップ２０４：ｅＮＢは、分割コマンド（split  bearer  command）をＮＲノードへ送り、このとき、分割コマンドは、第２分割構成情報を含む。
【００９８】
第２分割構成情報は、分割されるべきベアラの識別子を含む。任意に、第２分割構成情報は、ＵＥの識別子を更に含む。
【００９９】
任意に、ＧＴＰ−ＵトンネリングプロトコルがｅＮＢとＮＲノードとの間のユーザプレーン・トランスポートプロトコルとして使用される場合に、第２分割構成情報は、第１トンネル端点に関する情報であって、ｅＮＢによって割り当てられる情報を更に含む。第１トンネル端点に関する情報は、トンネル端点識別子及び第１トランスポートレイヤアドレスを含む。第１トンネル端点に関する情報は、ダウンリンクデータ伝送パスにおけるデータ伝送のあて先を示すために使用される。第１トンネル端点及び分割されるべきベアラは、一対一の対応にある。夫々の分割されるべきベアラは１つの第１トンネル端点に対応し、複数の分割されるべきベアラがある場合には、複数の第１トンネル端点がある。更には、第２分割構成情報は、トラフィック制御情報を更に含んでよい。
【０１００】
この実施形態において、分割コマンドは、ＮＲノードにＵＥの分割されるべきデータを分割するよう指示するために使用される。任意に、分割コマンドは、分割指示情報を更に含んでよい。ｅＮＢは、分割指示情報を使用することによって、ＮＲノードにＵＥのデータを分割するよう明示的に指示する。代替的に、ｅＮＢは、第２分割構成情報を使用することによって、ＮＲノードにＵＥのデータを分割するよう暗黙的に指示する。
【０１０１】
ステップ２０５：ＮＲノードは、分割応答メッセージをｅＮＢへ送る。
【０１０２】
任意に、分割応答メッセージは、分割が確認されたベアラに関する情報を含み、任意に、更には、第２トンネル端点に関する情報であって、ＮＲノードによって割り当てられる情報を含む。第２トンネル端点に関する情報は、アップリンクデータ伝送パスにおけるデータ伝送のあて先を示すために使用される。第２トンネル端点に関する情報は、第２トンネル端点の識別子及び第２トランスポートレイヤアドレスを含む。第２トンネル端点に関する情報は、主に、データ転送のためのデータ転送シナリオにおいて使用される。具体的に言うと、ｅＮＢに分割される全てのダウンリンクデータがＵＥへ送られるわけではない場合に、ｅＮＢは、残りのダウンリンクデータをＮＲノードへ送るために、ＮＲノードによって割り当てられたトンネル端点の識別子を使用してよい。第２トンネル端点及び分割されるべきベアラは、一対一の対応にある。夫々の分割されるべきベアラは１つの第２トンネル端点に対応する。複数の分割されるべきベアラがある場合には、複数の第２トンネル端点がある。
【０１０３】
図６は、本発明の実施形態３に従うマルチコネクティビティ通信方法の信号伝達フローチャートである。この実施形態は、第１ネットワークがＬＴＥネットワークであり、第２ネットワークがニュー無線アクセスネットワークである例を使用することによって、記載される。この実施形態において、ｅＮＢ及びＮＲノードのユーザプレーン・プロトコルスタック及びコントロールプレーン・プロトコルスタックは、図４及び図５に示されており、ここで再び説明されない。この実施形態と実施形態２との間の相違点は、この実施形態では、どのベアラが分割されるべきであるかをＮＲノードが決定し、一方、実施形態２では、どのベアラが分割されるべきであるかをｅＮＢが決定する点にある。図６を参照すると、この実施形態における方法は、次のステップを含んでよい。
【０１０４】
ステップ３０１：ｅＮＢは、ＮＲノードをデータ分割のためのアンカーとして決定する。
【０１０５】
ステップ３０２：ｅＮＢは、分割要求メッセージをＮＲノードへ送り、このとき、分割要求メッセージは、選択可能な分割ベアラの識別子を含み、選択可能な分割ベアラは、少なくとも、分割されるべきベアラを含む。任意に、分割要求メッセージは、ＵＥの識別子を更に含む。
【０１０６】
この実施形態において、ｅＮＢは、ＮＲノードに分割を許可するよう要求するように、選択可能な分割ベアラの識別子及びＵＥの識別子をＮＲノードへ送る。１つ以上の選択可能な分割ベアラが存在してよい。ＮＲノードは、ベアラが分割されることを許可すべきかどうかを決定する。ＮＲノードは、選択可能な分割ベアラのリスト内の全ての又はほんの一部のベアラを分割することを許可してよい。ＵＥの識別子は、ｅＮＢによって割り当てられたＣ−ＲＮＴＩ、ＩＭＳＩ、などであってよい。
【０１０７】
任意に、ＧＴＰ−ＵプロトコルがｅＮＢとＮＲノードとの間のユーザプレーン・プロトコルスタックとして使用される場合に、第２分割構成情報は、第１トンネル端点に関する情報であって、ｅＮＢによって割り当てられる情報を更に含む。第１トンネル端点に関する情報は、第１トンネル端点の識別子及び第１トランスポートレイヤアドレスを含む。第１トンネル端点に関する情報は、ダウンリンクデータ伝送のあて先を示すために使用される。第１トンネル端点及び分割されるべきベアラは、一対一の対応にある。更には、第２分割構成情報は、トラフィック制御情報を更に含んでよい。
【０１０８】
Ｓ３０３：ＮＲノードは、分割許可メッセージをｅＮＢへ送り、このとき、分割許可メッセージは、分割されるべきベアラの識別子を含み、分割されるべきベアラは、分割されることを許可され、選択可能な分割ベアラからニュー無線アクセスネットワークのアクセスネットワーク装置によって決定されたベアラである。
【０１０９】
ＮＲノードが、ｅＮＢによって要求された全ての選択可能な分割ベアラを分割することを許可する場合には、分割許可メッセージに含まれる分割されるべきベアラは、全ての選択可能な分割ベアラの識別子である。ＮＲノードが、ｅＮＢによって要求された選択可能な分割ベアラの中の一部を分割することを許可する場合には、分割許可メッセージに含まれる分割されるべきベアラの識別子は、分割されることを許可されるベアラの識別子である。１つ以上の分割されるべきベアラが存在してよい。
【０１１０】
任意に、分割許可メッセージは、第２トンネル端点に関する情報であって、ＮＲノードによって割り当てられる情報を更に含む。第２トンネル端点に関する情報は、アップリンクデータ伝送パスにおけるデータ伝送のあて先を示すために使用される。第２トンネル端点に関する情報は、第２トンネル端点の識別子及び第２トランスポートレイヤアドレスを含む。第２トンネル端点に関する情報は、主に、データ転送のためのデータ転送シナリオにおいて使用される。具体的に言うと、ｅＮＢに分割される全てのダウンリンクデータがＵＥへ送られるわけではない場合に、ｅＮＢは、残りのダウンリンクデータをＮＲノードへ送るために、ＮＲノードによって割り当てられている第２トンネル端点に関する情報を使用してよい。第２トンネル端点及び分割されるべきベアラは、一対一の対応にある。
【０１１１】
ＮＲノードが、ｅＮＢによって要求された選択可能な分割ベアラの中の一部を分割することを許可する場合に、分割許可メッセージは、分割されることを許可されないベアラの識別子を更に含む。分割されることを許可されないベアラに対して、ＮＲノードは、通常の伝送プロシージャに従う送信を実行する。分割されることを許可されない１つ以上のベアラが存在してよい。
【０１１２】
ステップ３０４：ｅＮＢは、ＲＲＣ接続再構成メッセージをＵＥへ送り、このとき、ＲＲＣ接続再構成メッセージは、第１分割構成情報を含む。
【０１１３】
第１分割構成情報は、第２ネットワークのアクセスネットワーク装置がＵＥの分割されるべきデータを分割すべきであることをＵＥに知らせるために使用される。第１分割構成情報は、具体的に、分割されるべきデータの無線リソース構成を含んでよい。分割されるべきデータの無線リソース構成は、分割されるべきベアラのリストにおける識別子、及びＭＡＣ構成情報を含む。分割されるべきベアラのリストは、分割されるべきベアラの識別子と、分割されるべきベアラに対応する分割タイプとを含む。異なるベアラは、異なる分割タイプに対応してよい。
【０１１４】
ステップ３０５：ＵＥは、ＲＲＣ接続再構成完了メッセージをｅＮＢへ送る。
【０１１５】
第１分割構成情報に基づく分割構成を完了した後、ＵＥは、ＲＲＣ接続再構成完了メッセージをｅＮＢへ送る。ＲＲＣ接続再構成完了メッセージを受信した後、ｅＮＢは、ＵＥが構成を完了したと決定する。任意に、ＲＲＣ接続再構成完了メッセージは、構成完了指示情報を更に含んでよい。ＲＲＣ接続再構成完了メッセージを受信した後、ｅＮＢは、構成完了指示情報に基づき、ＵＥが構成を完了したと決定する。
【０１１６】
ステップ３０６：ｅＮＢは、分割完了メッセージをＮＲノードへ送る。
【０１１７】
分割完了メッセージは、ＮＲノードにＵＥのデータを分割するよう指示するために使用される。任意に、分割完了メッセージは、分割指示情報を含む。ｅＮＢは、分割指示情報を使用することによって、ＮＲノードにＵＥのデータを分割するよう指示する。
【０１１８】
この実施形態において、データ分割要求がある場合に、ｅＮＢは、最初に、ＮＲノードのアクセスネットワーク装置にデータ分割を実行するよう要求し、そして、選択可能な分割ベアラの識別子及びＵＥの識別子をＮＲノードのアクセスネットワーク装置へ送る。ＮＲノードのアクセスネットワーク装置は、選択可能な分割ベアラの識別子及びＵＥの識別子に基づき、どのベアラについてデータ分割が許可されるかを決定する。例えば、ＮＲノードのアクセスネットワーク装置は、それ自体の負荷ステータスに基づき、分割を許可すべきかどうかを判定する。選択可能な分割ベアラの一部又は全てが分割されることを許可される場合に、ＮＲノードは分割許可メッセージをｅＮＢへ送る。分割されることを許可されるベアラがない場合には、ＮＲノードは分割拒絶メッセージをｅＮＢへ送る。ｅＮＢが、ＮＲノードのアクセスネットワーク装置によって送られた分割許可メッセージを受信する場合に、ｅＮＢは、分割許可メッセージに基づき、ＮＲノードのアクセスネットワーク装置が分割を許可すると決定する。ｅＮＢはＲＲＣ再構成メッセージをＵＥへ送る。ｅＮＢが、ＮＲノードのアクセスネットワーク装置によって送られた分割拒絶メッセージを受信する場合には、ｅＮＢはＲＲＣ再構成メッセージをＵＥへ送らない。
【０１１９】
本発明の実施形態４は、マルチコネクティビティ通信方法を提供する。この実施形態における方法と実施形態１乃至実施形態３における方法との間の相違点は、この実施形態では、第１ネットワークのアクセスネットワーク装置が第２ネットワークのアクセスネットワークをデータ分割のためのアンカーとして決定する前に、ＵＥが、第１ネットワークのアクセスネットワーク装置にアクセスすることなしに、第２ネットワークのアクセスネットワーク装置にのみアクセスする点にある。従って、この実施形態では、第１分割構成情報は、第２ネットワークのアクセスネットワーク装置がＵＥの分割されるべきデータを分割すべきであることをＵＥに知らせるために使用されるだけでなく、ＵＥに第１ネットワークのアクセスネットワーク装置にアクセスするよう指示するためにも使用される。ＵＥは、第１ネットワークのアクセスネットワーク装置に未だアクセスしていないので、第１ネットワークのアクセスネットワーク装置は、第１分割構成情報をＵＥへ直接送ることができない。代わりに、第１ネットワークのアクセスネットワーク装置は、第２ネットワークのアクセスネットワーク装置を使用することによってのみ、第１分割構成情報をＵＥへ送ることができる。すなわち、第１ネットワークのアクセスネットワーク装置は、第１分割構成情報を第２ネットワークのアクセスネットワーク装置へ送り、そして、第２ネットワークのアクセスネットワーク装置は、第１分割構成情報をＵＥへ転送する。
【０１２０】
然るに、第１分割構成情報は、第１ネットワークのアクセスネットワーク装置におけるＵＥのモビリティ制御情報を更に含む。ＵＥのモビリティ制御情報は、ＵＥの識別子と、第１ネットワークのアクセスネットワーク装置にアクセスするためにＵＥによって使用されるランダム・アクセス・チャネル（Random  Access  Channel  configuration，略してＲＡＣＨ）についての構成情報と、第１ネットワークのアクセスネットワーク装置と通信するためにＵＥによって使用される暗号化アルゴリズムとを含む。ＲＡＣＨ構成情報は、第１ネットワークのアクセスネットワーク装置にアクセスするためにＵＥによって使用される。暗号化アルゴリズムは、キーを生成し、そのキーと、そのキーから導出される、シグナリングプレーン及びユーザプレーンのキーとを使用して、ＵＥと第１ネットワークとの間のデータプレーン及びシグナリングプレーンの暗号化及びインテグリティ保護を実行するために、ＵＥによって使用される。
【０１２１】
第１分割構成情報を受信した後、ＵＥは、第１ネットワークのアクセスネットワーク装置にアクセスするためにＵＥによって使用され、第１分割構成情報に含まれるＰＡＣＨ構成情報に基づき、第１ネットワークのアクセスネットワーク装置にアクセスする。ＵＥが第１ネットワークのアクセスネットワーク装置にアクセスした後、第２ネットワークのアクセスネットワーク装置は、ＵＥの分割されるべきデータを分割し始めてよい。具体的に言うと、ＵＥは、第２ネットワークのアクセスネットワーク装置及び第２ネットワークのアクセスネットワーク装置から別々に同じ分割されるべきベアラ上のデータを受信し、次いでデータを結合する。
【０１２２】
図７は、本発明の実施形態５に従う第１ネットワークのアクセスネットワーク装置の略構造図である。図７に示されるように、この実施形態における第１ネットワークのアクセスネットワーク装置は、決定モジュール１１及び送信モジュール１２を含む。
【０１２３】
決定モジュール１１は、第２ネットワークのアクセスネットワーク装置をデータ分割のためのアンカーとして決定するよう構成される。
【０１２４】
送信モジュール１２は、第１分割構成情報をＵＥへ送るよう構成される。第１分割構成情報は、第２ネットワークのアクセスネットワーク装置がＵＥの分割されるべきデータを分割すべきであることをＵＥに知らせるために使用される。
【０１２５】
送信モジュール１１は、第２分割構成情報を第２ネットワークのアクセスネットワーク装置へ送るよう更に構成される。第２分割構成情報は、第２ネットワークのアクセスネットワーク装置にＵＥの分割されるべきデータを分割するよう指示するために使用される。
【０１２６】
任意に、第１分割構成情報は、分割されるべきデータの無線リソース構成を含み、分割されるべきデータの無線リソース構成は、分割されるべきベアラの識別子及び媒体アクセス制御（ＭＡＣ）構成情報を含む。第２分割構成情報は、分割されるべきベアラの識別子及びＵＥの識別子を含む。
【０１２７】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端末に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【０１２８】
任意に、送信モジュール１２は、第１分割構成情報をＵＥへ送る前に、分割要求メッセージを第２ネットワークのアクセスネットワーク装置へ送るよう更に構成される。分割要求メッセージは、選択可能な分割ベアラの識別子及びＵＥの識別子を含み、選択可能な分割ベアラは、少なくとも、分割されるべきベアラを含む。相応して、第１ネットワークのアクセスネットワーク装置は、受信モジュール（図７に図示せず。）を更に含む。受信モジュールは、第２ネットワークのアクセスネットワーク装置によって送られた分割許可メッセージを受信するよう構成される。分割許可メッセージは、分割されるべきベアラの識別子を含み、分割されるべきベアラは、分割されることを許可され、選択可能な分割ベアラから第２ネットワークのアクセスネットワーク装置によって決定されたベアラである。送信モジュール１２は、分割許可メッセージに基づき第１分割構成情報をＵＥへ送るよう特に構成される。
【０１２９】
任意に、送信モジュール１２は、分割コマンドを第２ネットワークのアクセスネットワーク装置へ送るよう特に構成される。分割コマンドは、第２分割構成情報を含む。
【０１３０】
任意に、第１分割構成情報は、ＵＥに第１ネットワークのアクセスネットワーク装置にアクセスするよう指示するために更に使用される。第１ネットワークのアクセスネットワーク装置によって第１分割構成情報をＵＥへ送ることは、具体的に：第１ネットワークのアクセスネットワーク装置によって、第２ネットワークのアクセスネットワーク装置を使用することによって第１分割構成情報をＵＥへ送ることである。然るに、第１分割構成情報は、第１ネットワークのアクセスネットワーク装置におけるＵＥのモビリティ制御情報を更に含む。ＵＥのモビリティ制御情報は、ＵＥの識別子と、第１ネットワークのアクセスネットワーク装置にアクセスするためにＵＥによって使用されるランダム・アクセス・チャネルＲＡＣＨについての構成情報と、第１ネットワークのアクセスネットワーク装置と通信するためにＵＥによって使用される暗号化アルゴリズムとを含む。
【０１３１】
代替的に、この実施形態における送信モジュール１２は、２つの機能ユニット、すなわち、第１送信モジュール及び第２送信モジュール、によって実装されてよい点が留意されるべきである。第１送信モジュールは、データをＵＥへ送るよう構成される。第２送信モジュールは、データを第２ネットワークのアクセス装置へ送るよう構成される。第１ネットワークがＬＴＥネットワークであり、第２ネットワークがニュー無線アクセスネットワークである場合に、第２送信モジュールは、外部からＸ５インターフェイスを与える。Ｘ５インターフェイスは、ＬＴＥネットワークのアクセスネットワーク装置とニュー無線アクセスネットワークのアクセス装置との間に新たに加えられたインターフェイスである。その上、第１送信モジュール及び第２送信モジュールは、２つの物理ユニットによって実装されてよい。確かに、第１送信モジュール及び第２送信モジュールは、代替的に、１つの物理ユニットによって実装されてよい。これは、ここで限定されない。
【０１３２】
図８は、本発明の実施形態６に従う第２ネットワークのアクセスネットワーク装置の略構造図である。図８に示されるように、この実施形態で提供される第２ネットワークのアクセスネットワーク装置は、受信モジュール２１及び分割モジュール２２を含む。
【０１３３】
受信モジュール２１は、第１ネットワークのアクセスネットワーク装置によって送られた第２分割構成情報を受信するよう構成される。第２分割構成情報は、第２ネットワークのアクセスネットワーク装置にユーザ機器（ＵＥ）の分割されるべきデータを分割するよう指示するために使用される。
【０１３４】
分割モジュール２２は、第２分割構成情報に基づきＵＥの分割されるべきデータを分割するよう構成される。
【０１３５】
第２分割構成情報は、分割されるべきベアラの識別子及びＵＥの識別子を含む。
【０１３６】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端末に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【０１３７】
任意に、受信モジュール２１は、第１ネットワークのアクセスネットワーク装置によって送られた分割コマンドを受信するよう特に構成される。分割コマンドは、第２分割構成情報を含む。
【０１３８】
任意に、受信モジュール２１は、第１ネットワークのアクセスネットワーク装置によって送られた分割要求メッセージを受信するよう特に構成される。分割要求メッセージは、選択可能な分割ベアラの識別子及びＵＥの識別子を含み、選択可能な分割ベアラは、少なくとも、分割されるべきベアラを含む。相応して、第２ネットワークのアクセスネットワーク装置は、送信モジュール（図８に図示せず。）を更に含む。送信モジュールは、分割許可メッセージを第１ネットワークのアクセスネットワーク装置へ送るよう構成される。分割許可メッセージは、分割されるべきベアラの識別子を含み、分割されるべきベアラは、分割されることを許可され、選択可能な分割ベアラから第２ネットワークのアクセスネットワーク装置によって決定されたベアラである。
【０１３９】
図９は、本発明の実施形態６に従うＵＥの略構造図である。図９に示されるように、この実施形態で提供されるＵＥは、受信モジュール３１及び送信モジュール３２を含む。
【０１４０】
受信モジュール３１は、第１ネットワークのアクセスネットワーク装置によって送られた第１分割構成情報を受信するよう構成される。第１分割構成情報は、第２ネットワークのアクセスネットワーク装置がＵＥの分割されるべきデータを分割すべきであることをＵＥに知らせるために使用される。
【０１４１】
受信モジュール３１は、第１分割構成情報に基づき、分割されるべきデータを受信するよう更に構成される。
【０１４２】
送信モジュール３２は、第１分割構成情報に基づき、分割されるべきデータを送信するよう構成される。
【０１４３】
任意に、第１分割構成情報は、分割されるべきデータの無線リソース構成を含み、分割されるべきデータの無線リソース構成は、分割されるべきベアラの識別子及び媒体アクセス制御（ＭＡＣ）構成情報を含む。
【０１４４】
図１０は、本発明の実施形態８に従うＵＥの略構造図である。図１０に示されるように、この実施形態で提供されるＵＥは、受信モジュール４１、アクセスモジュール４２、及び送信モジュール４３を含む。
【０１４５】
受信モジュール４１は、第１ネットワークのアクセスネットワーク装置によって送られた第１分割構成情報を受信するよう構成される。第１分割構成情報は、第２ネットワークのアクセスネットワーク装置がＵＥの分割されるべきデータを分割すべきであることをＵＥに知らせるために使用されるとともに、ＵＥに第１ネットワークのアクセスネットワーク装置にアクセスするよう指示するために使用される。
【０１４６】
アクセスモジュール４２は、第１分割構成情報に基づき第１ネットワークのアクセスネットワーク装置にアクセスするよう構成される。
【０１４７】
受信モジュール４１は、ＵＥが第１ネットワークのアクセスネットワーク装置にアクセスした後、第１分割構成情報に基づき、分割されるべきデータを受信するよう更に構成される。
【０１４８】
送信モジュール４３は、ＵＥが第１ネットワークのアクセスネットワーク装置にアクセスした後、第１分割構成情報に基づき、分割されるべきデータを送信するよう構成される。
【０１４９】
任意に、第１分割構成情報は、分割されるべきデータの無線リソース構成と、第１ネットワークのアクセスネットワーク装置におけるＵＥのモビリティ制御情報とを含む。分割されるべきデータの無線リソース構成は、分割されるべきベアラの識別子及び媒体アクセス制御（ＭＡＣ）構成情報を含む。ＵＥのモビリティ制御情報は、ＵＥの識別子と、第１ネットワークのアクセスネットワーク装置にアクセスするためにＵＥによって使用されるランダム・アクセス・チャネルＲＡＣＨについての構成情報と、第１ネットワークのアクセスネットワーク装置と通信するためにＵＥによって使用される暗号化アルゴリズムとを含む。
【０１５０】
図１１は、本発明の実施形態９に従う第１ネットワークのアクセスネットワーク装置の略構造図である。図１１に示されるように、この実施形態で提供される第１ネットワークのアクセスネットワーク装置は、プロセッサ５１及び送信器５２を含む。送信器５２は、通信バスを使用することによってプロセッサ５１へ接続されてそれと通信する。
【０１５１】
プロセッサ５１は、第２ネットワークのアクセスネットワーク装置をデータ分割のためのアンカーとして決定するよう構成される。
【０１５２】
送信器５２は、第１分割構成情報をＵＥへ送るよう構成される。第１分割構成情報は、第２ネットワークのアクセスネットワーク装置がＵＥの分割されるべきデータを分割すべきであることをＵＥに知らせるために使用される。
【０１５３】
送信器５２は、第２分割構成情報を第２ネットワークのアクセスネットワーク装置へ送るよう更に構成される。第２分割構成情報は、第２ネットワークのアクセスネットワーク装置にＵＥの分割されるべきデータを分割するよう指示するために使用される。
【０１５４】
任意に、第１分割構成情報は、分割されるべきデータの無線リソース構成を含み、分割されるべきデータの無線リソース構成は、分割されるべきベアラの識別子及び媒体アクセス制御（ＭＡＣ）構成情報を含む。第２分割構成情報は、分割されるべきベアラの識別子及びＵＥの識別子を含む。
【０１５５】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端末に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【０１５６】
任意に、第１分割構成情報は、ＵＥに第１ネットワークのアクセスネットワーク装置にアクセスするよう指示するために更に使用される。第１ネットワークのアクセスネットワーク装置によって第１分割構成情報をＵＥへ送ることは、具体的に：第１ネットワークのアクセスネットワーク装置によって、第２ネットワークのアクセスネットワーク装置を使用することによって第１分割構成情報をＵＥへ送ることである。然るに、第１分割構成情報は、第１ネットワークのアクセスネットワーク装置におけるＵＥのモビリティ制御情報を更に含む。ＵＥのモビリティ制御情報は、ＵＥの識別子と、第１ネットワークのアクセスネットワーク装置にアクセスするためにＵＥによって使用されるランダム・アクセス・チャネルＲＡＣＨについての構成情報と、第１ネットワークのアクセスネットワーク装置と通信するためにＵＥによって使用される暗号化アルゴリズムとを含む。
【０１５７】
任意に、送信器５２は、分割コマンドを第２ネットワークのアクセスネットワーク装置へ送るよう特に構成される。分割コマンドは、第２分割構成情報を含む。
【０１５８】
任意に、送信器５２は、第１分割構成情報をＵＥへ送る前に、分割要求メッセージを第２ネットワークのアクセスネットワーク装置へ送るよう更に構成される。分割要求メッセージは、選択可能な分割ベアラの識別子及びＵＥの識別子を含み、選択可能な分割ベアラは、少なくとも、分割されるべきベアラを含む。
【０１５９】
任意に、第１ネットワークのアクセスネットワーク装置は受信器５３を更に含む。受信器５３は、通信バスを使用することによってプロセッサ５１へ接続されてそれと通信する。受信器５３は、第２ネットワークのアクセスネットワーク装置によって送られた分割許可メッセージを受信するよう構成される。分割許可メッセージは、分割されるべきベアラの識別子を含み、分割されるべきベアラは、分割されることを許可され、選択可能な分割ベアラから第２ネットワークのアクセスネットワーク装置によって決定されたベアラである。送信器５２は、分割許可メッセージに基づき第１分割構成情報をＵＥへ送るよう特に構成される。
【０１６０】
代替的に、この実施形態における送信器５２は、２つの独立した物理送信器、すなわち、第１送信器及び第２送信器、によって実装されてよい点が留意されるべきである。第１送信器は、データをＵＥへ送るよう構成される。第２送信器は、データを第２ネットワークのアクセス装置へ送るよう構成される。第１ネットワークがＬＴＥネットワークであり、第２ネットワークがニュー無線アクセスネットワークである場合に、第２送信器は、外部からＸ５インターフェイスを与える。Ｘ５インターフェイスは、ＬＴＥネットワークのアクセスネットワーク装置とニュー無線アクセスネットワークのアクセス装置との間に新たに加えられたインターフェイスである。
【０１６１】
図１２は、本発明の実施形態１０に従う第２ネットワークのアクセスネットワーク装置の略構造図である。図１２に示されるように、この実施形態で提供される第２ネットワークのアクセスネットワーク装置は、プロセッサ６１及び受信器６２を含む。受信器６２は、通信バスを使用することによってプロセッサ６１へ接続されてそれと通信する。
【０１６２】
受信器６２は、第１ネットワークのアクセスネットワーク装置によって送られた第２分割構成情報を受信するよう構成される。第２分割構成情報は、第２ネットワークのアクセスネットワーク装置にユーザ機器（ＵＥ）の分割されるべきデータを分割するよう指示するために使用される。
【０１６３】
プロセッサ６１は、第２分割構成情報に基づきＵＥの分割されるべきデータを分割するよう構成される。
【０１６４】
任意に、第２分割構成情報は、分割されるべきベアラの識別子及びＵＥの識別子を含む。
【０１６５】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端末に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【０１６６】
任意に、受信器６２は、第１ネットワークのアクセスネットワーク装置によって送られた分割コマンドを受信するよう特に構成される。分割コマンドは、第２分割構成情報を含む。
【０１６７】
任意に、受信器６２は、第１ネットワークのアクセスネットワーク装置によって送られた分割要求メッセージを受信するよう特に構成される。分割要求メッセージは、選択可能な分割ベアラの識別子及びＵＥの識別子を含み、選択可能な分割ベアラは、少なくとも、分割されるべきベアラを含む。
【０１６８】
任意に、第２ネットワークのアクセスネットワーク装置は、送信器６３を更に含む。送信器は、通信バスを使用することによってプロセッサ６１へ接続されてそれと通信する。送信器６３は、分割許可メッセージを第１ネットワークのアクセスネットワーク装置へ送るよう構成される。分割許可メッセージは、分割されるべきベアラの識別子を含み、分割されるべきベアラは、分割されることを許可され、選択可能な分割ベアラから第２ネットワークのアクセスネットワーク装置によって決定されたベアラである。
【０１６９】
図１３は、本発明の実施形態１１に従うＵＥの略構造図である。図１３に示されるように、この実施形態で提供されるＵＥは、プロセッサ７１、受信器７２、及び送信器７３を含む。受信器７２及び送信器７３は、通信バスを使用することによってプロセッサ７１へ接続されてそれと通信する。
【０１７０】
受信器７２は、第１ネットワークのアクセスネットワーク装置によって送られた第１分割構成情報を受信するよう構成される。第１分割構成情報は、第２ネットワークのアクセスネットワーク装置がＵＥの分割されるべきデータを分割すべきであることをＵＥに知らせるために使用される。
【０１７１】
プロセッサ７１は、分割されるべきデータを第１分割構成情報に基づき受信するように受信器７２を制御するよう構成される。
【０１７２】
プロセッサ７１は、分割されるべきデータを第１分割構成情報に基づき送信するように送信器７３を制御するよう更に構成される。
【０１７３】
任意に、第１分割構成情報は、分割されるべきデータの無線リソース構成を含み、分割されるべきデータの無線リソース構成は、分割されるべきベアラの識別子及び媒体アクセス制御（ＭＡＣ）構成情報を含む。
【０１７４】
本発明の実施形態１２は、ＵＥを提供する。この実施形態におけるＵＥの構造は、図１３に示されるＵＥの構造と同じである。詳細については、図１３を参照されたい。この実施形態において、受信器７２は、第１ネットワークのアクセスネットワーク装置によって送られた第１分割構成情報を受信するよう構成される。第１分割構成情報は、第２ネットワークのアクセスネットワーク装置がＵＥの分割されるべきデータを分割すべきであることをＵＥに知らせるために使用されるとともに、ＵＥに第１ネットワークのアクセスネットワーク装置にアクセスするよう指示するために使用される。
【０１７５】
プロセッサ７１は、第１分割構成情報に基づき第１ネットワークのアクセスネットワーク装置にアクセスするよう構成される。
【０１７６】
受信器７２は、第１分割構成情報に基づき、分割されるべきデータを受信するよう更に構成される。
【０１７７】
送信器７３は、ＵＥが第１ネットワークのアクセスネットワーク装置にアクセスした後、第１分割構成情報に基づき、分割されるべきデータを送信するよう構成される。
【０１７８】
任意に、第１分割構成情報は、分割されるべきデータの無線リソース構成と、第１ネットワークのアクセスネットワーク装置におけるＵＥのモビリティ制御情報とを含む。分割されるべきデータの無線リソース構成は、分割されるべきベアラの識別子及び媒体アクセス制御（ＭＡＣ）構成情報を含む。ＵＥのモビリティ制御情報は、ＵＥの識別子と、第１ネットワークのアクセスネットワーク装置にアクセスするためにＵＥによって使用されるランダム・アクセス・チャネルＲＡＣＨについての構成情報と、第１ネットワークのアクセスネットワーク装置と通信するためにＵＥによって使用される暗号化アルゴリズムとを含む。
【０１７９】
図１４は、本発明の実施形態１３に従う通信システムの略構造図である。図１４に示されるように、この実施形態で提供される通信システムは、第１ネットワークのアクセスネットワーク装置８１と、第２ネットワークのアクセスネットワーク装置８２と、ＵＥ８３とを含む。第１ネットワークのアクセスネットワーク装置８１、第２ネットワークのアクセスネットワーク装置８２、及びＵＥ８３は、前述の実施形態における方法を実行するよう構成されてよい。それらの具体的な実施及び技術的効果は同じようであり、再びここで説明されない。
【０１８０】
図１５は、本発明の実施形態１４に従うマルチコネクティビティ通信方法のフローチャートである。この実施形態は、第１ネットワークがＬＴＥネットワークであり、第２ネットワークがニュー無線アクセスネットワークである例を使用することによって、記載される。第１ネットワークのアクセスネットワーク装置はｅＮＢであり、第２ネットワークのアクセスネットワーク装置はＮＲノードである。図１５に示されるように、この実施形態で提供される方法は、次のステップを含む。
【０１８１】
ステップ４０１：ＮＲノードは、分割要求メッセージをｅＮＢへ送る。
【０１８２】
分割要求メッセージは、ＵＥの分割されるべきデータを分割するよう要求するために使用され、分割要求メッセージは、選択可能な分割ベアラの識別子を含む。任意に、分割要求メッセージは、１つ以上のタイプの次の情報：分割タイプ、ＵＥの識別子、選択可能な分割ベアラのＱｏＳ要件情報、トラフィック制御情報、第２トンネル端点に関する情報、第１ネットワークにおけるＵＥのスループットの報告指示情報、及び第１ネットワークにおけるＵＥのピークレートの報告指示情報、を更に含む。
【０１８３】
トラフィック制御情報は、ＮＲノードがデータ分割を実行しているときに第１ネットワークのアクセスネットワーク装置が運ぶことができる最大トラフィックを示すために使用され、それによって、過度に多い又は少ないトラフィックが分割されることを回避する。第２ネットワークのアクセスネットワーク装置が過度に大量のデータを伝送のために第１ネットワークのアクセスネットワーク装置に分ける場合には、ネットワーク全体のスループットの低下が、第１ネットワークのアクセスネットワーク装置の比較的遅い伝送レートに起因して引き起こされる。第１ネットワークにおけるＵＥのスループットの報告指示情報は、第１ネットワークのアクセスネットワーク装置に第１ネットワークにおけるＵＥのスループットを報告するよう指示するために使用される。第１ネットワークにおけるＵＥのピークレートの報告指示情報は、第１ネットワークのアクセスネットワーク装置に第１ネットワークにおけるＵＥのピークレートを報告するよう指示するために使用される。第１ネットワークにおけるＵＥのスループット又はピークレートは、ベアラに基づいても、又はＵＥに基づいてもよい。ＮＲノードは更に、第１ネットワークにおけるＵＥのスループット又はピークレートに基づき、ｅＮＢに分割されるデータの量を決定してよい。
【０１８４】
第２トンネル端点に関する情報は、アップリンクデータ伝送のあて先を示すために使用される。第２トンネル端点に関する情報は、第２トンネル端点の識別子及び第２トランスポートレイヤアドレスを含む。第２トンネル端点に関する情報は、主に、データ転送のためのデータ転送シナリオにおいて使用される。具体的に言うと、ｅＮＢに分割される全てのダウンリンクデータがＵＥへ送られるわけではない場合に、ｅＮＢは、残りのダウンリンクデータをＮＲノードへ送るために、ＮＲノードによって割り当てられている第２トンネル端点に関する情報を使用してよい。第２トンネル端点及び分割されるべきベアラは、一対一の対応にある。
【０１８５】
任意に、このステップより前に、ＮＲノードは、ＵＥのデータを分割すると決定する。具体的に、前述の実施形態とは異なり、この実施形態では、ＮＲノードは決定すべきであるから、ＮＲノードは、決定するための意思決定情報を取得する必要がある。意思決定情報は、ＮＲのエア・インターフェイスの品質、ＵＥの測定結果、基地局の負荷情報、などを含む。ＵＥの測定結果は、ｅＮＢについてのＵＥの測定結果、及びＮＲノードについてのＵＥの測定結果を含む。意思決定情報は、意思決定より前に取得される必要がある。ｅＮＢは、ｅＮＢとＮＲノードとの間のインターフェイスを通じて新しいメッセージを使用することによって測定結果を交換してよい。これは、本発明において限定されない。
【０１８６】
ステップ４０２：ｅＮＢは、分割されるべきベアラを、選択可能な分割ベアラから決定する。
【０１８７】
ｅＮＢは、要求されている選択可能な分割ベアラの全てを分割することをＮＲノードに許可してよく、あるいは、要求されている選択可能な分割ベアラのほんの一部を分割することＮＲノードに許可してよい。
【０１８８】
ステップ４０２は任意のステップである。このステップが選択されない場合には、ｅＮＢは、デフォルトで、ＮＲノードによって要求された全てのベアラが分割され得ると見なす。
【０１８９】
ステップ４０３：ｅＮＢは、分割応答メッセージをＮＲノードへ送る。
【０１９０】
分割応答メッセージは、分割されるべきベアラの識別子を含む。ｅＮＢが、全ての要求されている選択可能な分割ベアラを分割することをＮＲノードに許可する場合には、分割応答メッセージに含まれる分割されるべきベアラは、全ての選択可能な分割ベアラの識別子である。ｅＮＢが、要求されている選択可能な分割ベアラの中の一部を分割することをＮＲノードに許可する場合には、分割許可メッセージに含まれる分割されるべきベアラの識別子は、分割されることを許可されるベアラの識別子である。１つ以上の分割されるべきベアラが存在してよい。ｅＮＢが、要求されている選択可能な分割ベアラの一部を分割することをＮＲノードに許可する場合に、任意に、分割応答メッセージは、分割されることを許可されないベアラの識別子を更に含む。分割されることを許可されないベアラに対して、ＮＲノードは、通常の伝送プロシージャに従う送信を実行する。分割されることを許可されない１つ以上のベアラが存在してよい。
【０１９１】
任意に、分割応答メッセージは、１つ以上のタイプの次の情報：第１トンネル端点に関する情報、ＵＥの測定結果、分割タイプ、第１ネットワークにおけるＵＥのスループット、及び第１ネットワークにおけるＵＥのピークレート、を更に含む。第１トンネル端点に関する情報は、ダウンリンクデータ伝送のあて先を示すために使用される。第１トンネル端点に関する情報は、第１トンネル端点の識別子及び第１トランスポートレイヤアドレスを含む。第１トンネル端点に関する情報は、ダウンリンクデータ伝送のあて先を示すために使用される。第１トンネル端点及び分割されるべきベアラは、一対一の対応にある。第１ネットワークにおけるＵＥのスループット及びピークレートは、分割応答メッセージにおいて、報告指示情報に基づきｅＮＢによって送られる。第１ネットワークにおけるＵＥのスループット及びピークレートは、主に、ｅＮＢに分割されるデータの量を決定するためにＮＲノードによって使用される。
【０１９２】
ＵＥの測定結果は、その後に分割決定を行うために、ＮＲノードによって使用される。分割タイプは、本発明で新たに定義されたタイプであり、分割タイプは、ＮＲノードにｅＮＢ及びＵＥからの分割データを集約するよう指示するために使用される。既存の分割タイプは、分割ベアラタイプ及びＳＣＧベアラタイプを含む。本発明で新たに定義されたタイプは、ＳＣＧ分割ベアラタイプと呼ばれ得る。ＳＣＧ分割ベアラタイプがＮＲノードのために構成されている場合に、ＳＣＧ分割ベアラタイプは、分割応答メッセージにおいて伝えられる必要がない。
【０１９３】
ステップ４０４：ｅＮＢは、第１分割構成情報をＵＥへ送る。
【０１９４】
第１分割構成情報は、ＮＲノードが分割されるべきベアラを分割すべきであることをＵＥに知らせるために使用される。任意に、第１分割構成情報は、１つ以上のタイプの次の情報：無線リソース構成情報及びモビリティ制御情報、を更に含む。無線リソース構成情報は、１つ以上のタイプの次の情報：分割されるべきベアラのリスト、ＭＡＣ構成情報、など、を含む。分割されるべきベアラのリストは、分割されるべきベアラの識別子と、分割されるべきベアラに対応する分割タイプとを含む。異なるベアラは、異なる分割タイプに対応してよい。モビリティ制御情報は、１つ以上のタイプの次の情報：ＵＥの識別子、ランダムアクセス制御構成情報、暗号化アルゴリズム、など、を含む。無線リソース構成情報及びモビリティ制御情報は、ＮＲノードが分割を実行すると決定する前に、ＵＥがｅＮＢにアクセスせずにＮＲノードにのみアクセスする場合に、使用される。この場合に、ＵＥは、無線リソース構成情報及びモビリティ制御情報に基づきｅＮＢにアクセスする。
【０１９５】
ｅＮＢは、第１分割構成メッセージをＲＲＣ再構成メッセージに付加してよい。確かに、ｅＮＢは、代替的に、第１分割構成メッセージを他の既存のメッセージ又は新たに定義されたメッセージに付加してもよい。これは、本発明において限定されない。
【０１９６】
ステップＳ４０５：ＵＥは、構成応答メッセージをｅＮＢへ送る。
【０１９７】
第１分割構成情報を受信した後、ＵＥは分割構成を実行する。任意に、構成を完了した後、ＵＥは構成応答メッセージをｅＮＢへ送ってよい。構成応答メッセージは、ＲＲＣ再構成完了メッセージであってよく、確かに、代替的に、他のメッセージであってもよい。任意に、ＵＥは、構成応答メッセージを送らなくてもよい。ある期間第１分割構成情報を送った後、ｅＮＢは、デフォルトで、ＵＥが構成を完了したと見なす。
【０１９８】
ステップ４０６：ｅＮＢは、分割構成完了メッセージをＮＲノードへ送る。
【０１９９】
ＵＥが分割構成を完了したと決定した後、ｅＮＢは、分割構成が完了され、分割が開始可能であることをＮＲノードに知らせるよう、分割構成完了メッセージをＮＲノードへ送る。
【０２００】
ステップ４０６は任意のステップである。このステップが省略される場合には、ＮＲノードは、ｅＮＢによって送られた分割応答メッセージを受信した後に分割を開始し得る、とデフォルトで考えられる。
【０２０１】
この実施形態において、ＮＲノードは、ＵＥのデータを分割すると決定し、次いで、分割要求メッセージをｅＮＢへ送る。分割要求メッセージは、選択可能な分割ベアラの識別子を含む。ｅＮＢは、分割されるべきベアラを、選択可能な分割ベアラから決定し、そして、分割されるべきベアラをＮＲノードへ送る。次いで、ｅＮＢは、第１分割構成情報をＵＥへ送る。第１分割構成情報は、ＮＲノードが分割されるべきベアラを分割すべきであることをＵＥに知らせるために使用される。ＵＥが構成を完了した後、ｅＮＢは、分割構成完了メッセージをＮＲノードへ送る。ＮＲノードは、伝送効率を改善し且つスループットを増大させるよう、ＵＥの一部のデータを伝送のためにｅＮＢへ分ける。
【０２０２】
図１６は、本発明の実施形態１５に従う第１ネットワークのアクセスネットワーク装置の略構造図である。図１６に示されるように、この実施形態で提供される第１ネットワークのアクセスネットワーク装置は：
第１ネットワークのアクセスネットワーク装置によって送られた分割要求メッセージを受信するよう構成され、分割要求メッセージが選択可能な分割ベアラの識別子を含む、受信モジュール９１と；
分割応答メッセージを第２ネットワークのアクセスネットワーク装置へ送るよう構成され、分割応答メッセージが分割されるべきベアラの識別子を含み、分割されるべきベアラが選択可能な分割ベアラの一部又は全てである、送信モジュール９２と
を含む。
【０２０３】
送信モジュール９２は、第１分割構成情報をＵＥへ送るよう更に構成される。第１分割構成情報は、第２ネットワークのアクセスネットワーク装置が分割されるべきベアラを分割すべきであることをＵＥに知らせるために使用され、第１分割構成情報は、分割されるべきベアラの識別子を含む。
【０２０４】
任意に、送信モジュール９２は、無線リソース制御（ＲＲＣ）再構成メッセージをＵＥへ送るよう特に構成される。ＲＲＣ再構成メッセージは、第１分割構成情報を含む。
【０２０５】
任意に、送信モジュール９２は、分割構成完了メッセージを第２ネットワークのアクセスネットワーク装置へ送るよう更に構成される。
【０２０６】
図１７は、本発明の実施形態１６に従う第２ネットワークのアクセスネットワーク装置の略構造図である。図１７に示されるように、この実施形態で提供される第２ネットワークのアクセスネットワーク装置は：
分割要求メッセージを第１ネットワークのアクセスネットワーク装置へ送るよう構成され、分割要求メッセージが選択可能な分割ベアラの識別子を含む、送信モジュール１１１と；
第１ネットワークのアクセスネットワーク装置によって送られた分割応答メッセージを受信するよう構成され、分割応答メッセージが分割されるべきベアラの識別子を含み、分割されるべきベアラが選択可能な分割ベアラの一部又は全てである、受信モジュール１１２と
を含む。
【０２０７】
任意に、受信モジュール１１２は、第１ネットワークのアクセスネットワーク装置によって送られた分割構成完了メッセージを受信するよう更に構成される。
【０２０８】
本発明の実施形態１７は、ＵＥを提供する。この実施形態において、ＵＥは受信モジュールを含む。受信モジュールは、第１ネットワークのアクセスネットワーク装置によって送られた第１分割構成情報を受信するよう構成される。第１分割構成情報は、第２ネットワークのアクセスネットワーク装置が分割されるべきベアラを分割すべきであることをＵＥに知らせるために使用され、第１分割構成情報は、分割されるべきベアラの識別子を含む。
【０２０９】
本発明の実施形態１８は、第１ネットワークのアクセスネットワーク装置を提供する。この実施形態における第１ネットワークのアクセスネットワーク装置の構造は、図１１に示される第１ネットワークのアクセスネットワーク装置の構造と同じである。図１１に示されるように、この実施形態では：
プロセッサ５１は、第２ネットワークのアクセスネットワーク装置によって送られた分割要求メッセージを受信するように受信器５３を制御するよう構成される。分割要求メッセージは、選択可能な分割ベアラの識別子を含む。
【０２１０】
プロセッサ５１は、分割応答メッセージを第２ネットワークのアクセスネットワーク装置へ送るように送信器５２を制御するよう更に構成される。分割応答メッセージは、分割されるべきベアラの識別子を含み、分割されるべきベアラは、選択可能な分割ベアラの一部又は全てである。
【０２１１】
プロセッサ５１は、第１分割構成情報をユーザ機器（ＵＥ）へ送るように送信器５２を制御するよう更に構成される。第１分割構成情報は、第２ネットワークのアクセスネットワーク装置が分割されるべきベアラを分割すべきであることをＵＥに知らせるために使用され、第１分割構成情報は、分割されるべきベアラの識別子を含む。
【０２１２】
任意に、送信器５２は、無線リソース制御（ＲＲＣ）再構成メッセージをＵＥへ送るよう特に構成される。ＲＲＣ再構成メッセージは、第１分割構成情報を含む。
【０２１３】
任意に、プロセッサ５１は、分割構成完了メッセージを第２ネットワークのアクセスネットワーク装置へ送るように送信器を制御するよう更に構成される。
【０２１４】
本発明の実施形態１９は、第２ネットワークのアクセスネットワーク装置を提供する。この実施形態における第２ネットワークのアクセスネットワーク装置の構造は、図１２に示される第２ネットワークのアクセスネットワーク装置の構造と同じである。図１２に示されるように、この実施形態では：
プロセッサ６１は、分割要求メッセージを第１ネットワークのアクセスネットワーク装置へ送るように送信器６３を制御するよう構成される。分割要求メッセージは、選択可能な分割ベアラの識別子を含む。
【０２１５】
プロセッサ６１は、第１ネットワークのアクセスネットワーク装置によって送られた分割応答メッセージを受信するように受信器６２を制御するよう更に構成される。分割応答メッセージは、分割されるべきベアラの識別子を含み、分割されるべきベアラは、選択可能な分割ベアラの一部又は全てである。
【０２１６】
任意に、プロセッサ６１は、第１ネットワークのアクセスネットワーク装置によって送られた分割構成完了メッセージを受信するように受信器６２を制御するよう更に構成される。
【０２１７】
図１８は、本発明の実施形態２０に従うＵＥの略構造図である。図１８に示されるように、この実施形態において、ＵＥは、プロセッサ２１１及び受信器２１２を含む。
【０２１８】
プロセッサ２１１は、第１ネットワークのアクセスネットワーク装置によって送られた第１分割構成情報を受信するように受信器２１２を制御するよう構成される。第１分割構成情報は、第２ネットワークのアクセスネットワーク装置が分割されるべきベアラを分割すべきであることをＵＥに知らせるために使用され、第１分割構成情報は、分割されるべきベアラの識別子を含む。
【０２１９】
本発明の実施形態１５乃至実施形態２０において、分割要求メッセージは、１つ以上のタイプの次の情報：分割タイプ、ＵＥの識別子、選択可能な分割ベアラのクオリティ・オブ・サービス（ＱｏＳ）要件情報、トラフィック制御情報、第２トンネル端点に関する情報、第１ネットワークにおけるＵＥのスループットの報告指示情報、及び第１ネットワークにおけるＵＥのピークレートの報告指示情報、を更に含む点が留意されるべきである。トラフィック制御情報は、第２ネットワークのアクセスネットワーク装置がデータ分割を実行しているときに第１ネットワークのアクセスネットワーク装置が運ぶことができる最大トラフィックを示すために使用され、第２トンネル端点に関する情報は、アップリンクデータ伝送のあて先を示すために使用される。
【０２２０】
本発明の実施形態１５乃至実施形態２０において、分割応答メッセージは、１つ以上のタイプの次の情報：第１トンネル端点に関する情報、ＵＥの測定結果、分割タイプ、第１ネットワークにおけるＵＥの前記スループット、及び第１ネットワークにおけるＵＥの前記ピークレート、を更に含む。第１トンネル端点に関する情報は、ダウンリンクデータ伝送のあて先を示すために使用される。
【０２２１】
本発明の実施形態１５乃至実施形態２０において、第１分割構成情報は、１つ以上のタイプの次の情報：ＭＡＣ構成情報及び分割タイプ、を更に含む。
【０２２２】
加えて、本発明の実施形態１５乃至実施形態２０の具体的な実施については、実施形態１４における関連する記載を参照されたい。詳細については、再びここで記載されない。
【０２２３】
本発明で提供されるいくつかの実施形態において、開示されている装置及び方法は、他の様態で実装されてもよい点が理解されるべきである。例えば、記載されている装置の実施形態は一例にすぎない。例えば、ユニット区分は、論理的な機能区分にすぎず、実際の実施では他の区分であってもよい。例えば、複数のユニット又はコンポーネントが、組み合わされるか又は他のシステムに一体化されてもよく、あるいは、いくつかの特徴は、無視されるか又は実行されなくてもよい。加えて、表示又は説明されている相互結合又は直接的な結合若しくは通信接続は、いくつかのインターフェイスを使用することによって実装されてよい。装置又はユニット間の間接的な結合又は通信接続は、電気的、機械的、又は他の形態において実装されてよい。
【０２２４】
別個の部分として記載されているユニットは、物理的に別々であっても又はなくてもよく、ユニットとして表示されている部分は、物理ユニットであっても又はなくてもよく、１つのポジションに位置付けられてもよく、あるいは、複数のネットワークユニットにおいて分散されてもよい。ユニットの一部又は全ては、実施形態の解決法の目的を達成するよう、実際のニーズに従って選択されてよい。
【０２２５】
加えて、本発明の実施形態における機能ユニットは、１つの処理ユニットに一体化されてもよく、あるいは、ユニットの夫々は、物理的に単独で存在してもよく、あるいは、２つ以上のユニットが１つのユニットにまとめられる。一体化されたユニットは、ハードウェアの形で実装されてよく、あるいは、ソフトウェア機能ユニットに加えてハードウェアの形で実装されてもよい。
【０２２６】
前述の一体化されたユニットがソフトウェア機能ユニットの形で実装される場合に、一体化されたユニットは、コンピュータ可読記憶媒体に記憶されてよい。ソフトウェア機能ユニットは、記憶媒体に記憶され、コンピュータ装置（パーソナル・コンピュータ、サーバ、ネットワーク装置、などであってよい。）又はプロセッサ（英語：processor）に、本発明の実施形態で記載されている方法のステップの一部を実行するよう指示するためのいくつかの命令を含む。前述の記憶媒体は、ＵＳＢフラッシュ・ドライブ、リムーバブル・ハード・ディスク、リード・オンリー・メモリ（英語：Read-Only  Memory，略してＲＯＭ）、ランダム・アクセス・メモリ（英語：Random  Access  Memory，略してＲＡＭ）、磁気ディスク、又は光ディスクのような、プログラム・コードを記憶することができる如何なる媒体も含む。
【０２２７】
最後に、前述の実施形態は、単に、本発明の技術的解決法を記載することを目的とし、本発明を限定するものではない点が留意されるべきである。本発明は、前述の実施形態を参照して詳細に記載されるが、当業者は、彼らが依然として、本発明の実施形態の技術的解決法の適用範囲から外れることなしに、前述の実施形態において記載される技術的解決法を変更し、あるいは、そのいくつか又は全ての特徴を同等物で置き換えてよいと理解すべきである。
【図１】
2019524039.tif 000003
【図２】
2019524039.tif 000004
【図３】
2019524039.tif 000005
【図４】
2019524039.tif 000006
【図５】
2019524039.tif 000007
【図６】
2019524039.tif 000008
【図７】
2019524039.tif 000009
【図８】
2019524039.tif 000010
【図９】
2019524039.tif 000011
【図１０】
2019524039.tif 000012
【図１１】
2019524039.tif 000013
【図１２】
2019524039.tif 000014
【図１３】
2019524039.tif 000015
【図１４】
2019524039.tif 000016
【図１５】
2019524039.tif 000017
【図１６】
2019524039.tif 000018
【図１７】
2019524039.tif 000019
【図１８】
2019524039.tif 000020
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
マルチコネクティビティ通信の方法であって、
第２ネットワークのアクセスネットワーク装置によって、第１ネットワークのアクセスネットワーク装置から第２分割構成情報を受信することであり、該第２分割構成情報は、前記第２ネットワークのアクセスネットワーク装置にユーザ機器（ＵＥ）の分割されるべきデータを分割するよう指示するために使用される、前記第２分割構成情報を受信することと、
前記第２ネットワークのアクセスネットワーク装置によって、前記第２分割構成情報に基づき前記ＵＥの前記分割されるべきデータを分割することと
を有する方法。
【請求項２】
前記第２分割構成情報は、分割されるべきベアラの識別子及び前記ＵＥの識別子を有する、
請求項１に記載の方法。
【請求項３】
前記第２分割構成情報は、第１トンネル端点に関する情報であって、前記第１ネットワークのアクセスネットワーク装置によって割り当てられる情報、及びトラフィック制御情報のうちの少なくとも一方を更に有し、前記第１トンネル端点に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークのアクセスネットワーク装置が運ぶことができる最大トラフィックを示すために使用される、
請求項２に記載の方法。
【請求項４】
第２ネットワークのアクセスネットワーク装置によって、第１ネットワークのアクセスネットワーク装置から第２分割構成情報を受信することは、
前記第２ネットワークのアクセスネットワーク装置によって、前記第１ネットワークのアクセスネットワーク装置から分割コマンドを受信することを有し、
前記分割コマンドは、前記第２分割構成情報を有する、
請求項１乃至３のうちいずれか一項に記載の方法。
【請求項５】
当該方法は、
前記第２ネットワークのアクセスネットワーク装置によって、分割許可メッセージを前記第１ネットワークのアクセスネットワーク装置へ送ること
を更に有し、
前記分割許可メッセージは、前記分割されるべきベアラの識別子及び第２トンネル端点を有し、該第２トンネル端点は、アップリンクデータ伝送のあて先を示すために使用される、
請求項２又は３のいずれか一項に記載の方法。
【請求項６】
第２ネットワークのアクセスネットワーク装置であって、
第１ネットワークのアクセスネットワーク装置から第２分割構成情報を受信するよう構成される受信器であり、該第２分割構成情報は、前記第２ネットワークの当該アクセスネットワーク装置にユーザ機器（ＵＥ）の分割されるべきデータを分割するよう指示するために使用される、前記受信器と、
前記第２分割構成情報に基づき前記ＵＥの前記分割されるべきデータを分割するよう構成されるプロセッサと
を有する装置。
【請求項７】
前記第２分割構成情報は、分割されるべきベアラの識別子及び前記ＵＥの識別子を有する、
請求項６に記載の装置。
【請求項８】
前記第２分割構成情報は、第１トンネル端点に関する情報であって、前記第１ネットワークのアクセスネットワーク装置によって割り当てられる情報、及びトラフィック制御情報のうちの少なくとも一方を更に有し、前記第１トンネル端点に関する前記情報は、ダウンリンクデータ伝送のあて先を示すために使用され、前記トラフィック制御情報は、前記第２ネットワークの当該アクセスネットワーク装置がデータ分割を実行しているときに前記第１ネットワークのアクセスネットワーク装置が運ぶことができる最大トラフィックを示すために使用される、
請求項７に記載の装置。
【請求項９】
前記受信器は、前記第１ネットワークのアクセスネットワーク装置から分割コマンドを受信するよう特に構成され、
前記分割コマンドは、前記第２分割構成情報を有する、
請求項６乃至８のうちいずれか一項に記載の装置。
【請求項１０】
前記受信器は、前記第１ネットワークのアクセスネットワーク装置から分割要求メッセージを受信するよう特に構成され、
前記分割要求メッセージは、選択可能な分割ベアラの識別子及び前記ＵＥの識別子を有し、前記選択可能な分割ベアラは、少なくとも前記分割されるべきベアラを有し、
前記第２ネットワークの当該アクセスネットワーク装置は、
分割許可メッセージを前記第１ネットワークのアクセスネットワーク装置へ送るよう構成される送信器を更に有し、
前記分割許可メッセージは、前記分割されるべきベアラの識別子を有し、該分割されるべきベアラは、分割されることを許可され、前記選択可能な分割ベアラから前記第２ネットワークの当該アクセスネットワーク装置によって決定されたベアラである、
請求項７又は８に記載の装置。
【請求項１１】
前記第２ネットワークの当該アクセスネットワーク装置は、
分割許可メッセージを前記第１ネットワークのアクセスネットワーク装置へ送るよう構成される送信器
を更に有し、
前記分割許可メッセージは、前記分割されるべきベアラの識別子及び第２トンネル端点を有し、該第２トンネル端点は、アップリンクデータ伝送のあて先を示すために使用される、
請求項７又は８のいずれか一項に記載の装置。
【請求項１２】
ユーザ機器（ＵＥ）であって、
第１ネットワークのアクセスネットワーク装置から第１分割構成情報を受信するよう構成される受信器であり、該第１分割構成情報は、第２ネットワークのアクセスネットワーク装置が当該ＵＥの分割されるべきデータを分割すべきであることを当該ＵＥに知らせるために使用される、前記受信器と、
前記第１分割構成情報に基づき前記分割されるべきデータを受信するように前記受信器を制御するよう構成されるプロセッサと
を有し、
前記プロセッサは、前記第１分割構成情報に基づき前記分割されるべきデータを送信するように送信器を制御するよう更に構成される、
ＵＥ。
【請求項１３】
前記第１分割構成情報は、前記分割されるべきデータの無線リソース構成を有し、前記分割されるべきデータの前記無線リソース構成は、分割されるべきベアラの識別子及び媒体アクセス制御（ＭＡＣ）構成情報を有する、
請求項１２に記載のＵＥ。
【請求項１４】
マルチコネクティビティ通信の方法であって、
第２ネットワークのアクセスネットワーク装置によって、選択可能な分割ベアラの識別子を有する分割要求メッセージを第１ネットワークのアクセスネットワーク装置へ送ることと、
前記第２ネットワークのアクセスネットワーク装置によって、前記第１ネットワークのアクセスネットワーク装置から分割応答メッセージを受信することであり、該分割応答メッセージは、分割されるべきベアラの識別子を有し、該分割されるべきベアラは、前記選択可能な分割ベアラの一部又は全てである、前記分割応答メッセージを受信することと
を有する方法。
【請求項１５】
前記分割要求メッセージは、１つ以上のタイプの次の情報：分割タイプ、ユーザ機器（ＵＥ）の識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークのアクセスネットワーク装置がデータ分割を実行しているときに前記第１ネットワークのアクセスネットワーク装置が運ぶことができる最大トラフィックを示すために使用され、
前記第２トンネル端点に関する情報は、アップリンクデータ伝送のあて先を示すために使用される、
請求項１４に記載の方法。
【請求項１６】
前記分割応答メッセージは、１つ以上のタイプの次の情報：第１トンネル端点に関する情報、前記ＵＥの測定結果、前記分割タイプ、並びに前記第１ネットワークにおける前記ＵＥの前記スループット及び前記ピークレートを更に有し、
前記第１トンネル端点に関する情報は、ダウンリンクデータ伝送のあて先を示すために使用される、
請求項１５に記載の方法。
【請求項１７】
前記第２ネットワークのアクセスネットワーク装置によって、前記第１ネットワークのアクセスネットワーク装置から分割応答メッセージを受信した後に、
前記第２ネットワークのアクセスネットワーク装置によって、前記第１ネットワークのアクセスネットワーク装置から分割構成完了メッセージを受信することを更に有する
請求項１４に記載の方法。
【請求項１８】
マルチコネクティビティ通信の方法であって、
ユーザ機器（ＵＥ）によって、第１ネットワークのアクセスネットワーク装置から第１分割構成情報を受信することを有し、
前記第１分割構成情報は、第２ネットワークのアクセスネットワーク装置が分割されるべきベアラを分割すべきであることを前記ＵＥに知らせるために使用され、
前記第１分割構成情報は、前記分割されるべきベアラの識別子を有する、
方法。
【請求項１９】
第２ネットワークのアクセスネットワーク装置であって、
受信器、送信器、及びプロセッサを有し、
前記プロセッサは、選択可能な分割ベアラの識別子を有する分割要求メッセージを第１ネットワークのアクセスネットワーク装置へ送るように前記送信器を制御するよう構成され、
前記プロセッサは、前記第１ネットワークのアクセスネットワーク装置から分割応答メッセージを受信するように前記受信器を制御するよう更に構成され、該分割応答メッセージは、分割されるべきベアラの識別子を有し、該分割されるべきベアラは、前記選択可能な分割ベアラの一部又は全てである、
装置。
【請求項２０】
前記分割要求メッセージは、１つ以上のタイプの次の情報：分割タイプ、ユーザ機器（ＵＥ）の識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に有し、
前記トラフィック制御情報は、前記第２ネットワークの当該アクセスネットワーク装置がデータ分割を実行しているときに前記第１ネットワークのアクセスネットワーク装置が運ぶことができる最大トラフィックを示すために使用され、
前記第２トンネル端点に関する情報は、アップリンクデータ伝送のあて先を示すために使用される、
請求項１９に記載の装置。
【請求項２１】
前記分割応答メッセージは、１つ以上のタイプの次の情報：第１トンネル端点に関する情報、前記ＵＥの測定結果、前記分割タイプ、並びに前記第１ネットワークにおける前記ＵＥの前記スループット及び前記ピークレートを更に有し、
前記第１トンネル端点に関する情報は、ダウンリンクデータ伝送のあて先を示すために使用される、
請求項２０に記載の装置。
【請求項２２】
前記プロセッサは、前記第１ネットワークのアクセスネットワーク装置から分割構成完了メッセージを受信するように前記受信器を制御するよう更に構成される、
請求項１９に記載の装置。
【請求項２３】
ユーザ機器（ＵＥ）であって、
プロセッサ及び受信器を有し、
前記プロセッサは、第１ネットワークのアクセスネットワーク装置から第１分割構成情報を受信するように前記受信器を制御するよう構成され、
前記第１分割構成情報は、第２ネットワークのアクセスネットワーク装置が分割されるべきベアラを分割すべきであることを当該ＵＥに知らせるために使用され、
前記第１分割構成情報は、前記分割されるべきベアラの識別子を有する、
ＵＥ。
【手続補正２】
【補正対象書類名】明細書
【補正対象項目名】０００１
【補正方法】変更
【補正の内容】
【０００１】
本開示の実施形態は、通信テクノロジに、特に、マルチコネクティビティ通信方法及び装置に関係がある。
【手続補正３】
【補正対象書類名】明細書
【補正対象項目名】０００３
【補正方法】変更
【補正の内容】
【０００３】
本開示の実施形態は、ネットワーク内のスループット及びデータ伝送レートを増大させるよう、マルチコネクティビティ通信方法及び装置を提供する。
【手続補正４】
【補正対象書類名】明細書
【補正対象項目名】０００４
【補正方法】変更
【補正の内容】
【０００４】
本開示の第１の態様は、マルチコネクティビティ通信の方法であって：第１ネットワークのアクセスネットワーク装置によって、第２ネットワークのアクセスネットワーク装置をデータ分割のためのアンカーとして決定し；次いで、第１分割構成情報をＵＥへ送り、該第１分割構成情報は、前記第２ネットワークのアクセスネットワーク装置が前記ＵＥの分割されるべきデータを分割すべきであることを前記ＵＥに知らせるために使用され；第２分割構成情報を前記第２ネットワークのアクセスネットワーク装置へ送り、該第２分割構成情報は、前記第２ネットワークのアクセスネットワーク装置に前記ＵＥの前記分割されるべきデータを分割するよう指示するために使用される、ことを含む方法を提供する。
【手続補正５】
【補正対象書類名】明細書
【補正対象項目名】０００６
【補正方法】変更
【補正の内容】
【０００６】
任意に、前記第２分割構成情報は、第１トンネル端点に関する情報であって、前記第１ネットワークのアクセスネットワーク装置によって割り当てられる情報、及びトラフィック制御情報のうちの少なくとも一方を更に含む。前記第１トンネル端点に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークのアクセスネットワーク装置が運ぶことができる最大トラフィックを示すために使用される。
【手続補正６】
【補正対象書類名】明細書
【補正対象項目名】０００９
【補正方法】変更
【補正の内容】
【０００９】
本開示の第２の態様は、マルチコネクティビティ通信の方法であって：第２ネットワークのアクセスネットワーク装置によって、第１ネットワークのアクセスネットワーク装置によって送られた第２分割構成情報を受信し、該第２分割構成情報は、前記第２ネットワークのアクセスネットワーク装置にユーザ機器（ＵＥ）の分割されるべきデータを分割するよう指示するために使用され；前記第２ネットワークのアクセスネットワーク装置によって、前記第２分割構成情報に基づき前記ＵＥの前記分割されるべきデータを分割する、ことを含む方法を提供する。
【手続補正７】
【補正対象書類名】明細書
【補正対象項目名】００１０
【補正方法】変更
【補正の内容】
【００１０】
任意に、前記第２分割構成情報は、分割されるべきベアラの識別子及び前記ＵＥの識別子を含む。
【手続補正８】
【補正対象書類名】明細書
【補正対象項目名】００１１
【補正方法】変更
【補正の内容】
【００１１】
任意に、前記第２分割構成情報は、第１トンネル端点に関する情報であって、前記第１ネットワークのアクセスネットワーク装置によって割り当てられる情報、及びトラフィック制御情報のうちの少なくとも一方を更に含む。前記第１トンネル端点に関する前記情報は、ダウンリンクデータ伝送のあて先を示すために使用され、前記トラフィック制御情報は、前記第２ネットワークのアクセスネットワーク装置がデータ分割を実行しているときに前記第１ネットワークのアクセスネットワーク装置が運ぶことができる最大トラフィックを示すために使用される。
【手続補正９】
【補正対象書類名】明細書
【補正対象項目名】００１５
【補正方法】変更
【補正の内容】
【００１５】
本開示の第３の態様は、マルチコネクティビティ通信の方法であって：ＵＥによって、第１ネットワークのアクセスネットワーク装置によって送られた第１分割構成情報を受信し、該第１分割構成情報は、第２ネットワークのアクセスネットワーク装置が前記ＵＥの分割されるべきデータを分割すべきであることを前記ＵＥに知らせるために使用され；前記ＵＥによって、前記第１分割構成情報に基づき前記分割されるべきデータを受信又は送信する、ことを含む方法を提供する。
【手続補正１０】
【補正対象書類名】明細書
【補正対象項目名】００１７
【補正方法】変更
【補正の内容】
【００１７】
本開示の第４の態様は、マルチコネクティビティ通信の方法であって：ＵＥによって、第１ネットワークのアクセスネットワーク装置によって送られた第１分割構成情報を受信し、該第１分割構成情報は、第２ネットワークのアクセスネットワーク装置が前記ＵＥの分割されるべきデータを分割すべきであることを前記ＵＥに知らせるために使用されるとともに、前記ＵＥに前記第１ネットワークのアクセスネットワーク装置にアクセスするよう指示するために使用され；前記ＵＥによって、前記第１分割構成情報に基づき前記第１ネットワークのアクセスネットワーク装置にアクセスし；前記ＵＥによって、該ＵＥが前記第１ネットワークのアクセスネットワーク装置にアクセスした後に、前記第１分割構成情報に基づき前記分割されるべきデータを受信又は送信する、ことを含む方法を提供する。
【手続補正１１】
【補正対象書類名】明細書
【補正対象項目名】００１９
【補正方法】変更
【補正の内容】
【００１９】
本開示の第５の態様は、決定モジュール及び送信モジュールを含む、第１ネットワークのアクセスネットワーク装置を提供する。前記決定モジュールは、第２ネットワークのアクセスネットワーク装置をデータ分割のためのアンカーとして決定するよう構成される。前記送信モジュールは、第１分割構成情報をＵＥへ送るよう構成される。前記第１分割構成情報は、前記第２ネットワークのアクセスネットワーク装置が前記ＵＥの分割されるべきデータを分割すべきであることを前記ＵＥに知らせるために使用される。前記送信モジュールは、第２分割構成情報を前記第２ネットワークのアクセスネットワーク装置へ送るよう更に構成される。該第２分割構成情報は、前記第２ネットワークのアクセスネットワーク装置に前記ＵＥの前記分割されるべきデータを分割するよう指示するために使用される。
【手続補正１２】
【補正対象書類名】明細書
【補正対象項目名】００２０
【補正方法】変更
【補正の内容】
【００２０】
任意に、前記送信モジュールは、前記第１分割構成情報を前記ＵＥへ送る前に、分割要求メッセージを前記第２ネットワークのアクセスネットワーク装置へ送るよう更に構成される。前記分割要求メッセージは、選択可能な分割ベアラの識別子及び前記ＵＥの識別子を含み、前記選択可能な分割ベアラは、少なくとも、分割されるべきベアラを含む。相応して、前記第１ネットワークのアクセスネットワーク装置は、受信モジュールを更に含む。該受信モジュールは、前記第２ネットワークのアクセスネットワーク装置によって送られた分割許可メッセージを受信するよう構成される。該分割許可メッセージは、前記分割されるべきベアラの識別子を含み、該分割されるべきベアラは、分割されることを許可され、前記選択可能な分割ベアラから前記第２ネットワークのアクセスネットワーク装置によって決定されたベアラである。前記送信モジュールは、前記分割許可メッセージに基づき前記第１分割構成情報を前記ＵＥへ送るよう特に構成される。
【手続補正１３】
【補正対象書類名】明細書
【補正対象項目名】００２２
【補正方法】変更
【補正の内容】
【００２２】
本開示の第６の態様は、受信モジュール及び分割モジュールを含む、第２ネットワークのアクセスネットワーク装置を提供する。前記受信モジュールは、第１ネットワークのアクセスネットワーク装置によって送られた第２分割構成情報を受信するよう構成される。該第２分割構成情報は、前記第２ネットワークの当該アクセスネットワーク装置にユーザ機器（ＵＥ）の分割されるべきデータを分割するよう指示するために使用される。前記分割モジュールは、前記第２分割構成情報に基づき前記ＵＥの前記分割されるべきデータを分割するよう構成される。
【手続補正１４】
【補正対象書類名】明細書
【補正対象項目名】００２４
【補正方法】変更
【補正の内容】
【００２４】
任意に、前記受信モジュールは、前記第１ネットワークのアクセスネットワーク装置によって送られた分割要求メッセージを受信するよう特に構成される。前記分割要求メッセージは、選択可能な分割ベアラの識別子及び前記ＵＥの識別子を含み、前記選択可能な分割ベアラは、少なくとも、分割されるべきベアラを含む。相応して、前記第２ネットワークの当該アクセスネットワーク装置は、送信モジュールを更に含む。該送信モジュールは、分割許可メッセージを前記第１ネットワークのアクセスネットワーク装置へ送るよう構成される。前記分割許可メッセージは、前記分割されるべきベアラの識別子を含み、該分割されるべきベアラは、分割されることを許可され、前記選択可能な分割ベアラから前記第２ネットワークのアクセスネットワーク装置によって決定されたベアラである。
【手続補正１５】
【補正対象書類名】明細書
【補正対象項目名】００２５
【補正方法】変更
【補正の内容】
【００２５】
本開示の第７の態様は、受信モジュール及び送信モジュールを含むＵＥを提供する。前記受信モジュールは、第１ネットワークのアクセスネットワーク装置によって送られた第１分割構成情報を受信するよう構成される。該第１分割構成情報は、第２ネットワークのアクセスネットワーク装置が当該ＵＥの分割されるべきデータを分割すべきであることを当該ＵＥに知らせるために使用される。前記受信モジュールは、前記第１分割構成情報に基づき前記分割されるべきデータを受信するよう更に構成される。前記送信モジュールは、前記第１分割構成情報に基づき前記分割されるべきデータを送信するよう構成される。
【手続補正１６】
【補正対象書類名】明細書
【補正対象項目名】００２６
【補正方法】変更
【補正の内容】
【００２６】
本開示の第８の態様は、受信モジュール、アクセスモジュール、及び送信モジュールを含むＵＥを提供する。前記受信モジュールは、第１ネットワークのアクセスネットワーク装置によって送られた第１分割構成情報を受信するよう構成される。該第１分割構成情報は、第２ネットワークのアクセスネットワーク装置が当該ＵＥの分割されるべきデータを分割すべきであることを前記ＵＥに知らせるために使用されるとともに、当該ＵＥに前記第１ネットワークのアクセスネットワーク装置にアクセスするよう指示するために使用される。前記アクセスモジュールは、前記第１分割構成情報に基づき前記第１ネットワークのアクセスネットワーク装置にアクセスするよう構成される。前記受信モジュールは、当該ＵＥが前記第１ネットワークのアクセスネットワーク装置にアクセスした後、前記第１分割構成情報に基づき前記分割されるべきデータを受信するよう更に構成される。前記送信モジュールは、当該ＵＥが前記第１ネットワークのアクセスネットワーク装置にアクセスした後、前記第１分割構成情報に基づき前記分割されるべきデータを送信するよう構成される。
【手続補正１７】
【補正対象書類名】明細書
【補正対象項目名】００２７
【補正方法】変更
【補正の内容】
【００２７】
本開示の第９の態様は、プロセッサ及び送信器を含む、第１ネットワークのアクセスネットワーク装置を提供する。前記プロセッサは、第２ネットワークのアクセスネットワーク装置をデータ分割のためのアンカーとして決定するよう構成される。前記送信器は、第１分割構成情報をＵＥへ送るよう構成される。前記第１分割構成情報は、前記第２ネットワークのアクセスネットワーク装置が前記ＵＥの分割されるべきデータを分割すべきであることを前記ＵＥに知らせるために使用される。前記送信器は、第２分割構成情報を前記第２ネットワークのアクセスネットワーク装置へ送るよう更に構成される。該第２分割構成情報は、前記第２ネットワークのアクセスネットワーク装置に前記ＵＥの前記分割されるべきデータを分割するよう指示するために使用される。
【手続補正１８】
【補正対象書類名】明細書
【補正対象項目名】００２９
【補正方法】変更
【補正の内容】
【００２９】
任意に、前記送信器は、前記第１分割構成情報を前記ＵＥへ送る前に、分割要求メッセージを前記第２ネットワークのアクセスネットワーク装置へ送るよう更に構成される。前記分割要求メッセージは、選択可能な分割ベアラの識別子及び前記ＵＥの識別子を含み、前記選択可能な分割ベアラは、少なくとも、分割されるべきベアラを含む。相応して、前記第１ネットワークの当該アクセスネットワーク装置は、受信器を更に含む。該受信器は、前記第２ネットワークのアクセスネットワーク装置によって送られた分割許可メッセージを受信するよう構成される。該分割許可メッセージは、前記分割されるべきベアラの識別子を含み、該分割されるべきベアラは、分割されることを許可され、前記選択可能な分割ベアラから前記第２ネットワークのアクセスネットワーク装置によって決定されたベアラである。前記送信器は、前記分割許可メッセージに基づき前記第１分割構成情報を前記ＵＥへ送るよう特に構成される。
【手続補正１９】
【補正対象書類名】明細書
【補正対象項目名】００３０
【補正方法】変更
【補正の内容】
【００３０】
本開示の第１０の態様は、受信器及びプロセッサを含む、第２ネットワークのアクセスネットワーク装置を提供する。前記受信器は、第１ネットワークのアクセスネットワーク装置によって送られた第２分割構成情報を受信するよう構成される。該第２分割構成情報は、前記第２ネットワークの当該アクセスネットワーク装置にユーザ機器（ＵＥ）の分割されるべきデータを分割するよう指示するために使用される。前記プロセッサは、前記第２分割構成情報に基づき前記ＵＥの前記分割されるべきデータを分割するよう構成される。
【手続補正２０】
【補正対象書類名】明細書
【補正対象項目名】００３２
【補正方法】変更
【補正の内容】
【００３２】
任意に、前記受信器は、前記第１ネットワークのアクセスネットワーク装置によって送られた分割要求メッセージを受信するよう特に構成される。前記分割要求メッセージは、選択可能な分割ベアラの識別子及び前記ＵＥの識別子を含み、前記選択可能な分割ベアラは、少なくとも、分割されるべきベアラを含む。
【手続補正２１】
【補正対象書類名】明細書
【補正対象項目名】００３４
【補正方法】変更
【補正の内容】
【００３４】
本開示の第１１の態様は、受信器、プロセッサ、及び送信器を含むＵＥを提供する。前記受信器は、第１ネットワークのアクセスネットワーク装置によって送られた第１分割構成情報を受信するよう構成される。該第１分割構成情報は、第２ネットワークのアクセスネットワーク装置が当該ＵＥの分割されるべきデータを分割すべきであることを当該ＵＥに知らせるために使用される。前記プロセッサは、前記第１分割構成情報に基づき前記分割されるべきデータを受信するように前記受信器を制御するよう構成される。前記プロセッサは、前記第１分割構成情報に基づき前記分割されるべきデータを送信するように前記送信器を制御するよう更に構成される。
【手続補正２２】
【補正対象書類名】明細書
【補正対象項目名】００３５
【補正方法】変更
【補正の内容】
【００３５】
本開示の第１２の態様は、受信器、プロセッサ、及び送信器を含むＵＥを提供する。前記受信器は、第１ネットワークのアクセスネットワーク装置によって送られた第１分割構成情報を受信するよう構成される。該第１分割構成情報は、第２ネットワークのアクセスネットワーク装置が当該ＵＥの分割されるべきデータを分割すべきであることを当該ＵＥに知らせるために使用されるとともに、当該ＵＥに前記第１ネットワークのアクセスネットワーク装置にアクセスするよう指示するために使用される。前記プロセッサは、前記第１分割構成情報に基づき前記第１ネットワークのアクセスネットワーク装置にアクセスするよう構成される。前記受信器は、前記第１分割構成情報に基づき前記分割されるべきデータを受信するよう更に構成される。前記送信器は、当該ＵＥが前記第１ネットワークのアクセスネットワーク装置にアクセスした後に、前記第１分割構成情報に基づき前記分割されるべきデータを送信するよう構成される。
【手続補正２３】
【補正対象書類名】明細書
【補正対象項目名】００３６
【補正方法】変更
【補正の内容】
【００３６】
本開示の第５乃至第１２の態様で提供される装置は、本開示の第１乃至第４の態様に対応する方法を実行するよう構成されてよい点が留意されるべきである。前記第１分割構成情報及び前記第２分割構成情報の中身については、実施形態１乃至実施形態４における方法を参照されたい。詳細については、ここで再び記載されない。
【手続補正２４】
【補正対象書類名】明細書
【補正対象項目名】００３７
【補正方法】変更
【補正の内容】
【００３７】
本開示の第１３の態様は、通信システムを提供する。当該通信システムは、第１ネットワークのアクセスネットワーク装置、第２ネットワークのアクセスネットワーク装置、及びＵＥを含む。前記第１ネットワークのアクセスネットワーク装置は、本開示の第１の態様に従う方法を実行するよう構成される。前記第２ネットワークのアクセスネットワーク装置は、本開示の第２の態様に従う方法を実行するよう構成される。前記ＵＥは、本開示の第３及び第４の態様に従う方法を実行するよう構成される。
【手続補正２５】
【補正対象書類名】明細書
【補正対象項目名】００３８
【補正方法】変更
【補正の内容】
【００３８】
本開示の第１４の態様は、マルチコネクティビティ通信の方法であって：
第１ネットワークのアクセスネットワーク装置によって、第２ネットワークのアクセスネットワーク装置によって送られた分割要求メッセージを受信することであり、該分割要求メッセージは、選択可能な分割ベアラの識別子を含む、前記分割要求メッセージを受信することと；
前記第１ネットワークのアクセスネットワーク装置によって、分割応答メッセージを前記第２ネットワークのアクセスネットワーク装置へ送ることであり、該分割応答メッセージは、分割されるべきベアラの識別子を含み、該分割されるべきベアラは、前記選択可能な分割ベアラの一部又は全てである、前記分割応答メッセージを送ることと；
前記第１ネットワークのアクセスネットワーク装置によって、第１分割構成情報をユーザ機器（ＵＥ）へ送ることであり、該第１分割構成情報は、前記第２ネットワークのアクセスネットワーク装置が前記分割されるべきベアラを分割すべきであることを前記ＵＥに知らせるために使用され、前記第１分割構成情報は、前記分割されるべきベアラの前記識別子を含む、前記第１分割構成情報をユーザ機器（ＵＥ）へ送ることと
を含む方法を提供する。
【手続補正２６】
【補正対象書類名】明細書
【補正対象項目名】００４１
【補正方法】変更
【補正の内容】
【００４１】
本開示の第１５の態様は、マルチコネクティビティ通信の方法であって：
第２ネットワークのアクセスネットワーク装置によって、選択可能な分割ベアラの識別子を含む分割要求メッセージを第１ネットワークのアクセスネットワーク装置へ送ることと；
前記第２ネットワークのアクセスネットワーク装置によって、前記第１ネットワークのアクセスネットワーク装置によって送られた分割応答メッセージを受信することであり、該分割応答メッセージは、分割されるべきベアラの識別子を含み、該分割されるべきベアラは、前記選択可能な分割ベアラの一部又は全てである、前記分割応答メッセージを受信することと
を含む方法を提供する。
【手続補正２７】
【補正対象書類名】明細書
【補正対象項目名】００４３
【補正方法】変更
【補正の内容】
【００４３】
本開示の第１６の態様は、マルチコネクティビティ通信の方法であって：
ユーザ機器（ＵＥ）によって、第１ネットワークのアクセスネットワーク装置によって送られた第１分割構成情報を受信することを含み、
前記第１分割構成情報は、第２ネットワークのアクセスネットワーク装置が分割されるべきベアラを分割すべきであることを前記ＵＥに知らせるために使用され、前記第１分割構成情報は、前記分割されるべきベアラの識別子を含む。
【手続補正２８】
【補正対象書類名】明細書
【補正対象項目名】００４４
【補正方法】変更
【補正の内容】
【００４４】
本開示の第１７の態様は、第１ネットワークのアクセスネットワーク装置であって：
第２ネットワークのアクセスネットワーク装置によって送られた分割要求メッセージを受信するよう構成される受信モジュールであり、該分割要求メッセージは、選択可能な分割ベアラの識別子を含む、前記受信モジュールと；
分割応答メッセージを前記第２ネットワークのアクセスネットワーク装置へ送るよう構成される送信モジュールであり、該分割応答メッセージは、分割されるべきベアラの識別子を含み、該分割されるべきベアラは、前記選択可能な分割ベアラの一部又は全てである、前記送信モジュールと
を含む装置を提供する。
【手続補正２９】
【補正対象書類名】明細書
【補正対象項目名】００４８
【補正方法】変更
【補正の内容】
【００４８】
本開示の第１８の態様は、第２ネットワークのアクセスネットワーク装置であって：
選択可能な分割ベアラの識別子を含む分割要求メッセージを第１ネットワークのアクセスネットワーク装置へ送るよう構成される送信モジュールと；
前記第１ネットワークのアクセスネットワーク装置によって送られた分割応答メッセージを受信するよう構成される受信モジュールであり、該分割応答メッセージは、分割されるべきベアラの識別子を含み、該分割されるべきベアラは、前記選択可能な分割ベアラの一部又は全てである、前記受信モジュールと
を含む装置を提供する。
【手続補正３０】
【補正対象書類名】明細書
【補正対象項目名】００５０
【補正方法】変更
【補正の内容】
【００５０】
本開示の第１９の態様は、ＵＥであって：
第１ネットワークのアクセスネットワーク装置によって送られた第１分割構成情報を受信するよう構成される受信モジュールを含み
前記第１分割構成情報は、第２ネットワークのアクセスネットワーク装置が分割されるべきベアラを分割すべきであることを当該ＵＥに知らせるために使用され、前記第１分割構成情報は、前記分割されるべきベアラの識別子を含む
ＵＥを提供する。
【手続補正３１】
【補正対象書類名】明細書
【補正対象項目名】００５１
【補正方法】変更
【補正の内容】
【００５１】
本開示の第２０の態様は、受信器、送信器、及びプロセッサを含む、第１ネットワークのアクセスネットワーク装置を提供する。
【手続補正３２】
【補正対象書類名】明細書
【補正対象項目名】００５３
【補正方法】変更
【補正の内容】
【００５３】
前記プロセッサは、分割応答メッセージを前記第２ネットワークのアクセスネットワーク装置へ送るように前記送信器を制御するよう更に構成される。該分割応答メッセージは、分割されるべきベアラの識別子を含み、該分割されるべきベアラは、前記選択可能な分割ベアラの一部又は全てである。
【手続補正３３】
【補正対象書類名】明細書
【補正対象項目名】００５７
【補正方法】変更
【補正の内容】
【００５７】
本開示の第２１の態様は、受信器、送信器、及びプロセッサを含む、第２ネットワークのアクセスネットワーク装置を提供する。
【手続補正３４】
【補正対象書類名】明細書
【補正対象項目名】００６１
【補正方法】変更
【補正の内容】
【００６１】
本開示の第２２の態様は、プロセッサ及び受信器を含むＵＥを提供する。
【手続補正３５】
【補正対象書類名】明細書
【補正対象項目名】００６３
【補正方法】変更
【補正の内容】
【００６３】
本開示の第１４乃至第２２の態様において、前記分割要求メッセージは、１つ以上のタイプの次の情報：分割タイプ、前記ＵＥの識別子、前記選択可能な分割ベアラのクオリティ・オブ・サービス（ＱｏＳ）要件情報、トラフィック制御情報、第２トンネル端点に関する情報、前記第１ネットワークにおける前記ＵＥのスループットの報告指示情報、及び前記第１ネットワークにおける前記ＵＥのピークレートの報告指示情報を更に含む。前記トラフィック制御情報は、前記第２ネットワークのアクセスネットワーク装置がデータ分割を実行しているときに前記第１ネットワークのアクセスネットワーク装置が運ぶことができる最大トラフィックを示すために使用され、前記第２トンネル端点に関する情報は、アップリンクデータ伝送のあて先を示すために使用される。
【手続補正３６】
【補正対象書類名】明細書
【補正対象項目名】００６４
【補正方法】変更
【補正の内容】
【００６４】
本開示の第１４乃至第２２の態様において、前記分割応答メッセージは、１つ以上のタイプの次の情報：第１トンネル端点に関する情報、前記ＵＥの測定結果、前記分割タイプ、前記第１ネットワークにおける前記ＵＥの前記スループット、及び前記第１ネットワークにおける前記ＵＥの前記ピークレートを更に含む。前記第１トンネル端点に関する情報は、ダウンリンクデータ伝送のあて先を示すために使用される。
【手続補正３７】
【補正対象書類名】明細書
【補正対象項目名】００６５
【補正方法】変更
【補正の内容】
【００６５】
本開示の第１４乃至第２２の態様において、前記第１分割構成情報は、１つ以上のタイプの次の情報：媒体アクセス制御（ＭＡＣ）構成情報及び分割タイプを更に含む。
【手続補正３８】
【補正対象書類名】明細書
【補正対象項目名】００６６
【補正方法】変更
【補正の内容】
【００６６】
本開示の実施形態において提供されるマルチコネクティビティ通信方法及び装置に従って、第１ネットワークのアクセスネットワーク装置は、ＵＥのデータについてデータ分割を行うために第２ネットワークのアクセスネットワーク装置を使用すると決定し、次いで、第１分割構成情報をＵＥへ、及び第２分割構成情報を第２ネットワークのアクセスネットワーク装置へ送信する。第１分割構成情報は、第２ネットワークのアクセスネットワーク装置がＵＥの分割されるべきデータを分割すべきであることをＵＥに知らせるために使用される。第２分割構成情報は、第２ネットワークのアクセスネットワーク装置にＵＥの分割されるべきデータを分割するよう指示するために使用される。第２ネットワークのアクセスネットワーク装置は、ＵＥのデータを、同時の送信のために、第１ネットワークのアクセスネットワーク装置及び第２ネットワークのアクセスネットワーク装置へ分け、それによって伝送効率を改善し且つスループットを増大させるために使用される。
【手続補正３９】
【補正対象書類名】明細書
【補正対象項目名】００６７
【補正方法】変更
【補正の内容】
【００６７】
本開示の実施形態における又は先行技術における技術的解決法をより明りょうに記載するよう、以下は、実施形態を記載するために必要とされる添付の図面について簡単に説明する。明らかに、以下の説明における添付の図面は、本開示のいくつかの実施形態を示し、当業者は、創造的な努力なしで依然としてそれらの添付の図面から他の図面を導き出し得る。
【手続補正４０】
【補正対象書類名】明細書
【補正対象項目名】００６８
【補正方法】変更
【補正の内容】
【００６８】
【図１】本開示の実施形態が適用されるネットワークアーキテクチャの概略図である。
【図２】本開示の実施形態１に従うマルチコネクティビティ通信方法のフローチャートである。
【図３】本開示の実施形態２に従うマルチコネクティビティ通信方法の信号伝達フローチャートである。
【図４】ｅＮＢ及びＮＲノードのユーザプレーン・プロトコルスタックの概略図である。
【図５】ｅＮＢ及びＮＲノードのコントロールプレーン・プロトコルスタックの概略図である。
【図６】本開示の実施形態３に従うマルチコネクティビティ通信方法の信号伝達フローチャートである。
【図７】本開示の実施形態５に従う第１ネットワークのアクセスネットワーク装置の略構造図である。
【図８】本開示の実施形態６に従う第２ネットワークのアクセスネットワーク装置の略構造図である。
【図９】本開示の実施形態７に従うＵＥの略構造図である。
【図１０】本開示の実施形態８に従うＵＥの略構造図である。
【図１１】本開示の実施形態９に従う第１ネットワークのアクセスネットワーク装置の略構造図である。
【図１２】本開示の実施形態１０に従う第２ネットワークのアクセスネットワーク装置の略構造図である。
【図１３】本開示の実施形態１１に従うＵＥの略構造図である。
【図１４】本開示の実施形態１３に従う通信システムの略構造図である。
【図１５】本開示の実施形態１４に従うマルチコネクティビティ通信方法のフローチャートである。
【図１６】本開示の実施形態１５に従う第１ネットワークのアクセスネットワーク装置の略構造図である。
【図１７】本開示の実施形態１６に従う第２ネットワークのアクセスネットワーク装置の略構造図である。
【図１８】本開示の実施形態２０に従うＵＥの略構造図である。
【手続補正４１】
【補正対象書類名】明細書
【補正対象項目名】００６９
【補正方法】変更
【補正の内容】
【００６９】
本開示の実施形態の目的、技術的解決法、及び利点をより明らかにするよう、以下は、本開示の実施形態における添付の図面を参照して、本開示の実施形態における技術的解決法について明りょうに記載する。明らかに、記載される実施形態は、本開示の実施形態の一部であって、全てではない。創造的な努力なしで本開示の実施形態に基づき当業者によって獲得される他の全ての実施形態は、本開示の保護範囲内に含まれるべきである。
【手続補正４２】
【補正対象書類名】明細書
【補正対象項目名】００７０
【補正方法】変更
【補正の内容】
【００７０】
本開示の実施形態において提供されるマルチコネクティビティ（multiple-connectivity）通信方法は、ＵＥが同時に第１ネットワーク及び第２ネットワークにアクセスすることができ、そして、第１ネットワークのアクセスネットワーク装置及び第２ネットワークのアクセスネットワーク装置が同時にＵＥにサービスを提供することができることを意味する。第１ネットワークは、ＬＴＥネットワーク、ワイヤレス・フィデリティ（Wireless  Fidelity，略してＷｉＦｉ）ネットワーク、グローバルシステム・フォー・モバイルコミュニケーションズ（Global  System  of  Mobile  communications，略してＧＳＭ）ネットワーク、符号分割多重アクセス（Code  Division  Multiple  Access，略してＣＤＭＡ）ネットワーク、広帯域符号分割多重アクセス（Wideband  Code  Division  Multiple  Access，略してＷＣＤＭＡ）ネットワーク、又はニュー無線（New  radio  access  technology，略してＮｅｗ  ＲＡＴ又はＮＲ）アクセスネットワークのような、現在存在しているネットワークであってよい。第２ネットワークも上記のネットワークのうちいずれか１つであってよいが、第１ネットワーク及び第２ネットワークは異なる。ニュー無線アクセスネットワークは、ＬＴＥネットワークよりも速い伝送レートを供給可能である。ニュー無線アクセスネットワークは、５Ｇネットワーク、次世代ネットワーク、などと呼ばれることもある。ニュー無線アクセスネットワークのアクセスネットワーク装置は、ＮＲノード（node）又はＮＲ  ＢＳ（基地局，Base  Station）と呼ばれることもある。これは、ここで限定されない。
【手続補正４３】
【補正対象書類名】明細書
【補正対象項目名】００７１
【補正方法】変更
【補正の内容】
【００７１】
本開示の実施形態におけるマルチコネクティビティは、ＵＥが第１ネットワークのアクセスネットワーク装置を使用することによって第１ネットワークのコアネットワークにアクセスし、コントロールプレーン（Control  Plane，略してＣＰ）データが第１ネットワークにおいて伝送され、ユーザプレーン（User  Plane，略してＵＰ）データが第１ネットワークのエア・インターフェイス及び第２ネットワークのエア・インターフェイスを介して同時に伝送されることを特に意味する。ユーザプレーン・アンカーは、第２ネットワークのアクセスネットワーク装置のパケットデータ収束プロトコル（Packet  Data  Convergence  Protocol，ＰＤＣＰ）レイヤでのベアラ又はデータパケットの粒度で分割を行う。
【手続補正４４】
【補正対象書類名】明細書
【補正対象項目名】００７２
【補正方法】変更
【補正の内容】
【００７２】
例えば、第１ネットワークはＬＴＥネットワークであり、第２ネットワークはニュー無線アクセスネットワークである。図１は、本開示の実施形態が適用されるネットワークアーキテクチャの概略図である。図１に示されるように、ネットワークアーキテクチャは、ＬＴＥネットワークのアクセスネットワーク装置、ニュー無線アクセスネットワークのアクセスネットワーク装置、及びＬＴＥネットワークのコアネットワーク装置を含む。ＬＴＥネットワークのコアネットワーク装置は、モビリティ管理エンティティ（Mobility  Management  Entity，略してＭＭＥ）又はサービング・ゲートウェイ（Serving  Gateway，略してＳ−ＧＷ）を含む。ニュー無線アクセスネットワークのアクセスネットワーク装置及びＬＴＥネットワークのアクセスネットワーク装置は同じような機能を備え、両者は、セキュリティ認証、チャージ、及びＵＥのためのモビリティ管理のような機能を提供することができる。図１の例では、ＵＥは、ニュー無線アクセスネットワークのアクセスネットワーク装置を使用することによって、ＬＴＥのコアネットワークに直接アクセスすることができる。ＬＴＥネットワークのアクセスネットワーク装置とニュー無線アクセスネットワークのアクセスネットワーク装置との間のインターフェイスは、新しいインターフェイスである。新しいインターフェイスは、Ｘ５インターフェイス又は他の名称で呼ばれ得る。これは、ここで限定されない。図１の例では、２つの接続、すなわち、ＵＥとニュー無線アクセスネットワークのアクセスネットワーク装置との間の接続、及びＬＴＥネットワークのアクセスネットワーク装置を介したＵＥとニュー無線アクセスネットワークのアクセスネットワーク装置との間の接続、しか存在しない。確かに、ＵＥは、ＬＴＥネットワークのアクセスネットワーク装置を使用することによって、更なる接続を確立してもよい。図１に示されるネットワーク構造では、ニュー無線アクセスネットワークはコアネットワークを有さず、ＬＴＥネットワーク及びニュー無線アクセスネットワークは、ＬＴＥネットワークのコアネットワークを共有する。確かに、ニュー無線アクセスネットワークは、それ自体の独立したコアネットワークを有してもよい。
【手続補正４５】
【補正対象書類名】明細書
【補正対象項目名】００７４
【補正方法】変更
【補正の内容】
【００７４】
本開示の実施形態における方法は、次の２つのシナリオに適用される。シナリオ１：デフォルトのベアラ及び専用のベアラの両方が、ニュー無線アクセスネットワークのアクセスネットワーク装置と第１ネットワークのコアネットワーク装置との間に直接確立され、データ分割は、ニュー無線アクセスネットワークのアクセスネットワーク装置をデータ分割のためのアンカーとして使用することによって直接実行される。シナリオ２：第１ネットワークのコアネットワーク装置が最初に、データ分割を一度実行するようデータ分割のためのアンカーとして使用され、ニュー無線アクセスネットワークのエア・インターフェイスの品質が劣化する場合に、次いで、ニュー無線アクセスネットワークのアクセスネットワーク装置が、分割されたデータに基づき、分割されたデータについてのデータ分割を再度行うようデータ分割のためのアンカーとして使用される。シナリオ１では、データ分割は一度しか行われない。シナリオ２では、データ分割は二度行われる。いずれのシナリオでも、コントロールプレーンは第１ネットワークにおいて確立される。
【手続補正４６】
【補正対象書類名】明細書
【補正対象項目名】００７５
【補正方法】変更
【補正の内容】
【００７５】
上記のネットワークアーキテクチャに基づき、本開示の実施形態１は、マルチコネクティビティ通信方法を提供する。図２は、本開示の実施形態１に従うマルチコネクティビティ通信方法のフローチャートである。図２に示されるように、この実施形態における方法は、次のステップを含んでよい。
【手続補正４７】
【補正対象書類名】明細書
【補正対象項目名】００８０
【補正方法】変更
【補正の内容】
【００８０】
ステップ１０２で、第１ネットワークのアクセスネットワーク装置は、第１分割構成情報をＵＥへ送る。第１分割構成情報は、第２ネットワークのアクセスネットワーク装置がＵＥの分割されるべきデータを分割すべきであることをＵＥに知らせるために使用される。具体的に、第１分割構成情報は、分割されるべきデータの無線リソース構成を含んでよく、分割されるべきデータの無線リソース構成は、分割されるべきベアラのリストと、媒体アクセス制御（media  access  control，略してＭＡＣ）構成情報とを含む。分割されるべきベアラのリストは、分割されるべきベアラの識別子と、分割されるべきベアラに対応する分割タイプとを含む。異なるベアラは、異なる分割タイプに対応してよい。分割されるべきベアラの識別子は、無線アクセス・ベアラ識別子（EUTRAN-Radio  Access  Bearer  Identifier，略してＥＲＡＢ  ＩＤ）、データ無線ベアラ識別子（Data  Radio  Bearer  Identifier，略してＤＲＢ  ＩＤ）、又は論理チャネル識別子（logical  channel  identity，略してＬＣＩＤ）であってよい。ＭＡＣ構成情報は、ＭＡＣレイヤ構成を行うためにＵＥによって使用される。
【手続補正４８】
【補正対象書類名】明細書
【補正対象項目名】００８１
【補正方法】変更
【補正の内容】
【００８１】
任意に、第１分割構成情報を受信した後、ＵＥは更に、ＵＥが分割構成を完了したことを第１ネットワークのアクセスネットワーク装置に知らせるよう、構成完了指示情報を第１ネットワークのアクセスネットワーク装置へ返してよい。代替的に、ＵＥは、構成完了指示情報を第１ネットワークのアクセスネットワーク装置へ返さなくてもよく、ある期間第１分割構成情報を送った後、第１ネットワークのアクセスネットワーク装置は、デフォルトで、ＵＥが構成を完了したと見なす。
【手続補正４９】
【補正対象書類名】明細書
【補正対象項目名】００８２
【補正方法】変更
【補正の内容】
【００８２】
ステップ１０３で、第１ネットワークのアクセスネットワーク装置は、第２分割構成情報を第２ネットワークのアクセスネットワーク装置へ送り、それにより、第２ネットワークのアクセスネットワーク装置は、第２分割構成情報に基づき分割構成を行う。具体的に、第２分割構成情報は、分割されるべきベアラの識別子を含んでよい。任意に、第２分割構成情報は、ＵＥの識別子を更に含んでよい。第２分割構成情報に含まれる分割されるべきベアラの識別子は、第１分割構成情報における分割されるべきベアラの識別子と同じである。第２分割構成情報を受信した後、第２ネットワークのアクセスネットワーク装置は、ＵＥのどのベアラが分割されるべきであるかを決定する。具体的に、ＵＥの識別子は、ｅＮＢによって割り当てられたセル無線ネットワーク一時識別子（cell  radio  network  temporary  identifier，略してＣ−ＲＮＴＩ）、国際移動体加入者識別番号（international  mobile  subscriber  identification  number，略してＩＭＳＩ）、などであってよい。
【手続補正５０】
【補正対象書類名】明細書
【補正対象項目名】００９０
【補正方法】変更
【補正の内容】
【００９０】
実施形態１に基づき、本開示の実施形態２はマルチコネクティビティ通信方法を提供する。この実施形態は、第１ネットワークがＬＴＥネットワークであり、第２ネットワークがニュー無線アクセスネットワークである例を使用することによって、記載される。図３は、本開示の実施形態２において提供されるマルチコネクティビティ通信方法の信号伝達フローチャートである。図４は、ｅＮＢ及びＮＲノードのユーザプレーン・プロトコルスタックの概略図である。図４に示されるように、ｅＮＢのユーザプレーン・プロトコルスタックは、５つのレイヤ、すなわち、ＩＰレイヤ、ＰＤＣＰレイヤ、ＲＬＣレイヤ、ＭＡＣレイヤ、及びＰＨＹレイヤを含む。ＮＲノードのユーザプレーン・プロトコルスタックは、４つのレイヤ、すなわち、ＰＤＣＰレイヤ、ＲＬＣレイヤ、ＭＡＣレイヤ、及びＰＨＹレイヤを含む。図５は、ｅＮＢ及びＮＲノードのコントロールプレーン・プロトコルスタックの概略図である。図５に示されるように、ｅＮＢのコントロールプレーン・プロトコルスタックは、５つのレイヤ、すなわち、ＲＲＣレイヤ、ＰＤＣＰレイヤ、ＲＬＣレイヤ、ＭＡＣレイヤ、及びＰＨＹレイヤを含む。ＮＲノードのコントロールプレーン・プロトコルスタックは、４つのレイヤ、すなわち、ＰＤＣＰレイヤ、ＲＬＣレイヤ、ＭＡＣレイヤ、及びＰＨＹレイヤを含む。その上、ＮＲノードのコントロールプレーン・プロトコルスタックは、ＲＲＣレイヤを更に含んでもよい。図３乃至図５を参照すると、この実施形態における方法は、次のステップを含んでよい。
【手続補正５１】
【補正対象書類名】明細書
【補正対象項目名】００９３
【補正方法】変更
【補正の内容】
【００９３】
第１分割構成情報は、第２ネットワークのアクセスネットワーク装置がＵＥの分割されるべきデータを分割すべきであることをＵＥに知らせるために使用される。第１分割構成情報は、具体的に、分割されるべきデータの無線リソース構成を含んでよい。分割されるべきデータの無線リソース構成は、分割されるべきベアラのリストと、ＭＡＣ構成情報とを含む。分割されるべきベアラのリストは、分割されるべきベアラの識別子と、分割されるべきベアラに対応する分割タイプとを含む。異なるベアラは、異なる分割タイプに対応してよい。分割タイプは、既存のタイプ、又は本開示で新たに定義されたタイプであってよい。この実施形態では、ＮＲノードがデータ分割のためのアンカーであることによる分割タイプが定義され、セカンダリ・セル・グループ（secondary  cell  group，略してＳＣＧ）分割ベアラタイプと呼ばれ得る。新たに定義された分割タイプの名称は、本開示において限定されない。
【手続補正５２】
【補正対象書類名】明細書
【補正対象項目名】００９５
【補正方法】変更
【補正の内容】
【００９５】
ステップ２０３：ＵＥは、ＲＲＣ接続再構成完了（RRC  connection  reconfiguration  complete）メッセージをｅＮＢへ送る。
【手続補正５３】
【補正対象書類名】明細書
【補正対象項目名】００９９
【補正方法】変更
【補正の内容】
【００９９】
任意に、ＧＴＰ−ＵプロトコルがｅＮＢとＮＲノードとの間のユーザプレーン・トランスポートプロトコルとして使用される場合に、第２分割構成情報は、第１トンネル端点に関する情報であって、ｅＮＢによって割り当てられる情報を更に含む。第１トンネル端点に関する情報は、トンネル端点識別子及び第１トランスポートレイヤアドレスを含む。第１トンネル端点に関する情報は、ダウンリンクデータ伝送パスにおけるデータ伝送のあて先を示すために使用される。第１トンネル端点及び分割されるべきベアラは、一対一の対応にある。夫々の分割されるべきベアラは１つの第１トンネル端点に対応し、複数の分割されるべきベアラがある場合には、複数の第１トンネル端点がある。更には、第２分割構成情報は、トラフィック制御情報を更に含んでよい。
【手続補正５４】
【補正対象書類名】明細書
【補正対象項目名】０１０２
【補正方法】変更
【補正の内容】
【０１０２】
任意に、分割応答メッセージは、分割が確認されたベアラに関する情報を含み、任意に、更には、第２トンネル端点に関する情報であって、ＮＲノードによって割り当てられる情報を含む。第２トンネル端点に関する情報は、アップリンクデータ伝送パスにおけるデータ伝送のあて先を示すために使用される。第２トンネル端点に関する情報は、第２トンネル端点の識別子及び第２トランスポートレイヤアドレスを含む。第２トンネル端点に関する情報は、主に、データ転送シナリオにおいて使用される。具体的に言うと、ｅＮＢに分割される全てのダウンリンクデータがＵＥへ送られるわけではない場合に、ｅＮＢは、残りのダウンリンクデータをＮＲノードへ送るために、ＮＲノードによって割り当てられた第２トンネル端点の識別子を使用してよい。第２トンネル端点及び分割されるべきベアラは、一対一の対応にある。夫々の分割されるべきベアラは１つの第２トンネル端点に対応する。複数の分割されるべきベアラがある場合には、複数の第２トンネル端点がある。
【手続補正５５】
【補正対象書類名】明細書
【補正対象項目名】０１０３
【補正方法】変更
【補正の内容】
【０１０３】
図６は、本開示の実施形態３に従うマルチコネクティビティ通信方法の信号伝達フローチャートである。この実施形態は、第１ネットワークがＬＴＥネットワークであり、第２ネットワークがニュー無線アクセスネットワークである例を使用することによって、記載される。この実施形態において、ｅＮＢ及びＮＲノードのユーザプレーン・プロトコルスタック及びコントロールプレーン・プロトコルスタックは、図４及び図５に示されており、ここで再び説明されない。この実施形態と実施形態２との間の相違点は、この実施形態では、どのベアラが分割されるべきであるかをＮＲノードが決定し、一方、実施形態２では、どのベアラが分割されるべきであるかをｅＮＢが決定する点にある。図６を参照すると、この実施形態における方法は、次のステップを含んでよい。
【手続補正５６】
【補正対象書類名】明細書
【補正対象項目名】０１０６
【補正方法】変更
【補正の内容】
【０１０６】
この実施形態において、ｅＮＢは、ＮＲノードに分割を許可するよう要求するように、選択可能な分割ベアラの識別子及びＵＥの識別子をＮＲノードへ送る。１つ以上の選択可能な分割ベアラが存在してよい。ＮＲノードは、ベアラが分割されることを許可すべきかどうかを決定する。ＮＲノードは、選択可能な分割ベアラの中の全ての又はほんの一部のベアラを分割することを許可してよい。ＵＥの識別子は、ｅＮＢによって割り当てられたＣ−ＲＮＴＩ、ＩＭＳＩ、などであってよい。
【手続補正５７】
【補正対象書類名】明細書
【補正対象項目名】０１０７
【補正方法】変更
【補正の内容】
【０１０７】
任意に、ＧＴＰ−ＵプロトコルがｅＮＢとＮＲノードとの間のユーザプレーン・プロトコルスタックとして使用される場合に、第２分割構成情報は、第１トンネル端点に関する情報であって、ｅＮＢによって割り当てられる情報を含む。第１トンネル端点に関する情報は、第１トンネル端点の識別子及び第１トランスポートレイヤアドレスを含む。第１トンネル端点に関する情報は、ダウンリンクデータ伝送のあて先を示すために使用される。第１トンネル端点及び分割されるべきベアラは、一対一の対応にある。更には、第２分割構成情報は、トラフィック制御情報を更に含んでよい。
【手続補正５８】
【補正対象書類名】明細書
【補正対象項目名】０１０９
【補正方法】変更
【補正の内容】
【０１０９】
ＮＲノードが、ｅＮＢによって要求された全ての選択可能な分割ベアラを分割することを許可する場合には、分割許可メッセージに含まれる分割されるべきベアラの識別子は、全ての選択可能な分割ベアラの識別子である。ＮＲノードが、ｅＮＢによって要求された選択可能な分割ベアラの中の一部を分割することを許可する場合には、分割許可メッセージに含まれる分割されるべきベアラの識別子は、分割されることを許可されるベアラの識別子である。１つ以上の分割されるべきベアラが存在してよい。
【手続補正５９】
【補正対象書類名】明細書
【補正対象項目名】０１１０
【補正方法】変更
【補正の内容】
【０１１０】
任意に、分割許可メッセージは、第２トンネル端点に関する情報であって、ＮＲノードによって割り当てられる情報を更に含む。第２トンネル端点に関する情報は、アップリンクデータ伝送パスにおけるデータ伝送のあて先を示すために使用される。第２トンネル端点に関する情報は、第２トンネル端点の識別子及び第２トランスポートレイヤアドレスを含む。第２トンネル端点に関する情報は、主に、データ転送シナリオにおいて使用される。具体的に言うと、ｅＮＢに分割される全てのダウンリンクデータがＵＥへ送られるわけではない場合に、ｅＮＢは、残りのダウンリンクデータをＮＲノードへ送るために、ＮＲノードによって割り当てられている第２トンネル端点に関する情報を使用してよい。第２トンネル端点及び分割されるべきベアラは、一対一の対応にある。
【手続補正６０】
【補正対象書類名】明細書
【補正対象項目名】０１１３
【補正方法】変更
【補正の内容】
【０１１３】
第１分割構成情報は、第２ネットワークのアクセスネットワーク装置がＵＥの分割されるべきデータを分割すべきであることをＵＥに知らせるために使用される。第１分割構成情報は、具体的に、分割されるべきデータの無線リソース構成を含んでよい。分割されるべきデータの無線リソース構成は、分割されるべきベアラのリスト及びＭＡＣ構成情報を含む。分割されるべきベアラのリストは、分割されるべきベアラの識別子と、分割されるべきベアラに対応する分割タイプとを含む。異なるベアラは、異なる分割タイプに対応してよい。
【手続補正６１】
【補正対象書類名】明細書
【補正対象項目名】０１１８
【補正方法】変更
【補正の内容】
【０１１８】
この実施形態において、データ分割要求がある場合に、ｅＮＢは、最初に、ＮＲノードにデータ分割を実行するよう要求し、そして、選択可能な分割ベアラの識別子及びＵＥの識別子をＮＲノードへ送る。ＮＲノードは、選択可能な分割ベアラの識別子及びＵＥの識別子に基づき、どのベアラについてデータ分割が許可されるかを決定する。例えば、ＮＲノードは、それ自体の負荷ステータスに基づき、分割を許可すべきかどうかを判定する。選択可能な分割ベアラの一部又は全てが分割されることを許可される場合に、ＮＲノードは分割許可メッセージをｅＮＢへ送る。分割されることを許可されるベアラがない場合には、ＮＲノードは分割拒絶メッセージをｅＮＢへ送る。ｅＮＢが、ＮＲノードによって送られた分割許可メッセージを受信する場合に、ｅＮＢは、分割許可メッセージに基づき、ＮＲノードが分割を許可すると決定する。ｅＮＢはＲＲＣ再構成メッセージをＵＥへ送る。ｅＮＢが、ＮＲノードによって送られた分割拒絶メッセージを受信する場合には、ｅＮＢはＲＲＣ再構成メッセージをＵＥへ送らない。
【手続補正６２】
【補正対象書類名】明細書
【補正対象項目名】０１１９
【補正方法】変更
【補正の内容】
【０１１９】
本開示の実施形態４は、マルチコネクティビティ通信方法を提供する。この実施形態における方法と実施形態１乃至実施形態３における方法との間の相違点は、この実施形態では、第１ネットワークのアクセスネットワーク装置が第２ネットワークのアクセスネットワーク装置をデータ分割のためのアンカーとして決定する前に、ＵＥが、第１ネットワークのアクセスネットワーク装置にアクセスすることなしに、第２ネットワークのアクセスネットワーク装置にのみアクセスする点にある。従って、この実施形態では、第１分割構成情報は、第２ネットワークのアクセスネットワーク装置がＵＥの分割されるべきデータを分割すべきであることをＵＥに知らせるために使用されるだけでなく、ＵＥに第１ネットワークのアクセスネットワーク装置にアクセスするよう指示するためにも使用される。ＵＥは、第１ネットワークのアクセスネットワーク装置に未だアクセスしていないので、第１ネットワークのアクセスネットワーク装置は、第１分割構成情報をＵＥへ直接送ることができない。代わりに、第１ネットワークのアクセスネットワーク装置は、第２ネットワークのアクセスネットワーク装置を使用することによってのみ、第１分割構成情報をＵＥへ送ることができる。すなわち、第１ネットワークのアクセスネットワーク装置は、第１分割構成情報を第２ネットワークのアクセスネットワーク装置へ送り、そして、第２ネットワークのアクセスネットワーク装置は、第１分割構成情報をＵＥへ転送する。
【手続補正６３】
【補正対象書類名】明細書
【補正対象項目名】０１２０
【補正方法】変更
【補正の内容】
【０１２０】
然るに、第１分割構成情報は、第１ネットワークのアクセスネットワーク装置におけるＵＥのモビリティ制御情報を更に含む。ＵＥのモビリティ制御情報は、ＵＥの識別子と、第１ネットワークのアクセスネットワーク装置にアクセスするためにＵＥによって使用されるランダム・アクセス・チャネル（Random  Access  Channel，略してＲＡＣＨ）についての構成情報と、第１ネットワークのアクセスネットワーク装置と通信するためにＵＥによって使用される暗号化アルゴリズムとを含む。ＲＡＣＨ構成情報は、第１ネットワークのアクセスネットワーク装置にアクセスするためにＵＥによって使用される。暗号化アルゴリズムは、キーを生成し、そのキーと、そのキーから導出される、シグナリングプレーン及びユーザプレーンのキーとを使用して、ＵＥと第１ネットワークとの間のデータプレーン及びシグナリングプレーンの暗号化及びインテグリティ保護を実行するために、ＵＥによって使用される。
【手続補正６４】
【補正対象書類名】明細書
【補正対象項目名】０１２１
【補正方法】変更
【補正の内容】
【０１２１】
第１分割構成情報を受信した後、ＵＥは、第１ネットワークのアクセスネットワーク装置にアクセスするためにＵＥによって使用され、第１分割構成情報に含まれるＲＡＣＨ構成情報に基づき、第１ネットワークのアクセスネットワーク装置にアクセスする。ＵＥが第１ネットワークのアクセスネットワーク装置にアクセスした後、第２ネットワークのアクセスネットワーク装置は、ＵＥの分割されるべきデータを分割し始めてよい。具体的に言うと、ＵＥは、第１ネットワークのアクセスネットワーク装置及び第２ネットワークのアクセスネットワーク装置から別々に同じ分割されるべきベアラ上のデータを受信し、次いでデータを結合する。
【手続補正６５】
【補正対象書類名】明細書
【補正対象項目名】０１２２
【補正方法】変更
【補正の内容】
【０１２２】
図７は、本開示の実施形態５に従う第１ネットワークのアクセスネットワーク装置の略構造図である。図７に示されるように、この実施形態における第１ネットワークのアクセスネットワーク装置は、決定モジュール１１及び送信モジュール１２を含む。
【手続補正６６】
【補正対象書類名】明細書
【補正対象項目名】０１２５
【補正方法】変更
【補正の内容】
【０１２５】
送信モジュール１２は、第２分割構成情報を第２ネットワークのアクセスネットワーク装置へ送るよう更に構成される。第２分割構成情報は、第２ネットワークのアクセスネットワーク装置にＵＥの分割されるべきデータを分割するよう指示するために使用される。
【手続補正６７】
【補正対象書類名】明細書
【補正対象項目名】０１２７
【補正方法】変更
【補正の内容】
【０１２７】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端点に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【手続補正６８】
【補正対象書類名】明細書
【補正対象項目名】０１３１
【補正方法】変更
【補正の内容】
【０１３１】
代替的に、この実施形態における送信モジュール１２は、２つの機能ユニット、すなわち、第１送信モジュール及び第２送信モジュール、によって実装されてよい点が留意されるべきである。第１送信モジュールは、データをＵＥへ送るよう構成される。第２送信モジュールは、データを第２ネットワークのアクセスネットワーク装置へ送るよう構成される。第１ネットワークがＬＴＥネットワークであり、第２ネットワークがニュー無線アクセスネットワークである場合に、第２送信モジュールは、外部からＸ５インターフェイスを与える。Ｘ５インターフェイスは、ＬＴＥネットワークのアクセスネットワーク装置とニュー無線アクセスネットワークのアクセスネットワーク装置との間に新たに加えられたインターフェイスである。その上、第１送信モジュール及び第２送信モジュールは、２つの物理ユニットによって実装されてよい。確かに、第１送信モジュール及び第２送信モジュールは、代替的に、１つの物理ユニットによって実装されてよい。これは、ここで限定されない。
【手続補正６９】
【補正対象書類名】明細書
【補正対象項目名】０１３２
【補正方法】変更
【補正の内容】
【０１３２】
図８は、本開示の実施形態６に従う第２ネットワークのアクセスネットワーク装置の略構造図である。図８に示されるように、この実施形態で提供される第２ネットワークのアクセスネットワーク装置は、受信モジュール２１及び分割モジュール２２を含む。
【手続補正７０】
【補正対象書類名】明細書
【補正対象項目名】０１３６
【補正方法】変更
【補正の内容】
【０１３６】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端点に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【手続補正７１】
【補正対象書類名】明細書
【補正対象項目名】０１３９
【補正方法】変更
【補正の内容】
【０１３９】
図９は、本開示の実施形態６に従うＵＥの略構造図である。図９に示されるように、この実施形態で提供されるＵＥは、受信モジュール３１及び送信モジュール３２を含む。
【手続補正７２】
【補正対象書類名】明細書
【補正対象項目名】０１４４
【補正方法】変更
【補正の内容】
【０１４４】
図１０は、本開示の実施形態８に従うＵＥの略構造図である。図１０に示されるように、この実施形態で提供されるＵＥは、受信モジュール４１、アクセスモジュール４２、及び送信モジュール４３を含む。
【手続補正７３】
【補正対象書類名】明細書
【補正対象項目名】０１５０
【補正方法】変更
【補正の内容】
【０１５０】
図１１は、本開示の実施形態９に従う第１ネットワークのアクセスネットワーク装置の略構造図である。図１１に示されるように、この実施形態で提供される第１ネットワークのアクセスネットワーク装置は、プロセッサ５１及び送信器５２を含む。送信器５２は、通信バスを使用することによってプロセッサ５１へ接続されてそれと通信する。
【手続補正７４】
【補正対象書類名】明細書
【補正対象項目名】０１５５
【補正方法】変更
【補正の内容】
【０１５５】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端点に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【手続補正７５】
【補正対象書類名】明細書
【補正対象項目名】０１６０
【補正方法】変更
【補正の内容】
【０１６０】
代替的に、この実施形態における送信器５２は、２つの独立した物理送信器、すなわち、第１送信器及び第２送信器、によって実装されてよい点が留意されるべきである。第１送信器は、データをＵＥへ送るよう構成される。第２送信器は、データを第２ネットワークのアクセスネットワーク装置へ送るよう構成される。第１ネットワークがＬＴＥネットワークであり、第２ネットワークがニュー無線アクセスネットワークである場合に、第２送信器は、外部からＸ５インターフェイスを与える。Ｘ５インターフェイスは、ＬＴＥネットワークのアクセスネットワーク装置とニュー無線アクセスネットワークのアクセスネットワーク装置との間に新たに加えられたインターフェイスである。
【手続補正７６】
【補正対象書類名】明細書
【補正対象項目名】０１６１
【補正方法】変更
【補正の内容】
【０１６１】
図１２は、本開示の実施形態１０に従う第２ネットワークのアクセスネットワーク装置の略構造図である。図１２に示されるように、この実施形態で提供される第２ネットワークのアクセスネットワーク装置は、プロセッサ６１及び受信器６２を含む。受信器６２は、通信バスを使用することによってプロセッサ６１へ接続されてそれと通信する。
【手続補正７７】
【補正対象書類名】明細書
【補正対象項目名】０１６５
【補正方法】変更
【補正の内容】
【０１６５】
任意に、第２分割構成情報は、第１トンネル端点に関する情報であって、第１ネットワークのアクセスネットワーク装置によって割り当てられる情報、及びトラフィック制御情報のうちの少なくとも一方を更に含む。第１トンネル端末に関する情報は、ダウンリンクデータ伝送のあて先を示すために使用され、トラフィック制御情報は、第２ネットワークのアクセスネットワーク装置がデータ分割を実行しているときに第１ネットワークのアクセスネットワーク装置が運ぶことができる最大トラフィックを示すために使用される。
【手続補正７８】
【補正対象書類名】明細書
【補正対象項目名】０１６８
【補正方法】変更
【補正の内容】
【０１６８】
任意に、第２ネットワークのアクセスネットワーク装置は、送信器６３を更に含む。送信器６３は、通信バスを使用することによってプロセッサ６１へ接続されてそれと通信する。送信器６３は、分割許可メッセージを第１ネットワークのアクセスネットワーク装置へ送るよう構成される。分割許可メッセージは、分割されるべきベアラの識別子を含み、分割されるべきベアラは、分割されることを許可され、選択可能な分割ベアラから第２ネットワークのアクセスネットワーク装置によって決定されたベアラである。
【手続補正７９】
【補正対象書類名】明細書
【補正対象項目名】０１６９
【補正方法】変更
【補正の内容】
【０１６９】
図１３は、本開示の実施形態１１に従うＵＥの略構造図である。図１３に示されるように、この実施形態で提供されるＵＥは、プロセッサ７１、受信器７２、及び送信器７３を含む。受信器７２及び送信器７３は、通信バスを使用することによってプロセッサ７１へ接続されてそれと通信する。
【手続補正８０】
【補正対象書類名】明細書
【補正対象項目名】０１７４
【補正方法】変更
【補正の内容】
【０１７４】
本開示の実施形態１２は、ＵＥを提供する。この実施形態におけるＵＥの構造は、図１３に示されるＵＥの構造と同じである。詳細については、図１３を参照されたい。この実施形態において、受信器７２は、第１ネットワークのアクセスネットワーク装置によって送られた第１分割構成情報を受信するよう構成される。第１分割構成情報は、第２ネットワークのアクセスネットワーク装置がＵＥの分割されるべきデータを分割すべきであることをＵＥに知らせるために使用されるとともに、ＵＥに第１ネットワークのアクセスネットワーク装置にアクセスするよう指示するために使用される。
【手続補正８１】
【補正対象書類名】明細書
【補正対象項目名】０１７９
【補正方法】変更
【補正の内容】
【０１７９】
図１４は、本開示の実施形態１３に従う通信システムの略構造図である。図１４に示されるように、この実施形態で提供される通信システムは、第１ネットワークのアクセスネットワーク装置８１と、第２ネットワークのアクセスネットワーク装置８２と、ＵＥ８３とを含む。第１ネットワークのアクセスネットワーク装置８１、第２ネットワークのアクセスネットワーク装置８２、及びＵＥ８３は、前述の実施形態における方法を実行するよう構成されてよい。それらの具体的な実施及び技術的効果は同じようであり、再びここで説明されない。
【手続補正８２】
【補正対象書類名】明細書
【補正対象項目名】０１８０
【補正方法】変更
【補正の内容】
【０１８０】
図１５は、本開示の実施形態１４に従うマルチコネクティビティ通信方法のフローチャートである。この実施形態は、第１ネットワークがＬＴＥネットワークであり、第２ネットワークがニュー無線アクセスネットワークである例を使用することによって、記載される。第１ネットワークのアクセスネットワーク装置はｅＮＢであり、第２ネットワークのアクセスネットワーク装置はＮＲノードである。図１５に示されるように、この実施形態で提供される方法は、次のステップを含む。
【手続補正８３】
【補正対象書類名】明細書
【補正対象項目名】０１８４
【補正方法】変更
【補正の内容】
【０１８４】
第２トンネル端点に関する情報は、アップリンクデータ伝送のあて先を示すために使用される。第２トンネル端点に関する情報は、第２トンネル端点の識別子及び第２トランスポートレイヤアドレスを含む。第２トンネル端点に関する情報は、主に、データ転送シナリオにおいて使用される。具体的に言うと、ｅＮＢに分割される全てのダウンリンクデータがＵＥへ送られるわけではない場合に、ｅＮＢは、残りのダウンリンクデータをＮＲノードへ送るために、ＮＲノードによって割り当てられている第２トンネル端点に関する情報を使用してよい。第２トンネル端点及び分割されるべきベアラは、一対一の対応にある。
【手続補正８４】
【補正対象書類名】明細書
【補正対象項目名】０１８５
【補正方法】変更
【補正の内容】
【０１８５】
任意に、このステップより前に、ＮＲノードは、ＵＥのデータを分割すると決定する。具体的に、前述の実施形態とは異なり、この実施形態では、ＮＲノードは決定すべきであるから、ＮＲノードは、決定するための意思決定情報を取得する必要がある。意思決定情報は、ＮＲノードのエア・インターフェイスの品質、ＵＥの測定結果、基地局の負荷情報、などを含む。ＵＥの測定結果は、ｅＮＢについてのＵＥの測定結果、及びＮＲノードについてのＵＥの測定結果を含む。意思決定情報は、意思決定より前に取得される必要がある。ｅＮＢは、ｅＮＢとＮＲノードとの間のインターフェイスを通じて新しいメッセージを使用することによって測定結果を交換してよい。これは、本開示において限定されない。
【手続補正８５】
【補正対象書類名】明細書
【補正対象項目名】０１９０
【補正方法】変更
【補正の内容】
【０１９０】
分割応答メッセージは、分割されるべきベアラの識別子を含む。ｅＮＢが、全ての要求されている選択可能な分割ベアラを分割することをＮＲノードに許可する場合には、分割応答メッセージに含まれる分割されるべきベアラの識別子は、全ての選択可能な分割ベアラの識別子である。ｅＮＢが、要求されている選択可能な分割ベアラの中の一部を分割することをＮＲノードに許可する場合には、分割応答メッセージに含まれる分割されるべきベアラの識別子は、分割されることを許可されるベアラの識別子である。１つ以上の分割されるべきベアラが存在してよい。ｅＮＢが、要求されている選択可能な分割ベアラの一部を分割することをＮＲノードに許可する場合に、任意に、分割応答メッセージは、分割されることを許可されないベアラの識別子を更に含む。分割されることを許可されないベアラに対して、ＮＲノードは、通常の伝送プロシージャに従う送信を実行する。分割されることを許可されない１つ以上のベアラが存在してよい。
【手続補正８６】
【補正対象書類名】明細書
【補正対象項目名】０１９１
【補正方法】変更
【補正の内容】
【０１９１】
任意に、分割応答メッセージは、１つ以上のタイプの次の情報：第１トンネル端点に関する情報、ＵＥの測定結果、分割タイプ、第１ネットワークにおけるＵＥのスループット、及び第１ネットワークにおけるＵＥのピークレート、を更に含む。第１トンネル端点に関する情報は、ダウンリンクデータ伝送のあて先を示すために使用される。第１トンネル端点に関する情報は、第１トンネル端点の識別子及び第１トランスポートレイヤアドレスを含む。第１トンネル端点及び分割されるべきベアラは、一対一の対応にある。第１ネットワークにおけるＵＥのスループット及びピークレートは、分割応答メッセージにおいて、報告指示情報に基づきｅＮＢによって送られる。第１ネットワークにおけるＵＥのスループット及びピークレートは、主に、ｅＮＢに分割されるデータの量を決定するためにＮＲノードによって使用される。
【手続補正８７】
【補正対象書類名】明細書
【補正対象項目名】０１９２
【補正方法】変更
【補正の内容】
【０１９２】
ＵＥの測定結果は、その後に分割決定を行うために、ＮＲノードによって使用される。分割タイプは、本開示で新たに定義されたタイプであり、分割タイプは、ＮＲノードにｅＮＢ及びＵＥからの分割データを集約するよう指示するために使用される。既存の分割タイプは、分割ベアラタイプ及びＳＣＧベアラタイプを含む。本開示で新たに定義されたタイプは、ＳＣＧ分割ベアラタイプと呼ばれ得る。ＳＣＧ分割ベアラタイプがＮＲノードのために構成されている場合に、ＳＣＧ分割ベアラタイプは、分割応答メッセージにおいて伝えられる必要がない。
【手続補正８８】
【補正対象書類名】明細書
【補正対象項目名】０１９５
【補正方法】変更
【補正の内容】
【０１９５】
ｅＮＢは、第１分割構成情報をＲＲＣ再構成メッセージに付加してよい。確かに、ｅＮＢは、代替的に、第１分割構成情報を他の既存のメッセージ又は新たに定義されたメッセージに付加してもよい。これは、本開示において限定されない。
【手続補正８９】
【補正対象書類名】明細書
【補正対象項目名】０１９６
【補正方法】変更
【補正の内容】
【０１９６】
ステップ４０５：ＵＥは、構成応答メッセージをｅＮＢへ送る。
【手続補正９０】
【補正対象書類名】明細書
【補正対象項目名】０２０２
【補正方法】変更
【補正の内容】
【０２０２】
図１６は、本開示の実施形態１５に従う第１ネットワークのアクセスネットワーク装置の略構造図である。図１６に示されるように、この実施形態で提供される第１ネットワークのアクセスネットワーク装置は：
第１ネットワークのアクセスネットワーク装置によって送られた分割要求メッセージを受信するよう構成され、分割要求メッセージが選択可能な分割ベアラの識別子を含む、受信モジュール９１と；
分割応答メッセージを第２ネットワークのアクセスネットワーク装置へ送るよう構成され、分割応答メッセージが分割されるべきベアラの識別子を含み、分割されるべきベアラが選択可能な分割ベアラの一部又は全てである、送信モジュール９２と
を含む。
【手続補正９１】
【補正対象書類名】明細書
【補正対象項目名】０２０６
【補正方法】変更
【補正の内容】
【０２０６】
図１７は、本開示の実施形態１６に従う第２ネットワークのアクセスネットワーク装置の略構造図である。図１７に示されるように、この実施形態で提供される第２ネットワークのアクセスネットワーク装置は：
分割要求メッセージを第１ネットワークのアクセスネットワーク装置へ送るよう構成され、分割要求メッセージが選択可能な分割ベアラの識別子を含む、送信モジュール１１１と；
第１ネットワークのアクセスネットワーク装置によって送られた分割応答メッセージを受信するよう構成され、分割応答メッセージが分割されるべきベアラの識別子を含み、分割されるべきベアラが選択可能な分割ベアラの一部又は全てである、受信モジュール１１２と
を含む。
【手続補正９２】
【補正対象書類名】明細書
【補正対象項目名】０２０８
【補正方法】変更
【補正の内容】
【０２０８】
本開示の実施形態１７は、ＵＥを提供する。この実施形態において、ＵＥは受信モジュールを含む。受信モジュールは、第１ネットワークのアクセスネットワーク装置によって送られた第１分割構成情報を受信するよう構成される。第１分割構成情報は、第２ネットワークのアクセスネットワーク装置が分割されるべきベアラを分割すべきであることをＵＥに知らせるために使用され、第１分割構成情報は、分割されるべきベアラの識別子を含む。
【手続補正９３】
【補正対象書類名】明細書
【補正対象項目名】０２０９
【補正方法】変更
【補正の内容】
【０２０９】
本開示の実施形態１８は、第１ネットワークのアクセスネットワーク装置を提供する。この実施形態における第１ネットワークのアクセスネットワーク装置の構造は、図１１に示される第１ネットワークのアクセスネットワーク装置の構造と同じである。図１１に示されるように、この実施形態では：
プロセッサ５１は、第２ネットワークのアクセスネットワーク装置によって送られた分割要求メッセージを受信するように受信器５３を制御するよう構成される。分割要求メッセージは、選択可能な分割ベアラの識別子を含む。
【手続補正９４】
【補正対象書類名】明細書
【補正対象項目名】０２１３
【補正方法】変更
【補正の内容】
【０２１３】
任意に、プロセッサ５１は、分割構成完了メッセージを第２ネットワークのアクセスネットワーク装置へ送るように送信器５２を制御するよう更に構成される。
【手続補正９５】
【補正対象書類名】明細書
【補正対象項目名】０２１４
【補正方法】変更
【補正の内容】
【０２１４】
本開示の実施形態１９は、第２ネットワークのアクセスネットワーク装置を提供する。この実施形態における第２ネットワークのアクセスネットワーク装置の構造は、図１２に示される第２ネットワークのアクセスネットワーク装置の構造と同じである。図１２に示されるように、この実施形態では：
プロセッサ６１は、分割要求メッセージを第１ネットワークのアクセスネットワーク装置へ送るように送信器６３を制御するよう構成される。分割要求メッセージは、選択可能な分割ベアラの識別子を含む。
【手続補正９６】
【補正対象書類名】明細書
【補正対象項目名】０２１７
【補正方法】変更
【補正の内容】
【０２１７】
図１８は、本開示の実施形態２０に従うＵＥの略構造図である。図１８に示されるように、この実施形態において、ＵＥは、プロセッサ２１１及び受信器２１２を含む。
【手続補正９７】
【補正対象書類名】明細書
【補正対象項目名】０２１９
【補正方法】変更
【補正の内容】
【０２１９】
本開示の実施形態１５乃至実施形態２０において、分割要求メッセージは、１つ以上のタイプの次の情報：分割タイプ、ＵＥの識別子、選択可能な分割ベアラのクオリティ・オブ・サービス（ＱｏＳ）要件情報、トラフィック制御情報、第２トンネル端点に関する情報、第１ネットワークにおけるＵＥのスループットの報告指示情報、及び第１ネットワークにおけるＵＥのピークレートの報告指示情報、を更に含む点が留意されるべきである。トラフィック制御情報は、第２ネットワークのアクセスネットワーク装置がデータ分割を実行しているときに第１ネットワークのアクセスネットワーク装置が運ぶことができる最大トラフィックを示すために使用され、第２トンネル端点に関する情報は、アップリンクデータ伝送のあて先を示すために使用される。
【手続補正９８】
【補正対象書類名】明細書
【補正対象項目名】０２２０
【補正方法】変更
【補正の内容】
【０２２０】
本開示の実施形態１５乃至実施形態２０において、分割応答メッセージは、１つ以上のタイプの次の情報：第１トンネル端点に関する情報、ＵＥの測定結果、分割タイプ、第１ネットワークにおけるＵＥの前記スループット、及び第１ネットワークにおけるＵＥの前記ピークレート、を更に含む。第１トンネル端点に関する情報は、ダウンリンクデータ伝送のあて先を示すために使用される。
【手続補正９９】
【補正対象書類名】明細書
【補正対象項目名】０２２１
【補正方法】変更
【補正の内容】
【０２２１】
本開示の実施形態１５乃至実施形態２０において、第１分割構成情報は、１つ以上のタイプの次の情報：ＭＡＣ構成情報及び分割タイプ、を更に含む。
【手続補正１００】
【補正対象書類名】明細書
【補正対象項目名】０２２２
【補正方法】変更
【補正の内容】
【０２２２】
加えて、本開示の実施形態１５乃至実施形態２０の具体的な実施については、実施形態１４における関連する記載を参照されたい。詳細については、再びここで記載されない。
【手続補正１０１】
【補正対象書類名】明細書
【補正対象項目名】０２２３
【補正方法】変更
【補正の内容】
【０２２３】
本開示で提供されるいくつかの実施形態において、開示されている装置及び方法は、他の様態で実装されてもよい点が理解されるべきである。例えば、記載されている装置の実施形態は一例にすぎない。例えば、ユニット区分は、論理的な機能区分にすぎず、実際の実施では他の区分であってもよい。例えば、複数のユニット又はコンポーネントが、組み合わされるか又は他のシステムに一体化されてもよく、あるいは、いくつかの特徴は、無視されるか又は実行されなくてもよい。加えて、表示又は説明されている相互結合又は直接的な結合若しくは通信接続は、いくつかのインターフェイスを使用することによって実装されてよい。装置又はユニット間の間接的な結合又は通信接続は、電気的、機械的、又は他の形態において実装されてよい。
【手続補正１０２】
【補正対象書類名】明細書
【補正対象項目名】０２２５
【補正方法】変更
【補正の内容】
【０２２５】
加えて、本開示の実施形態における機能ユニットは、１つの処理ユニットに一体化されてもよく、あるいは、ユニットの夫々は、物理的に単独で存在してもよく、あるいは、２つ以上のユニットが１つのユニットにまとめられる。一体化されたユニットは、ハードウェアの形で実装されてよく、あるいは、ソフトウェア機能ユニットに加えてハードウェアの形で実装されてもよい。
【手続補正１０３】
【補正対象書類名】明細書
【補正対象項目名】０２２６
【補正方法】変更
【補正の内容】
【０２２６】
前述の一体化されたユニットがソフトウェア機能ユニットの形で実装される場合に、一体化されたユニットは、コンピュータ可読記憶媒体に記憶されてよい。ソフトウェア機能ユニットは、記憶媒体に記憶され、コンピュータ装置（パーソナル・コンピュータ、サーバ、ネットワーク装置、などであってよい。）又はプロセッサ（英語：processor）に、本開示の実施形態で記載されている方法のステップの一部を実行するよう指示するためのいくつかの命令を含む。前述の記憶媒体は、ＵＳＢフラッシュ・ドライブ、リムーバブル・ハード・ディスク、リード・オンリー・メモリ（英語：Read-Only  Memory，略してＲＯＭ）、ランダム・アクセス・メモリ（英語：Random  Access  Memory，略してＲＡＭ）、磁気ディスク、又は光ディスクのような、プログラム・コードを記憶することができる如何なる媒体も含む。
【手続補正１０４】
【補正対象書類名】明細書
【補正対象項目名】０２２７
【補正方法】変更
【補正の内容】
【０２２７】
最後に、前述の実施形態は、単に、本開示の技術的解決法を記載することを目的とし、本開示を限定するものではない点が留意されるべきである。本開示は、前述の実施形態を参照して詳細に記載されるが、当業者は、彼らが依然として、本開示の実施形態の技術的解決法の適用範囲から外れることなしに、前述の実施形態において記載される技術的解決法を変更し、あるいは、そのいくつか又は全ての特徴を同等物で置き換えてよいと理解すべきである。
【手続補正１０５】
【補正対象書類名】図面
【補正対象項目名】図３
【補正方法】変更
【補正の内容】
【図３】
2019524039.tif 000021
【手続補正１０６】
【補正対象書類名】図面
【補正対象項目名】図５
【補正方法】変更
【補正の内容】
【図５】
2019524039.tif 000022
【手続補正１０７】
【補正対象書類名】図面
【補正対象項目名】図６
【補正方法】変更
【補正の内容】
【図６】
2019524039.tif 000023
【手続補正１０８】
【補正対象書類名】図面
【補正対象項目名】図１５
【補正方法】変更
【補正の内容】
【図１５】
2019524039.tif 000024
【国際調査報告】
2019524039.tif 000025
2019524039.tif 000026
2019524039.tif 000027
2019524039.tif 000028